(57)【要約】【課題】本発明は、分包動作のさらなる簡易化を可能とし、不具合の発生をより抑制可能な薬品払出装置を提供することを課題とする。【解決手段】本発明は、薬品を包装する薬品払出装置１において、複数の散薬収容容器４を保管するための容器保管装置２３を内部に設け、散薬収容容器４を移動させるための容器移動装置２８をさらに設ける。そして、容器保管装置２３から所定の散薬収容容器４を取り出して容器保持台３６に載置させ、分包動作を実行可能とする。また、表示装置３を設け、容器保管装置２３に現在保管されている散薬収容容器４に収容された散薬に関する情報を表示する。【選択図】図２
2020078578.tif 000002
【特許請求の範囲】
【請求項１】
散薬収容容器から所定量の散薬を取り出し、これを所定の数に分割し、さらに個別に包装して排出する薬品払出装置であって、
前記散薬収容容器は、散薬を収容するものであり、収容した散薬を排出するための排出口となる排出口部を有し、
内部に薬品容器配置領域、薬品分割領域、薬品包装領域が設けられ、
前記薬品容器配置領域には、複数の前記散薬収容容器を保管するための容器保管装置が設けられ、
前記薬品分割領域には、前記散薬収容容器から排出された散薬を配分する分配皿と、当該分配皿に投入された散薬を掻き出すための掻出装置と、前記散薬収容容器が載置されると共に前記散薬収容容器に作用して前記散薬収容容器から散薬を排出させる容器載置装置とが設けられ、
前記薬品包装領域には、薬品包装装置が設けられ、
前記散薬収容容器を移動させるための容器移動装置がさらに設けられ、
前記容器移動装置は、前記容器保管装置から所定の前記散薬収容容器を取り出して前記容器載置装置に載置させる動作を実行可能であり、
前記容器載置装置に載置された前記散薬収容容器から散薬を排出させて前記分配皿に投入し、前記掻出装置によって前記分配皿の散薬を掻き出して前記薬品包装領域側に落下させ、前記薬品包装装置によって散薬を包装する分包動作が可能であり、
各種情報を表示するための表示装置を有し、
前記容器保管装置に現在保管されている前記散薬収容容器に収容された散薬に関する情報を前記表示装置に表示することが可能であることを特徴とする薬品払出装置。
【発明の詳細な説明】
【技術分野】
【０００１】
本発明は、薬品払出装置に関するものであり、特に散薬を分配する薬品払出装置に関する。
【背景技術】
【０００２】
近年、大病院や、大規模の薬局では、散薬分包機能を備えた薬品払出装置が導入されている。この薬品払出装置は、処方情報に基づいて散薬を一服用分ずつ個別に包装することが可能であり、従来行われた散薬分包作業の大半を自動化することができる。
【０００３】
このような薬品払出装置として、例えば、特許文献１に開示されたものがある。
特許文献１に開示された薬品払出装置は、散薬を一服用分ずつ個別に包装する散薬分包装置である。
【０００４】
具体的に説明すると、この散薬分包装置では、散薬を一服用分ずつ個別に包装する分包動作の実施前に、分包動作で使用する散薬を投入ホッパに投入する必要がある。
ここで、投入ホッパには、分包動作で必要な量だけ散薬が投入されるが、この必要量の量り出しは、薬剤師等の装置の使用者が手作業で実施する。すなわち、使用者が薬棚から処方された散薬が入った薬瓶を取り出し、天秤等の秤を使用して必要量を量り出し、投入ホッパに投入する。
【０００５】
投入ホッパに散薬が投入されると同時に、トラフを振動させ、分配皿を回転させる。
このことにより、投入ホッパに投入された散薬は、投入ホッパの下端開口から、トラフに落ちる。そして、トラフ上を先端側に向かって移動する内に、薬剤の流れが層流状態となる。すなわち、流れに対して直交する方向の断面における薬剤の分布が一定となり、かつ単位時間当たりに薬剤が進行する距離も一定となる。
【０００６】
このことから、散薬は均一に分散され、また一定の速度でゆっくりと先端側に向かって移動する。そして、先頭を移動する散薬が、トラフの先端から分配皿に落下する。また後に続く散薬は、時間あたり一定の量だけ分配皿に落下していく。
ここで、上記したように、分配皿は所定の速度で回転している。そのため、トラフから分配皿に落下する散薬は、分配皿で均等に分散することとなる。つまり、散薬が少しずつ分配皿に落下し、かつ分配皿が一定速度で回転することから、散薬が分配皿の上で均等に分散された状態となる。
【０００７】
分配皿に対する散薬の落下が終了すると、一旦、分配皿の回転を停止する。そして、掻出装置を分配皿の上面に接触させ、分配皿を分割数に応じた角度だけ回転させる。例えば、３つに分包する場合、１２０度（３６０度の３分の１）だけ分配皿を回転させる。この動作により、掻出装置の周辺に一包分の散薬を集めた状態とし、集めた一包分の散薬を掻出装置で包装用ホッパに投入する。そして、包装用ホッパから落下した散薬が包装装置で包装され、分包動作が完了する。
【先行技術文献】
【特許文献】
【０００８】
【特許文献１】特開２０００−８５７０３号公報
【発明の概要】
【発明が解決しようとする課題】
【０００９】
しかしながら、特許文献１に開示された散薬分包装置では、散薬の使用量を量り出す作業を必ず手作業で実施する必要があり、面倒である。
そこで、分包作業及びそれに関連する様々な作業を自動化したいという欲求があった。
【００１０】
しかしながら、棚から所定の薬品が収容された容器を特定し、その薬品を秤量、分包するという作業は、もし間違いがあると、患者が予定とは異なる医薬を服用してしまったり、誤った量の医薬を服用してしまう可能性がある。このような場合、人命に直結する事態となり得るため、これらを自動化する際には慎重を期すべきである。
【００１１】
そこで本発明は、分包動作のさらなる簡易化を可能とし、不具合の発生をより抑制可能な薬品払出装置を提供することを課題とする。
【課題を解決するための手段】
【００１２】
上記課題を解決するための本発明の一つの様相は、散薬収容容器から所定量の散薬を取り出し、これを所定の数に分割し、さらに個別に包装して排出する薬品払出装置であって、前記散薬収容容器から排出された散薬を配分する分配皿と、当該分配皿に投入された散薬を掻き出すための掻出装置とが設けられ、前記掻出装置は、先端側が昇降するアーム部材と、当該アーム部材の先端に設けられた掻寄板と、当該掻寄板から突出する掻出板を備えており、前記分配皿は、環状に連続する溝状部分を備え、前記分包動作では、前記掻寄板を前記分配皿の前記溝状部分に挿入し、前記掻寄板と前記分配皿を相対移動させることで前記分配皿の上の散薬を前記掻寄板の近傍に掻き寄せる掻寄動作と、前記掻寄板の近傍に掻き寄せられた散薬を前記掻出板によって前記分配皿の外に掻き出す掻出動作を実施可能であり、さらに前記掻寄動作と前記掻出動作からなる動作を複数回実施し、前記分配皿の上の散薬を一包分ずつに分割して前記分配皿の外に掻き出す動作が可能であり、当該動作では、散薬の分割数に応じて、一包分の散薬を対象とした前記掻寄動作における前記相対移動の移動距離が可変するものであり、一包分の散薬を対象とした前記掻寄動作における前記相対移動の移動距離に応じて、一包分の散薬を１回の前記掻寄動作と前記掻出動作によって掻き出す単数掻出動作と、一包分の散薬を複数回の前記掻寄動作と前記掻出動作によって掻き出す複数掻出動作のいずれかを実施可能であり、前記複数掻出動作を実施する場合には、先行して実施する前記掻寄動作における前記相対移動の移動距離が、最後に実施する前記掻寄動作における前記相対移動の移動距離よりも長いことを特徴とする薬品払出装置である。
本様相は、前記複数掻出動作では、予め規定した最大の移動量で前記相対移動を実施する前記掻寄動作を伴う最大量掻出動作と、予め規定した最小の移動量で前記相対移動を実施する前記掻寄動作を伴う最小量掻出動作とを実施可能であり、少なくとも１回の前記最大量掻出動作を実施し、一包分の散薬を対象とした前記掻寄動作における前記相対移動の移動距離から前記最大量掻出動作で実施する前記掻寄動作での前記相対移動の移動距離を差し引いた値が所定以上であることを条件として、前記最大量掻出動作で実施する前記掻寄動作での前記相対移動の移動距離よりも少量の移動量で実施する前記掻寄動作と前記掻出動作を実施し、さらに前記最小量掻出動作を実施することが好ましい。
本様相は、前記掻寄板を前記分配皿の前記溝状部分に挿入した状態で、前記分配皿を回転させることで前記相対移動を行うものであり、前記分配皿の回転角度は、前記分配皿を回転させるモータのパルス量から算出することが好ましい。
本様相は、予め規定した最大の移動量で前記相対移動を実施する前記掻寄動作を伴う最大量掻出動作を実施可能であり、一包分の散薬を対象とした前記掻寄動作における前記相対移動の移動距離が、前記最大量掻出動作における前記相対移動の移動距離より大きい場合に前記複数掻出動作を実施し、一包分の散薬を対象とした前記掻寄動作における前記相対移動の移動距離が、前記最大量掻出動作における前記相対移動の移動距離以下である場合に前記単数掻出動作を実施することが好ましい。
本様相は、予め規定した最小の移動量で前記相対移動を実施する前記掻寄動作を伴う最小量掻出動作を実施可能であり、前記最小量掻出動作は、前記掻寄板を前記分配皿の前記溝状部分に挿入した状態で、前記掻寄板の幅と同じ距離だけ前記分配皿を回転させる動作であることが好ましい。
本様相は、予め規定した最小の移動量で前記相対移動を実施する前記掻寄動作を伴う最小量掻出動作を実施可能であり、前記複数掻出動作は、予め規定した最大の移動量で前記相対移動を実施する前記掻寄動作を伴う最大量掻出動作と、前記前記最大量掻出動作よりも小さい移動量で前記相対移動を実施する残余掻出動作とを実施する動作であり、前記複数掻出動作では、前記最大量掻出動作の実施回数を算出する動作と、前記最大量掻出動作の実施回数に基づいて前記残余掻出動作における前記相対移動の移動量を算出する動作を実施し、前記残余掻出動作における前記相対移動の移動量が、前記最小量掻出動作における前記相対移動の移動量の２倍以上である場合、２回の前記残余掻出動作を実施し、
前記残余掻出動作における前記相対移動の移動量が、前記最小量掻出動作における前記相対移動の移動量の２倍より小さい場合、１回の前記残余掻出動作を実施するものであり、
２回の前記残余掻出動作を実施する場合、２回目に実施する前記残余掻出動作が前記最小量掻出動作となることが好ましい。
また、本発明に関連する他の様相は、散薬収容容器から所定量の散薬を取り出し、これを所定の数に分割し、さらに個別に包装して排出する薬品払出装置であって、前記散薬収容容器は、散薬を収容するものであり、収容した散薬を排出するための排出口となる排出口部を有し、内部に薬品容器配置領域、薬品分割領域、薬品包装領域が設けられ、前記薬品容器配置領域には、複数の前記散薬収容容器を保管するための容器保管装置が設けられ、前記薬品分割領域には、前記散薬収容容器から排出された散薬を配分する分配皿と、当該分配皿に投入された散薬を掻き出すための掻出装置と、前記散薬収容容器が載置されると共に前記散薬収容容器に作用して前記散薬収容容器から散薬を排出させる容器載置装置とが設けられ、前記薬品包装領域には、薬品包装装置が設けられ、前記散薬収容容器を移動させるための容器移動装置がさらに設けられ、前記容器移動装置は、前記容器保管装置から所定の前記散薬収容容器を取り出して前記容器載置装置に載置させる動作を実行可能であり、前記容器載置装置に載置された前記散薬収容容器から散薬を排出させて前記分配皿に投入し、前記掻出装置によって前記分配皿の散薬を掻き出して前記薬品包装領域側に落下させ、前記薬品包装装置によって散薬を包装する分包動作が可能であり、各種情報を表示するための表示装置を有し、前記容器保管装置に現在保管されている前記散薬収容容器に収容された散薬に関する情報を前記表示装置に表示することが可能であることを特徴とする薬品払出装置である。
【００１３】
本様相の薬品払出装置は、予め入力された処方情報に基づいて散薬収容容器から所定量の散薬を取り出し、これを所定の数に分割し、さらに個別に包装して排出する薬品払出装置において、容器保管装置から所定の散薬収容容器を取り出して容器載置装置に載置させ、容器載置装置に載置された散薬収容容器から散薬を排出させて分配皿に投入し、分配皿で分割後に分包する動作が可能となっている。
すなわち、散薬の使用量を量り出して散薬収容容器に投入する作業を必ずしも実施する必要がなく、分包動作のさらなる簡易化を図ることができる。
また、本様相の薬品払出装置は、表示装置を備えており、散薬収容容器に収容された散薬の情報を表示することできる。このことから、使用者は、使用する薬品に関する詳細な情報を確認しつつ各種動作を実施可能であり、各種動作において薬品の種類や量を誤るような不具合の発生を抑制できる。
【００１４】
本様相は、各種入力動作を実施するための操作装置を備え、前記操作装置は、前記表示装置と一体に設けられたタッチパネル式のものであり、前記表示装置には、前記分配皿への散薬の排出速度を制御するための速度制御画面を表示可能となっており、前記速度制御画面では、円環状の操作用画像が表示され、当該操作用画像が表示されている領域に触れつつ円周方向になぞる動作が検知されると、なぞる方向及びなぞる距離に応じて目標とする前記排出速度を決定し、決定した前記排出速度となるように散薬の排出動作を実施することが好ましい。
【００１５】
この好ましい様相では、各種入力動作を実施するための操作装置が表示装置と一体化しており、本体等に操作装置の設置領域をわざわざ確保する必要がなく、設計自由度の向上を図ることができる。そして、この好ましい様相では、円環状の操作用画像が表示された状態で、この操作用画像が表示されている領域に触れつつ円周方向になぞると、分配皿に排出（供給）される散薬の排出速度（供給速度）が変化する。このことにより、タッチパネル式の操作装置において、使用者にあたかもダイヤル操作のような操作感を与えることが可能となる。このことにより、速度変更の際の操作性の向上を図ることができる。
なお、散薬の排出速度（供給速度）とは、単位時間あたりの排出量である。すなわち、操作用画像で上記操作を実施することにより、排出量の変更が可能となる。
【００１６】
この様相は、前記速度制御画面では、現在の目標とする前記排出速度を示す値を表示する速度表示用画像がさらに表示されるものであり、当該速度表示用画像は、目標とする前記排出速度が変化したことを条件として、前記操作用画像の外側に一時的に表示されるものであることがさらに好ましい。
【００１７】
この好ましい様相では、速度制御画面で散薬の排出速度（供給速度）を変化させると、操作用画像の外側に速度表示用画像が一時的に表示される。このことにより、使用者は、現在の排出速度（供給速度）を確実に把握することができる。
より詳細に説明すると、操作用画像を指等で触れて操作する場合、指等が表示画面と重なってしまい、排出速度を表示している部分が見え難くなってしまう場合がある。そこで本様相では、指等で触れる部分である操作用画像の外側に速度表示用画像を表示させ、速度変更のための操作中であっても、排出速度を一目で確認することが可能となっている。つまり、排出速度を容易に把握可能とすることで、排出速度の変更操作をやり易くすることができる。
【００１８】
より好ましくは、前記散薬収容容器は、散薬の排出口となる排出口部を有しており、前記速度制御画面では、前記散薬収容容器が前記容器載置装置に載置されたとき、前記容器載置装置に載置された前記散薬収容容器の前記排出口部及びその周辺を撮影した動画像である観察画像をさらに表示可能であり、前記分配皿の回転動作中において、前記排出口部及びその周辺の現在の様子を表示した前記観察画像と、前記操作用画像とが一画面で同時に表示される。
【００１９】
この様相によると、分包動作の実施中において、散薬収容容器の前記排出口部及びその周辺の様子を観察しつつ、散薬の排出速度（供給速度）を変更することができる。すなわち、実際の状況を踏まえつつ排出速度の変更が可能となるので、より適切な排出動作（供給動作）を実施できる。
【００２０】
より好ましくは、目標とする前記排出速度の変化に応じて前記操作用画像の表示色が変化する。
【００２１】
この様相では、現在の排出速度をより把握し易くすることが可能となる。
【００２２】
本様相は、前記分包動作の開始時において、これから実行する前記分包動作に関する情報を記憶する第１履歴記憶動作と、前記分包動作の完了時において、正常に完了した前記分包動作に関する情報を記憶する第２履歴記憶動作とを実行するものであり、前記第１履歴記憶動作で記憶した情報と、前記第２履歴記憶動作で記憶した情報からいずれかを選択し、選択された情報に基づいて前記分包動作を再実行することが可能であることが好ましい。
【００２３】
この好ましい様相では、分包動作の開始時において、これから実行する分包動作に関する情報を記憶する第１履歴記憶動作と、分包動作の完了時において、実施が正常に完了した分包動作に関する情報を記憶する第２履歴記憶動作とを実行する。つまり、分包動作の正常完了時に取得する通常の動作履歴の他、分包動作の開始時に取得する動作履歴を取得し、記憶する。そして、それぞれの動作履歴に基づいて分包動作の再実行が可能となっている。言い換えると、正常に終了した分包動作を過去の情報に基づいて再実行可能とするだけでなく、実行を試みたことのある分包動作を過去の情報に基づいて再実行可能としている。
このことから、何らかの理由で中断してしまった分包動作であっても、その理由が即座に解決できる軽微な理由であれば、即座に問題を解決して再実行するといった運用が可能となる。分包動作で問題が発生したとしても、煩雑な入力操作等を必要とすることなく再実行を実施可能であることから、分包動作をより容易に実施可能となる。
【００２４】
本様相は、前記分包動作において前記散薬収容容器から排出される散薬に関する薬品関連値の理論値を入力、又は、算出可能であり、前記薬品関連値の実測値を前記分包動作の実施中に直接取得、又は、前記分包動作の実施中に直接取得した値から算出可能であって、各種情報を印刷媒体に出力する印刷動作が実行可能であり、当該印刷動作では、前記理論値と前記実測値を出力可能であることが好ましい。
【００２５】
この好ましい様相では、分包動作の結果等を印刷媒体に出力する際、使用した薬品の全量等の動作に関する各値の理論値と、実測値を同じ媒体に印刷可能となっている。このため、使用者は、「理論値」と「実測値」を簡単に比較可能であり、分包誤差の発生の有無や、発生した分包誤差の正確な値を簡単に把握できる。そして、使用者がこのことを踏まえた上で、次回の分包動作を実行可能であるので、より精度の高い分包動作を簡単に実施可能となる。
【００２６】
より好ましくは、前記印刷媒体は、散薬を包装するための薬品袋であり、前記印刷動作で印刷する内容に応じて前記薬品袋の袋長を変更する。
【００２７】
この好ましい様相によると、記載内容の量に応じて印刷媒体である薬品袋の長さを変更することができる。すなわち、印刷された内容を見易くすることが可能となる。
なお、薬品袋とは、処方に関する情報に基づいて作成される袋である。ここで、処方に関する情報とは、患者を特定するための情報、薬品の服用時期、服用量、服用回数、服用間隔等の処方された薬品の用法に関する情報となっている。
つまり、この様相における薬品袋は、所定の個人に対して個別に形成される薬品袋であり、処方に関する情報に応じて基礎となる袋長が決定されるものである。さらに、処方に関する情報に基づき、必要に応じて所定数に区画され、区画されたそれぞれに一服用分ずつの散薬が封止されるものとなっている。
【００２８】
本様相は、前記分配皿への散薬の排出速度を取得可能であり、過去に実施した前記分包動作の進捗に伴う前記排出速度の変化を示すグラフを表示可能であることが好ましい。
【００２９】
この好ましい様相では、分配皿への散薬の排出速度を取得可能であり、過去に実施した前記分包動作の進捗に伴う前記排出速度の変化を示すグラフを表示可能となっている。
このことから、単に散薬の排出が完了したか否かを検出するだけでなく、例えば、散薬の排出が開始されてから終了するまでの間、散薬が滞りなく供給されたか否かを確認することができる。言い換えると、散薬の排出が完了したか否かを確認できるだけでなく、排出過程の状況をも確認することができる。そして、その排出速度の推移をグラフで表示することにより、使用者が排出過程の状況をより確認し易くすることができる。
【００３０】
本様相は、過去に実施した前記分包動作に関する動画像であり、動作中の前記分配皿及び前記分配皿の周辺を撮影した動画像である過去分包画像と、過去に実施した前記分包動作の進捗に伴う前記分配皿への散薬の排出量の推移、又は、進捗に伴う前記分配皿への散薬の排出速度の変化を示すグラフとを表示可能であり、同じ前記分包動作を対象とした前記過去分包画像と前記グラフとが同一画面に表示されることが好ましい。
【００３１】
この好ましい様相では、過去に実施した分包動作に関する動画像と、その過去に実施した分包動作での時間の経過に伴う薬品の供給量の推移（又は薬品の供給速度の変化）を示すグラフとを同一画面に表示することができる。
このことから、使用者は、時間の経過に伴う薬品の供給量や供給速度の推移を確認しつつ、過去の分包動作の具体的な内容を確認することができる。例えば、供給量や供給速度が急激に変化したとき、分配皿の周辺で何が起ったのかを詳細に把握することが可能となる。このように、この好ましい様相によると、過去に実施した分包動作の内容を詳細に検証可能となり、仮に不具合が発生したとしても、原因の特定が容易である。使用者は、このことを踏まえて次回の分包動作を実行可能であるので、より精度の高い分包動作を簡単に実施可能となる。
【００３２】
より好ましくは、前記過去分包画像で表示する前記分包動作の開始時刻から終了時刻までの全体時間と、表示中の前記過去分包画像が前記全体時間内のどの時刻であるのかを示す時間表示部がさらに表示される。
【００３３】
このより好ましい様相では、現在表示している過去の分包動作の内容が、開始時刻から終了時刻までの間のどの時点を表示しているのかを簡単に把握することができる。すなわち、どの時点で何が起ったのか容易に把握することができる。
【００３４】
さらに好ましくは、実施中に不具合が発生した過去の前記分包動作を対象とするとき、前記グラフ上にエラー発生時刻を強調表示するエラー時刻表示動作を実施する。
【００３５】
このさらに好ましい様相では、不具合が発生した時刻を強調表示することにより、過去の分包動作に関する動画像を閲覧する使用者に対し、不具合が発生した時刻及びその付近の時間の動作について、特に注意して見るように促すことができる。すなわち、過去の分包動作で不具合が発生した瞬間の様子や、不具合が発生する直前の様子、不具合の発生後にどうなったか等の重要な内容を、使用者が見逃してしまうことを防止する。
【００３６】
本様相は、内部及び外部に保管された前記散薬収容容器内の散薬の量である在庫量と、将来実施される予定の前記分包動作で使用する散薬の量である予約量とを算出可能であり、前記在庫量と前記予約量を比較する比較動作を実施し、当該比較動作の結果、将来実施される前記分包動作で散薬が不足される場合には、使用者に将来の散薬の不足を報知する報知動作を実施することが好ましい。
【００３７】
この好ましい様相では、将来実施される予定の分包動作で使用される薬品の量を算出し、在庫量と比較する。そして、比較の結果、将来薬品が不足されることが判明した場合には、使用者に将来に薬品の不足を報知する。すなわち、使用者に将来の薬品の不足を気付かせることにより、予め薬品を確保しておくことを促し、薬品の不足を原因とした分包動作の中断を予防することができる。このことにより、分包動作を滞りなく実施可能となる。
【００３８】
さらに好ましくは、現在実施中の前記分包動作の進捗を表示するための分包進捗画面を表示可能であり、前記比較動作の結果、将来実施される前記分包動作で散薬が不足される場合には、この散薬の不足が発生することを報知する第１報知動作を実施するものであり、前記第１報知動作では、前記分包進捗画面の一部を周囲よりも際立たせて表示する動作が実施され、前記第１報知動作で際立たせる部分に対して所定の操作を実施することで、秤量予約通知画面が表示され、前記秤量予約通知画面では、将来実施する前記分包動作で不足する散薬の量である不足量が表示され、前記秤量予約通知画面で所定の操作が行われたことを条件として、所定の前記散薬収容容器に将来不足する散薬を充填するための動作が開始される。
【００３９】
ところで、掻出装置によって散薬を掻き出す際、静電気が発生する等の理由により、掻出装置の散薬を掻き出すための部分に散薬が付着してしまうおそれがある。そして、掻出装置に散薬が付着してしまうと、掻き出す散薬の量が規定量より少なくなってしまい、正確な量の散薬を包装できなくなってしまうおそれがある。
【００４０】
このことから、本様相は、前記掻出装置は、先端側が昇降するアーム部材と、当該アーム部材の先端に設けられた掻寄板と、当該掻寄板から突出する掻出板を備えており、前記分配皿は、環状に連続する溝状部分を備え、前記分包動作では、前記掻寄板を前記分配皿の前記溝状部分に挿入し、前記掻寄板と前記分配皿を相対的に移動させることで前記分配皿の上の散薬を前記掻寄板の近傍に掻き寄せる掻寄動作と、前記掻出板を前記溝状部分の上面に接触させたまま前記溝状部分の周方向を横切る方向に移動させることで前記掻寄板の近傍に掻き寄せられた散薬を前記分配皿の外に掻き出す掻出動作を実施可能であり、散薬を前記分配皿の外に掻き出す動作を実施した後、前記掻出板を前記溝状部分の上面に接触させたまま前記掻出動作の実施時とは逆方向に移動させ、さらにその後、前記掻出動作の同方向に移動させることが好ましい。
【００４１】
この好ましい様相では、散薬を分配皿の外に掻き出す掻出動作を実施した後、掻出装置の掻出板を分配皿の溝状部分の上面に接触させたまま掻出動作の実施時とは逆方向に移動させている。このことにより、掻出板に付着した散薬を分配皿に落とすことが可能となる。そして、その後、掻出板を掻出動作の同方向に移動させる動作を実施することで、分配皿に落とした散薬を掻き出すことが可能となる。すなわち、この好ましい様相によると、掻出板に付着した散薬を分配皿に落とした後に掻き出すことができるので、掻出板に散薬が付着することに起因する掻き出す散薬の量の減少を防止できる。
【００４２】
本様相は、前記掻出装置は、先端側が昇降するアーム部材と、当該アーム部材の先端に設けられた掻寄板と、当該掻寄板から突出する掻出板を備えており、前記分配皿は、環状に連続する溝状部分を備え、前記分包動作では、前記掻寄板を前記分配皿の前記溝状部分に挿入し、前記掻寄板と前記分配皿を相対移動させることで前記分配皿の上の散薬を前記掻寄板の近傍に掻き寄せる掻寄動作と、前記掻寄板の近傍に掻き寄せられた散薬を前記掻出板によって前記分配皿の外に掻き出す掻出動作を実施可能であり、さらに前記掻寄動作と前記掻出動作からなる動作を複数回実施し、前記分配皿の上の散薬を一包分ずつに分割して前記分配皿の外に掻き出す動作が可能であり、当該動作では、散薬の分割数に応じて、一包分の散薬を対象とした前記掻寄動作における前記相対移動の移動距離が可変するものであり、一包分の散薬を対象とした前記掻寄動作における前記相対移動の移動距離に応じて、一包分の散薬を１回の前記掻寄動作と前記掻出動作によって掻き出す単数掻出動作と、一包分の散薬を複数回の前記掻寄動作と前記掻出動作によって掻き出す複数掻出動作のいずれかを実施可能であり、前記複数掻出動作を実施する場合には、先行して実施する前記掻寄動作における前記相対移動の移動距離が、最後に実施する前記掻寄動作における前記相対移動の移動距離よりも長いことが好ましい。
【００４３】
ここで、掻寄板と分配皿を相対移動させて散薬を掻き寄せる際、相対移動させる距離が長くなりすぎると、寄せ集める散薬の量が多くなり、掻き寄せた散薬が掻寄板の周辺だけでなく、掻寄板から離れた位置に達してしまう可能性がある。この場合、掻出動作を実施しても掻寄板から離れた位置の散薬を掻き出せない可能性がある。このことは、掻き出す散薬の量が規定量より少なくなってしまうため、正確な量の散薬を包装するという観点から好ましくない。
【００４４】
そこで、上述の好ましい様相では、相対移動の移動距離に応じて複数掻出動作を実施し、一包分の散薬を複数回に分けて掻き出すので、掻き寄せた散薬を掻寄板の周辺のみに位置させることが可能となる。また、最後の掻出動作のために散薬を掻き寄せるとき、先行する掻出動作のために散薬を掻き寄せるときよりも、相対移動の移動距離を短くしている。つまり、最後の掻出動作のために散薬を掻き寄せるとき、より確実に散薬を掻寄板の周辺のみに位置させることが可能となる。このことにより、散薬が掻寄板から離れた位置に集められて掻き出せないということが無く、正確な量の散薬の包装が可能となる。
【００４５】
さらに好ましくは、前記複数掻出動作では、予め規定した最大の移動量で前記相対移動を実施する前記掻寄動作を伴う最大量掻出動作と、予め規定した最小の移動量で前記相対移動を実施する前記掻寄動作を伴う最小量掻出動作とを実施可能であり、少なくとも１回の前記最大量掻出動作を実施し、一包分の散薬を対象とした前記掻寄動作における前記相対移動の移動距離から前記最大量掻出動作で実施する前記掻寄動作での前記相対移動の移動距離を差し引いた値が所定以上であることを条件として、前記最大量掻出動作で実施する前記掻寄動作での前記相対移動の移動距離よりも少量の移動量で実施する前記掻寄動作と前記掻出動作を実施し、さらに前記最小量掻出動作を実施する。
この好ましい様相によると、より確実に正確な量の散薬の包装が可能となる。
【００４６】
本様相は、前記散薬収容容器は、前記排出口部に形成される排出口を開閉するための蓋部材を有しており、前記容器移動装置は、前記蓋部材を開閉させる蓋係合部と、前記散薬収容容器を密着させた状態で保持可能な容器保持部を備え、前記容器保持部が前記散薬収容容器から離れた位置で前記蓋部材を閉塞させる仮閉塞動作を実施した後、前記容器保持部と前記散薬収容容器を接触させ、前記散薬収容容器を保持させる動作と、前記蓋部材を閉塞させる本閉塞動作とを実施することが好ましい。
【００４７】
この好ましい様相によると、容器移動装置で散薬収容容器を移動させるとき、容器移動装置と散薬収容容器の接触に起因する衝撃で散薬収容容器から散薬がこぼれ出てしまうことがない。このため、分配皿に予期しない散薬が供給されてしまうことがなく、正確な量の散薬の払い出しと、包装が可能となる。
【００４８】
本様相は、前記容器載置装置が複数設けられており、複数の前記容器載置装置に対してそれぞれ別の前記散薬収容容器を載置し、それぞれの前記散薬収容容器から散薬を排出させる動作が可能であって、少なくとも１つの前記散薬収容容器から散薬が排出されている間、散薬の排出が完了した前記散薬収容容器を前記容器載置装置から離れた位置に移動させ、散薬の排出が完了した前記散薬収容容器が載置されていた前記容器載置装置に、新たな前記散薬収容容器を載置させる動作が実施可能であることが好ましい。
【００４９】
この好ましい様相によると、薬品払出装置に設けられた容器載置装置の数以上の散薬を混合して分割、包装する場合においても、容器交換時の散薬のこぼれ等が発生することがなく精度の高い分包動作が実施できる。
【００５０】
本発明に関連するさらに他の様相は、処方に関するデータであって患者に提供されるべき薬剤の情報を含む処方データに基づいて複数台の調剤機器を制御する制御装置と、薬品払出装置を備え、前記薬品払出装置は、散薬収容容器から排出された散薬を配分する分配皿と、前記散薬収容容器が載置されると共に前記散薬収容容器に作用して前記散薬収容容器から散薬を排出させる容器載置装置とが設けられており、前記容器載置装置に載置された前記散薬収容容器から散薬を排出させて前記分配皿に投入し、これを所定の数に分割し、さらに個別に包装して排出するものであり、前記調剤機器には、対象薬剤を秤量するための薬品秤量装置と、前記散薬収容容器を一時的に設置するための仮置台装置とを含むものであり、前記散薬収容容器は、複数の前記散薬収容容器から１の前記散薬収容容器を特定するための情報である容器情報を少なくとも記憶可能な容器側情報記憶手段が設けられ、前記仮置台装置と前記容器載置装置には、前記容器側情報記憶手段に記憶された状態を読み取るための情報読取手段が設けられており、前記仮置台装置に載置した前記散薬収容容器の前記容器情報を前記情報読取手段によって読み取り、読み取った情報を前記薬品秤量装置が一時的又は半永久的に記憶する情報記憶動作と、前記薬品秤量装置が受信した前記容器情報と、前記薬品秤量装置に記憶された秤量した散薬に関する情報とを前記薬品秤量装置から前記薬品払出装置に送信する情報送信動作と、前記薬品払出装置が前記薬品秤量装置から送信された情報と、前記薬品払出装置が予め受信していた前記処方データに基づいて、前記処方データに少なくとも前記容器情報を含む前記薬品秤量装置から受信した情報を関連付けて散薬関連情報を作成する情報作成動作とを実施し、前記仮置台装置に載置されていた前記散薬収容容器を前記容器載置装置に載置させたとき、前記容器載置装置の前記情報読取手段によって前記散薬収容容器の前記容器情報を読み取り、前記容器載置装置の前記情報読取手段が読み取った前記容器情報と、前記散薬関連情報に基づいて後に実施する分包動作と対応する処方を特定し、その後に前記分包動作を実行することを特徴とする散薬調剤業務支援システムである。
【００５１】
本様相では、薬品秤量装置で秤量した薬品を散薬収容容器に収容する際に、散薬収容容器を専用の仮置台装置に載置する。このことにより、散薬収容容器を机の上等に直接載置する場合に比べ、散薬収容容器の姿勢を安定させた状態で薬品の収容が可能となる。
また、散薬収容容器を仮置台装置に載置するときに容器を特定するための容器情報を取得しており、この容器情報を処方データに関連付けることで散薬関連情報を作成している。そして、散薬収容容器を容器載置装置に載置させたとき、再度容器情報を読み取り、散薬関連情報と照合することで、散薬収容容器に収容した薬品を使用する処方を特定している。すなわち、散薬収容容器に収容した薬品を使用する処方を特定する動作を実施した後、その処方に応じた分包動作を実施する構成となっている。このことにより、処方で提供されない薬品を収容した散薬収容容器を誤って使用してしまうといったことが無く、より確実に所定の処方に応じた分包動作を実施可能となる。
【発明の効果】
【００５２】
本発明によると、分包動作のさらなる簡易化が可能であり、予期しない不具合の発生をより抑制可能な薬品払出装置を提供できる。
【図面の簡単な説明】
【００５３】
【図１】本発明の実施形態に係る薬品払出装置を示す斜視図である。
【図２】図１の本体装置の筐体を透過して示す斜視図である。
【図３】図１の本体装置を別角度から見た様子を示す斜視図であり、扉部が開いた状態を示す。
【図４】図２の薬品分割領域を拡大して示す斜視図である。
【図５】本実施形態の散薬カセット実装マスタ画面を示す図である。
【図６】本実施形態の薬品マスタ画面を示す図である。
【図７】本実施形態の患者マスタ画面を示す図である。
【図８】本実施形態の処方入力画面を示す図である。
【図９】本実施形態の簡単入力画面を示す図である。
【図１０】本実施形態の形態選択画面を示す図である。
【図１１】本実施形態の散薬カセット選択画面を示す図である。
【図１２】図１１のＡ部分を拡大して示す図である。
【図１３】図１１の散薬カセット選択画面において文字入力部に入力が行われた状態を示す図である。
【図１４】本実施形態の欠カセット通知画面を示す図である。
【図１５】本実施形態の分包進捗画面を示す図である。
【図１６】図１５の分包進捗画面で表示されたグラフを拡大して示す図である。
【図１７】本実施形態の速度制御画面を示す図である。
【図１８】図１７の速度制御画面において、速度操作部を操作する様子を示す説明図であり、（ａ）は速度操作部に指が触れた状態を示し、（ｂ）は（ａ）の状態から指が移動した後の様子を示す。
【図１９】図１７の速度制御画面の一部を拡大して示す図であり、速度表示部が表示された状態を示す。
【図２０】図１７の速度制御画面の一部を拡大して示す図であり、速度操作部の操作中に速度表示部が表示されている様子を示す図である。
【図２１】図１７の速度制御画面で全画面表示操作が実行された状態を示す図である。
【図２２】本実施形態のレイアウト設定画面を示す図である。
【図２３】本実施形態の秤量予約通知画面を示す図である。
【図２４】図２３の秤量予約通知画面で表示されるグラフ部分を示す図である。
【図２５】本実施形態の処方履歴一覧画面を示す図である。
【図２６】図２５の処方履歴一覧画面において、処方表示領域に処方がリスト表示された状態を示す図である。
【図２７】本実施形態の秤量履歴画面を示す図である。
【図２８】本実施形態の過去動画表示画面を示す図である。
【図２９】本実施形態の分包履歴表示画面を示す図である。
【図３０】図１７とは異なる速度制御画面の一部を示す図である。
【図３１】図１の薬品払出装置を制御装置等と連動させて構築する散薬調剤業務支援システムを示すブロック図である。
【図３２】図４の掻出装置の具体的な構造を示す斜視図である。
【図３３】図１の薬品払出装置において、一包分の散薬を掻寄板の近傍に掻き寄せた後に分配皿の外部に掻き出す動作を示す説明図であり、（ａ）〜（ｃ）の順で散薬の掻き寄せが実施される。
【図３４】図１の薬品払出装置において、一包分の散薬を分配皿の外部に掻き出す動作を示す説明図であり、（ａ）〜（ｄ）の順で散薬の掻き出しが実施される。
【図３５】本実施形態の薬品払出装置とは異なる動作を示す説明図であり、（ａ）は分配皿を半周回転させる動作を示す図であり、（ｂ）は（ａ）の動作の終了後の掻寄板の周辺を示す図である。
【図３６】一包分を対象とした散薬を掻き出す掻出動作を実行するときの手順を示すフローチャートである。
【図３７】図１の薬品払出装置で採用する自動式薬品容器を示す斜視図であり、容器保持台に載置された状態を示す。
【図３８】図３７で示す自動式薬品容器の断面図であり、（ａ）は蓋部材が開いた状態を示し、（ｂ）は蓋部材が閉じた状態を示す。
【図３９】図２で示される容器移動装置を示す斜視図である。
【図４０】図３９で示されるアーム部の先端側部分を示す斜視図であり、（ａ）は容器保持部の吸着面が水平となる姿勢を示し、（ｂ）は容器保持部の吸着面が直立する姿勢を示す。
【図４１】図３９で示されるアーム部の先端側部分で自動式薬品容器を容器保持台から移動させる様子を示す説明図であり、アーム部の先端側部分を自動式薬品容器の上方に離れた位置に配して蓋部材を閉塞させる様子を示す。
【図４２】図４１に続いてアーム部の先端側部分で自動式薬品容器を容器保持台から移動させる様子を示す説明図であり、（ａ）はアーム部の先端側部分を自動式薬品容器から一旦離間させる様子を示し、（ｂ）はアーム部の先端側部分を自動式薬品容器に接触させて蓋部材を閉塞させる様子を示す。
【図４３】全ての容器保持台に自動式薬品容器を載置して分配皿に散薬を排出させる動作中において、１つの自動式薬品容器を交換する様子を示す説明図であり、（ａ）〜（ｃ）の順で自動式薬品容器を交換する。
【図４４】本実施形態の散薬分包装置が実施する印字動作により出力される紙媒体の一例を示す説明図である。
【図４５】図２７とは異なる形態の秤量履歴画面を示す図である。
【図４６】図１とは異なる手動式薬品容器を示す斜視図である。
【図４７】図４６で示される手動式薬品容器の貯留空間形成部材を示す分解斜視図である。
【図４８】図４６で示される手動式薬品容器の断面図であり、蓋部を省略して示す。
【図４９】図４６で示される手動式薬品容器の底部形成部材を示す分解斜視図である。
【図５０】貯留空間形成部材を底部形成部材に取り付ける様子を示す説明図であり、蓋部を省略して示す。
【図５１】図４６で示される手動式薬品容器を仮置台に載置する様子を示す説明図であり、手動式薬品容器を透過させると共に蓋部を省略して示す。
【発明を実施するための形態】
【００５４】
以下、添付した図面を参照しつつ本発明の実施形態について詳細に説明する。なお、以下の実施形態は、本発明を具体化した例であり、本発明がこれらの例に限定されるものではない。
【００５５】
本実施形態の散薬分包装置１（薬品払出装置）は、図１で示されるように、本体装置２と、操作表示部３（表示装置，操作装置）、制御部（図示しない）、手動式薬品容器５、薬品秤量装置６、ジャーナルプリンタ７、バーコードリーダー８を備えた構造となっている。
この散薬分包装置１は、操作表示部３を操作することにより、薬品容器（散薬収容容器であり、後述する自動式薬品容器４、又は上記した手動式薬品容器５）に収容された散薬を自動的に取り出して計量し、所定数に分割して分包する装置である。
【００５６】
本体装置２は、筐体１０に各種機器が内蔵されて形成されており、具体的には、図２で示されるように、筐体１０の内部に薬品容器配置領域１２、薬品分割領域１３、薬品包装領域１４がそれぞれ設けられている。この筐体１０の内部には、除湿装置（図示しない）と温度調節器（図示しない）が設けられており、内部の温度と湿度を一定範囲に維持することが可能となっている。
【００５７】
筐体１０のうちで薬品容器配置領域１２の外側壁面を形成する部分には、図１、図３で示されるように、扉部１６が設けられている。
扉部１６は、自動式薬品容器４を筐体１０に出し入れするための部分であり、その内側に自動式薬品容器４を仮置きするための容器仮置部１８が設けられている。この扉部１６及び容器仮置部１８は、筐体１０の内部に薬品容器を導入する際の導入部として機能すると共に、筐体１０の内部から薬品容器を取り出す際の取出部としても機能する。
【００５８】
容器仮置部１８は、自動式薬品容器４を機械的な係合によって保持可能な部分であり、自動式薬品容器４を載置することで、自動式薬品容器４と容器仮置部１８が係合状態となる。反対に、自動式薬品容器４と容器仮置部１８が係合状態であるとき、自動式薬品容器４を持ち上げることにより、これらが係合解除状態となる。すなわち、自動式薬品容器４を容器仮置部１８から離脱させることが可能となる。
【００５９】
この容器仮置部１８には、自動式薬品容器４から情報を読み取るための情報読取手段と、自動式薬品容器４の重量を測定するための重量測定手段とが設けられている。
【００６０】
薬品容器配置領域１２には、図２で示されるように、自動式薬品容器４を保持する容器保管部２３（容器保管装置）が設けられている。なお、図２では一部の自動式薬品容器４にのみ符号を付し、他の自動式薬品容器４への符号を省略している。
容器保管部２３は、直立した姿勢で設置されるドラム部材２５を備えており、このドラム部材２５が縦方向に延びる回転軸を中心として回転可能となっている。つまり、縦型のドラム部材２５がモータ等を動力原として水平方向に回転可能な状態となっている。
【００６１】
このドラム部材２５の外周面には、複数の容器設置部が設けられており、この容器設置部に自動式薬品容器４が保持された状態となっている。
それぞれの容器設置部は、機械的な係合によって自動式薬品容器４を保持するものであり、自動式薬品容器４を押し込むことで、自動式薬品容器４と容器設置部が係合状態となる。反対に、自動式薬品容器４と容器設置部が係合状態であるとき、自動式薬品容器４を外側に引っ張ることにより、これらが係合解除状態となる。
【００６２】
本実施形態では、図２で示されるように、ドラム部材２５が縦方向で３分割されており、分割されたそれぞれの領域に複数の容器設置部が形成されている。言い換えると、１１個の容器設置部からなる群が３段に亘って設けられている。すなわち、容器保管部２３は、全体で３３個の自動式薬品容器４を保持可能となっている。
【００６３】
この容器設置部は、外側に向かって突出する突出部材を備えた構造となっており、自動式薬品容器４が正規の姿勢で取り付けられると、この突出部材が没入する構造となっている。
【００６４】
また、ドラム部材２５の内部と外側には、それぞれ光センサーが設けられており、容器設置部の突出部材が突出しているか否かを検知可能となっている。
【００６５】
なお、薬品容器配置領域１２には、ドラム部材２５の近傍に情報読取手段（図示しない）が設けられている。このため、ドラム部材２５に保持されたそれぞれ自動式薬品容器４から情報の取得が可能となっている。より詳細には、それぞれの自動式薬品容器４に取り付けられた容器側情報記憶手段（詳しくは後述する）から情報の取得が可能となっている。
【００６６】
薬品容器配置領域１２から薬品分割領域１３に至る領域には、容器移動装置２８が設けられている。容器移動装置２８は、アーム部３０と昇降機構３１を備えた構造となっており、昇降機構３１によってアーム部３０が鉛直方向に移動可能となっている。
また、アーム部３０の先端部分には磁石が設けられており、自動式薬品容器４に一体に取り付けられた鉄板を吸着することで、自動式薬品容器４を保持可能となっている。
【００６７】
薬品分割領域１３では、正面ドア３４（図１参照）の後方側に位置する空間内に、図４で示されるように、分配皿３５と、容器保持台３６（容器載置装置）と、掻出装置３７と、清掃装置３８と、薬品導入口３９と、カメラ部材４０が設けられている。
より具体的に説明すると、薬品分割領域１３では、並列する２つの分配皿３５がそれぞれ埋没状態で設置されている。
【００６８】
それぞれの分配皿３５の周辺には、容器保持台３６と、掻出装置３７と、清掃装置３８が設けられている。そして、１つの分配皿３５に、３つの容器保持台３６と、１つの掻出装置３７と、１つの清掃装置３８が対応付けられている。
【００６９】
また、分配皿３５の周辺であり、２つの分配皿３５の間には、薬品包装領域１４に一包分ずつ散薬を供給するための薬品導入口３９が設けられており、この薬品導入口３９と隣接する位置に仕切板装置４１が設けられている。
仕切板装置４１は、箱状の本体部と、この本体部に対して出没可能に取り付けられた立板部とを備えている。そして、立板部の大部分が本体部から外部に突出した突出状態と、立板部が本体内に収納された収納状態とを切替え可能となっている。
【００７０】
ここで、各分包動作（詳しくは後述する）において、一方の分配皿３５で配分した散薬を掻出装置３７ですくい上げ、薬品導入口３９に投入するとき、投入する散薬の種類によっては、散薬が必要以上に遠くまで飛んでしまうことが考えられる。すなわち、散薬が他方側の分配皿３５まで飛んで行ってしまうことが考えられる。
そこで、本実施形態の散薬分包装置１では、仕切板装置４１を突出状態とすることで、散薬が他方側の分配皿３５まで飛んで行くことを防止している。すなわち、仕切板装置４１の立板部を遮断壁のように機能させ、散薬が他方側の分配皿３５まで飛んで行くことを防止している。
【００７１】
分配皿３５は、円環状に連続する薬品投入溝が設けられており、図示しない回転機構によって、回転可能な状態となっている。
【００７２】
容器保持台３６は、振動台部と、重量測定手段とを備えた構造となっている。
【００７３】
振動台部には、薬品容器（自動式薬品容器４又は手動式薬品容器５）を保持するための容器保持手段が設けられている。なお、本実施形態では、容器保持手段として磁石（電磁石）を採用している。
【００７４】
重力測定手段は、薬品容器の重量を直接又は間接的に測定するものである。
【００７５】
このことから、容器保持台３６に薬品容器を載置することで、薬品容器を振動させ、薬品容器に収容された散薬を分配皿３５に排出することが可能となる。そして、この散薬の排出に伴う薬品容器の重量変化を重力測定手段によって検知可能となっている。
【００７６】
カメラ部材４０は、容器保持台３６の周囲を撮影可能な位置に設置されており、容器保持台３６に載置された薬品容器の薬品排出部（排出口部、詳しくは後述する）の周辺を撮影する撮像装置として機能するものである。このカメラ部材４０には、例えば、ＣＣＤカメラ等のデジタル撮像器が好適に採用可能となっている。
本実施形態では、片側の分配皿３５に隣接する容器保持台３６の周辺を撮像するカメラ部材４０と、他方側の分配皿３５に隣接する容器保持台３６の周辺を撮像するカメラ部材４０が別途設けられており、それぞれ撮像動作を別途実行可能となっている。
【００７７】
薬品包装領域１４には、公知の薬品包装装置と、印字手段とが設けられている。
薬品包装装置は、薬品を一包分ずつ包装するための機械であり、シート供給装置と、シール装置によって形成されている。すなわち、シート供給装置から供給されたシートを袋状に形成して分包袋を作成すると共に、作成した分包袋で薬品分割領域１３から供給された散薬シール装置によって一服用分ずつシールし包装する動作が可能となっている。
印字手段は、分包袋に対して所定の情報を印字するための機械である。
【００７８】
自動式薬品容器４は、外形が略直方体状の容器であり、内部に収容した散薬又は粉末状の薬品を外部に排出するための薬品排出部１８７（図３７、図３８等参照）が設けられている。この薬品排出部１８７、開口状の部分であり、内外を連通している。なお、この薬品排出部１８７は、周辺の部材を取り外すことでより大きく開口し、薬品を導入するための薬品投入部として機能する部分でもある。
また、この自動式薬品容器４には、異なる二面にそれぞれ鉄板が取り付けられている。一方の面に設けられた鉄板は、アーム部３０で自動式薬品容器４を保持する際、アーム部３０の磁石に吸着させるための部分である。また、他方の面に設けられた鉄板は、後述する容器保持台３６に設置するとき、容器保持台３６の磁石に吸着させるための部分である。
加えて、この自動式薬品容器４にはＲＦＩＤタグが設けられており、収納された薬品に関する情報を記憶可能となっている。すなわち、このＲＦＩＤタグが容器側情報記憶手段として機能する。
【００７９】
操作表示部３は、所謂タッチパネルであり、液晶パネル等の表示装置と、タッチパッド等の位置入力装置を組み合わせて形成されたものである。
本実施形態の散薬分包装置１は、この操作表示部３に各種画面を表示し、指やタッチペン等の誘電体（以下、単に指等とも称す）で所定の部分に触れる操作を行うことで、後述する各種動作を実行可能となっている。
【００８０】
制御部は、ＣＰＵ、ＲＯＭ、ＲＡＭ（ＥＥＰＲＯＭ）、データ記憶部を備えている。
ＣＰＵは、各種の演算処理を実行するプロセッサーである。ＲＯＭは、ＢＩＯＳ等のプログラムが予め記憶された不揮発性メモリであり、ＲＡＭは、各種プログラムの展開及びデータの一時記憶に用いられる揮発性メモリ又は不揮発性メモリとなっている。
【００８１】
データ記憶部は、各種プログラムやデータが記憶されたＨＤＤ（Ｈａｒｄ  Ｄｉｓｋ  Ｄｒｉｖｅ）等の記憶装置である。より詳細には、薬品に関する各種情報を記憶する「薬品マスタ」、賦形動作が必要な薬品に関する情報を記憶する「賦形薬品マスタ」、薬品の常用量に関する情報を記憶する「常用量マスタ」、薬品を処方された患者に関する情報を記憶する「患者マスタ」、薬品を処方される患者の平均体重に関する情報を記憶する「平均体重マスタ」等の各種データベースが記憶されている。
付言すると、これらのデータベースに記憶された情報は、適宜関連付けられた状態で記憶されている。
【００８２】
手動式薬品容器５は、略直方体状の容器であり、自動式薬品容器４と略同じ構造となっている。この手動式薬品容器５は、薬品排出部とは別位置に薬品投入部を設けている点で、自動式薬品容器４とは異なっている。
すなわち、手動式薬品容器５では、薬品投入部が手動式薬品容器５の上部に設けられている。この薬品投入部は、内外を連通する貫通孔状の部分であり、外側部分が内側部分よりも断面積が大きくなるように形成されている。
【００８３】
薬品秤量装置６は、天秤台と、ＲＦＩＤリーダライタを備えている。そして、薬品秤量装置６に薬品容器を載置することで、薬品容器の重量を測定可能であり、薬品容器に設けられたＲＦＩＤタグに対して情報の読み込み及び書き込みが実施可能となっている。
換言すると、薬品秤量装置６は、薬品容器の重量を測定する重量測定手段と、薬品容器の容器側情報記憶手段に対して情報の読み取り及び書き込みを実施する情報読込手段及び情報書込手段を備えた構造となっている。
【００８４】
ジャーナルプリンタ７は、分包動作の履歴や処方の記録といった、各種情報を紙等の媒体に印字して出力するための装置である。
【００８５】
バーコードリーダー８は、薬品の元箱や薬瓶等に記されているバーコードを読み取り可能なものである。
【００８６】
本体装置２に内蔵されたセンサー、カメラ部材等の各種機器、薬品秤量装置６、ジャーナルプリンタ７、バーコードリーダー８は、上記した制御部との間で各種情報を送受信可能な状態となっている。すなわち、これらはＬＡＮ等の通信ネットワークで接続された状態となっており、信号の送受信が可能な状態となっている。
【００８７】
続いて、本実施形態の散薬分包装置１の実施可能な動作について説明する。
【００８８】
本実施形態の散薬分包装置１では、各種データベースに対して、情報の追加、削除、変更を実施する「データベース編集動作」と、散薬を一服用分ずつ分包する「分包動作」と、各種書類を発行する「印字動作」と、将来実施される分包動作で不足する薬品を報知する「予約管理動作」と、過去に実施された分包動作の内容を検証する「分包検証動作」と、分包動作を正常に実行するための「メンテナンス動作」と、過去に発行した履歴に基づいて分包動作を再実施する「再分包動作」を実施可能となっている。
［データベース編集動作］
【００８９】
本実施形態の散薬分包装置１では、各種データベースに対応する画面を表示させ、それぞれのデータベースに対する情報の追加、削除、変更が可能となっている。
具体的には、散薬カセット実装マスタ画面（図５参照）と、薬品マスタ画面（図６参照）と、患者マスタ画面（図７参照）と、賦形薬品マスタ画面（図示せず）と、常用量マスタ画面（図示せず）と、平均体重マスタ画面（図示せず）とを含む各種画面を表示可能となっている。そして、各々の画面、又は、各々の画面を操作することで表示される他画面から情報の追加、削除、変更が可能となっている。
ここで、各々の画面には、それぞれ「ＣＳＶ出力」ボタンと、「印刷」ボタンが設けられている。これらのボタンは、表示されている部分に触れる（以下、画面に表示されたボタン状の部分に使用者が触れることを「押下する」とも称す）ことで、データベースに登録された内容をＣＳＶファイルで出力、又は、紙等の媒体に印字して出力することが可能となっている。
【００９０】
散薬カセット実装マスタ画面（図５参照）は、薬品容器（自動式薬品容器４）に収容された薬品の情報を記憶するデータベースに対応する画面となっている。
なお、この画面では、薬品毎に、薬品コード、薬品名、最大実装量、充填基準量、使用量、在庫量、製造番号、使用期限等の情報を登録可能となっている。
【００９１】
薬品マスタ画面（図６参照）は、薬品に関する情報を記憶するデータベースに対応する画面となっている。このデータベースの登録対象は、医師から処方される可能性のある薬品であり、薬品容器への収納、未収納に関わらず登録対象となる。つまり、散薬カセット実装マスタ画面が薬品容器に収容された薬品を対象とするのに対し、薬品マスタ画面は、処方される可能性のある全ての薬品を対象としている。
この薬品マスタ画面（図６参照）では、薬品毎に、薬品コード、薬品名、単位コード、刻印、棚ナンバー（収納されている棚の管理番号）、管理フラグ（取扱いに特別な管理が必要か否か）、薬品名（略称）、洗い対象か否か（分配皿３５の清掃動作が必要な薬品であるか否か）、安定係数、比重、振動係数、イメージ画像等の情報を登録可能となっている。
【００９２】
患者マスタ画面（図７参照）は、薬品が処方された患者に関する情報を記憶するデータベースに対応する画面となっている。
この患者マスタ画面（図７参照）は、患者毎に、患者ＩＤ、患者名（漢字）、患者名（カナ）、生年月日、病棟名、申し送り事項、住所、電話番号、ＦＡＸ番号等の情報を登録可能となっている。
なお、「病棟名」とは、患者が受診した診療科が属する病棟名であり、必要に応じて入力する。
【００９３】
なお、賦形薬品マスタ画面（図示せず）は、増量、希釈等のために添加剤を加えて処方される薬品に関する情報を記憶するデータベースに対応する画面である。
常用量マスタ画面（図示せず）は、年齢や体重等に関連して決定される薬品の服用量に関する情報を記憶するデータベースに対応する画面である。
平均体重マスタ画面（図示せず）は、所定の年齢の範囲に対応する平均体重に関する情報を記憶するデータベースに対応する画面である。
［分包動作］
【００９４】
本実施形態の散薬分包装置１は、予め実施された「処方入力動作」で入力された処方に関する情報を必要に応じて参照しつつ、薬品を一服用分ずつ包装する分包動作を実施可能となっている。
より詳細には、容器保管部２３に保持された自動式薬品容器４に収容された散薬を分包する「第１分包動作」と、外部の管理棚に収納された自動式薬品容器４に収容された散薬を分包する「第２分包動作」と、手動式薬品容器５に収容された散薬を分包する「第３分包動作」を実施可能となっている。
【００９５】
それぞれの分包動作に際して、散薬分包装置１は、自動式薬品容器４を容器保管部２３に収容する動作、容器保管部２３から自動式薬品容器４を取り出す動作、取り出した自動式薬品容器４を分配皿３５の近傍に移動させる動作、自動式薬品容器４を容器保持台３６に載置する動作、所定量の薬品を分配皿３５に投入する動作、分配皿３５から薬品を一服用分ずつ薬品分包装置に供給する動作、自動式薬品容器４を容器保管部２３に戻す動作を自動的に行うことが可能となっている。
【００９６】
ところで、「第１分包動作」、「第２分包動作」が実施される場合には、処方に関する情報に基づいて使用する薬品容器を選択する「カセット選択動作」を実施し、選択された薬品容器を使用してそれぞれの分包動作を実施する構成となっている。
【００９７】
ここで、「第１分包動作」を実施する際、「カセット選択動作」で選択した自動式薬品容器４がドラム部材２５に保持されていなかった場合には、使用者にその旨を通知する「カセット欠如報知動作」が実施される。この場合、必要に応じて自動式薬品容器４をドラム部材２５に保持させる「充填動作」を実施した後に、第１分包動作を再度実施することが可能となっている。
【００９８】
これら「処方入力動作」、「カセット選択動作」、「充填動作」、「第１分包動作」、「第２分包動作」、「第３分包動作」につき、それぞれ詳細に説明する。
［処方入力動作］
【００９９】
処方入力動作は、操作表示部３に処方入力画面（図８参照）を表示させ、処方に関する情報を入力する動作である。
なお、処方入力動作では、入力された情報を所定のデータベースに自動的に登録する登録動作が必要に応じて実施される。
【０１００】
処方入力画面には、それぞれの項目に対応する入力欄が設けられており、患者ＩＤ、患者名といった患者に関する情報、薬品を処方した医師が属する医療機関や診療科に関する情報、処方された薬品の薬品名、用法、用量といった薬品に関する情報が入力可能となっている。
【０１０１】
本実施形態の散薬分包装置１は、薬品名をリストから選択可能な入力補助機能を備えている。具体的には、簡単入力画面（図９参照）を表示させ、リストから薬品名を選択することで、薬品名の入力が可能となっている。
【０１０２】
簡単入力画面には、検索に使用する文字列を入力するための文字入力部４５と、検索条件を設定するための設定ボタン４６とが設けられている。
そして、使用者が文字入力部４５に所定の文字列を入力する、及び／又は３つの設定ボタン４６のいずれかを押下することで、リストに挙げる薬品を絞り込み可能となっている。そして、リスト表示された薬品名のいずれかを押下することで、薬品名が選択されることとなる。
【０１０３】
文字入力部４５は、薬品を特定するキーワードとして使用する文字又は文字列（以下、単に文字列等とも称す）を入力するための部分である。この文字入力部４５に文字列等を入力すると、入力された文字列等から始まる薬品だけがリスト表示された状態となる。例えば、文字入力部４５に「ア」という文字を入力した場合、薬品名の最初の文字が「ア」となる薬品のみがリスト表示されるといった具合である。
つまり、本実施形態の散薬分包装置１は、文字入力部４５に入力された文字列等と、薬品名を仮名読みしたときの文字列を比較する比較動作を実施する。そして、薬品名を仮名読みしたときの文字列が入力された文字列等から始まる薬品だけをリストに表示する表示動作を実施する。
【０１０４】
本実施形態では、文字入力部４５に文字列を入力していくとき、１文字入力する毎にリストの表示内容が変更される構成となっている。
具体的に例を挙げて説明すると、仮に文字入力部４５に対して「アイウ」という文字列を入力するとき、まず「ア」という文字の入力後に、薬品名の最初の文字が「ア」となる薬品のみ表示された状態となる。そして、「ア」に続いて「イ」が入力され、文字入力部４５に入力された文字列「アイ」となったとき、薬品名の最初の文字が「ア」であり、二文字目が「イ」である薬品のみが表示された状態となる。つまり、薬品名を仮名読みしたときの文字列が「アイ」から始まる薬品のみが表示される。このように、文字入力部４５に文字列を入力していくと、一文字入力する毎にリストの表示が切り替わっていく構造となっている。
【０１０５】
設定ボタン４６は、「散薬」ボタン、「錠剤」ボタン、「カセット」ボタンから構成されており、いずれか１つのボタンが押下されることで、検索対象となる薬品の種別が決定される。
すなわち、「散薬」ボタンが押下されると、全ての薬品うちで散薬だけがリストに表示されることとなる。同様に、「錠剤」ボタンが押下されると、全ての薬品うちで錠剤だけがリストに表示され、「カセット」ボタンが押下されると、すでに自動式薬品容器４に収容されている薬品のみがリストに表示されることとなる。
【０１０６】
ここで、文字入力部４５に何も入力されず、設定ボタン４６のいずれかが押下された場合、押下された設定ボタン４６に対応する薬品のみがリストに表示されることとなる。対して、文字入力部４５に文字列が入力され、設定ボタン４６のいずれかが押下された場合は、押下された設定ボタン４６に対応する薬品であり、且つ、薬品名が入力された文字列から始まる薬品がリストに表示される。
つまり、文字入力部４５と設定ボタン４６のいずれか一方又は双方を操作することで設定された条件を満たす薬品のみがリストに表示されることとなる。
【０１０７】
このように、簡単入力画面では、リストに挙げる薬品の数を特定の条件に基づいて減少させる動作が可能となっており、名称に特定の文字列を含むこと、散薬であること、錠剤であること、すでに自動式薬品容器４に収容されていること等の条件を満たす薬品のみをリストに挙げることが可能となっている。また、当然のことながら、洗い対象の薬品はリストに挙げないといった具合に、条件を満たす薬品をリストに挙げないといった絞り込みも可能となっている。
【０１０８】
なお、「洗い対象の薬品」とは、分配皿３５において、他の薬品に対する意図しない混入（所謂コンタミネーション）が発生してしまったとき、重篤な事態の発生が予測される薬品であり、分包動作の前後いずれかにおいて分配皿３５の清掃動作（詳しくは、後述する）が必要とされる薬品となっている。
具体的に説明すると、所定の分包動作に続いて他の分包動作を実施した場合、先行して実施した分包動作で分配皿３５に排出した薬品が、分配皿３５の上に僅かに残留してしまう可能性がある。この場合、引き続いて他の分包動作を実施してしまうと、上記した薬品の混入（所謂コンタミネーション）が発生してしまう可能性がある。そこで、意図しない薬品混入の発生が重篤な事態を引き起こす可能性のある薬品を洗い対象の薬品として指定可能とし、分包動作で使用する際に、清掃動作の実施を促す構成となっている。
【０１０９】
ところで、本実施形態の散薬分包装置１では、初期状態（出荷時の状態）において、データベースに登録された全ての薬品が洗い対象の薬品、すなわち、分包動作の前後いずれかにおいて分配皿３５の清掃動作（詳しくは、後述する）が必要な薬品に設定されている。つまり、分包動作を実施すると、必ず分配皿３５の清掃動作が実施される設定となっている。
【０１１０】
そして、本実施形態では、使用者が所定の操作を実施することにより、この設定を変更可能となっている。すなわち、処方入力画面で表示される薬品を洗い対象とするか否かを適宜選択可能となっている。
また、表示された薬品を洗い対象とした場合には、清掃動作を実施する時期を設定可能となっている。すなわち、分包動作前に清掃動作が必要か否かと、分包動作後に清掃動作が必要な否かを設定することができる。
【０１１１】
本実施形態の散薬分包装置１は、この設定された薬品の情報に基づいて清掃動作が必要か否かを自動的に判別し、必要な場合には自動的に清掃動作を実施する構成となっている。
すなわち、本実施形態の散薬分包装置１は、薬品を選択して分包動作を開始したとき、清掃動作の実施が必要であるか否かを自動的に判別する。より詳細には、データ記憶部に記憶された設定の結果に基づいて、その薬品が分包動作前の清掃動作が必要か否かを判別し、且つ、分包動作後の清掃動作が必要か否かを判別する。
なお、通常では、毒薬、麻薬、向精神薬、劇薬、色付きの薬品、分配皿３５に付着し易い薬品等（洗い対象の薬品）を使用した後には、清掃動作が必要とされている。
【０１１２】
そして、いずれか一方又は双方の清掃動作が必要であると判別した場合、自動的に清掃動作を実施する。このことにより、分包動作を実施する毎に清掃動作を実施するか否かを手動で設定するような構成に比べ、分包動作時にかかる手間を削減できるため好ましい。
【０１１３】
さらに、処方入力画面（図８参照）では、服用時期、服用回数、服用間隔等の処方された薬品の用法に関する情報と、処方された薬品の分包形態を入力可能となっている。
【０１１４】
薬品の用法に関する情報は、用法コードによる入力が可能となっており、用法コードを入力すると、関連付けられた服用時期、服用回数、服用間隔が自動的に入力されることとなる。
【０１１５】
薬品の分包形態は、処方された薬品を一服用分ずつ分包する際に、どのような分包動作で分包するのかを選択する項目である。この分包形態は、「つぶし」、「自動カセット」、「手撒きカセット」からなる項目群からいずれかが選択され、入力されることとなる。
【０１１６】
「つぶし」とは、錠剤を潰して粉末状にした後に分包する形態である。すなわち、処方された薬品が錠剤であり、粉末状にした錠剤を手動式薬品容器５に導入して分包動作を実施する場合に選択される項目である。
【０１１７】
「自動カセット」とは、自動式薬品容器４に収容されている散薬を分配皿３５に供給して分包する形態である。すなわち、処方された薬品がすでに自動式薬品容器４に収容されており、自動式薬品容器４に収容された薬品を分包動作に使用する場合に選択される項目である。
【０１１８】
「手撒きカセット」は、手動式薬品容器５に散薬を導入して分包する形態である。すなわち、処方された薬品を薬剤師が手動で手動式薬品容器５に導入して分包動作を実施する場合に選択される項目である。
【０１１９】
本実施形態では、薬品名に「錠剤」に該当する薬品名が入力された場合、自動的に「つぶし」が選択される構成となっている。
【０１２０】
対して、薬品名に「散薬」に該当する薬品が入力された場合、散薬分包装置１は、入力された薬品が容器保管部２３の自動式薬品容器４に収容されている薬品か否かを判別する判別動作を実施する。すなわち、散薬分包装置１は、入力された情報とデータ記憶部に記憶された情報（又はセンサによって取得した情報）を比較し、処方された薬品が自動式薬品容器４に収容されているか否かを自動的に判別する。
【０１２１】
そして、判別の結果、自動式薬品容器４に収納された薬品である場合には、自動的に「自動カセット」が選択され、そうでない場合には、自動的に「手撒きカセット」が選択された状態となる。
【０１２２】
本実施形態では、使用者が操作表示部３を操作することにより、自動的に選択された分包形態を変更可能となっている。
具体的に説明すると、本実施形態の散薬分包装置１では、形態選択画面（図１０参照）を表示させ、「自動カセット」ボタンと「手撒きカセット」ボタンのいずれかを押下することで項目の変更が可能となっている。すなわち、「自動カセット」ボタンを押下すると、「自動カセット」が選択された状態となり、「手撒きカセット」ボタンを押下すると、「手撒きカセット」が選択された状態となる。
［カセット選択動作］
【０１２３】
本実施形態の散薬分包装置１は、処方された薬品が「散薬」であり、処方入力画面で選択された分包形態が「自動カセット」である場合、第１分包動作又は第２分包動作を実施して一服用分ずつ分包することが可能となっている。
そして、第１分包動作又は第２分包動作を実施する場合、分包対象となる薬品が収容された自動式薬品容器４を選択するカセット選択動作を実施し、選択した自動式薬品容器４を使用して分包動作を実施する。すなわち、カセット選択動作で使用する自動式薬品容器４を選択し、選択した自動式薬品容器４を使用して分包動作を実施する構成となっている。
【０１２４】
散薬分包装置１では、散薬カセット選択画面（図１１参照）を操作表示部３に表示させ、この画面で自動式薬品容器４を選択可能となっている。
この散薬カセット選択画面は、容器保管部２３が保持している自動式薬品容器４に収容された薬品がリスト表示された状態と、外部の管理棚に保管されている自動式薬品容器４に収容された薬品がリスト表示された状態とを切替え可能となっている。そして、リスト表示された各薬品の表示領域を押下することにより、分包動作で使用する薬品が収納された自動式薬品容器４を選択可能となっている。
【０１２５】
この散薬カセット選択画面（図１１参照）には、薬品表示部４８と、表示切替ボタン４９と、文字入力部５０とが設けられている。
【０１２６】
薬品表示部４８は、表示切替ボタン４９の操作及び／又は文字入力部５０での入力結果に基づいて、条件を満たす薬品名をリスト表示するための部分である。リスト表示された薬品名のうち、麻薬、治験薬、毒薬、劇薬、向精神薬等の取扱いに注意が必要な薬品には、その旨を示すメッセージの強調表示を実施する。
【０１２７】
具体的には、図１１、図１２で示されるように、各薬品名を表示している略横長長方形状の表示領域のうち、四隅いずれかの近傍に（図右下）斜め方向に延びる帯状の領域を設け、当該領域の背景色を周囲とは異なる色としてメッセージを記載する。このことにより、使用者は、取扱いに注意が必要な薬品を一目で特定することができる。
【０１２８】
表示切替ボタン４９は、薬品表示部４８に表示される薬品を切替えるためのボタンである。この表示切替ボタン４９は、押下する毎に、容器保管部２３が保持している自動式薬品容器４に収納された薬品（以下、内部薬品とも称す）を表示する状態と、外部の管理棚に保管されている自動式薬品容器４に収納された薬品（以下、外部薬品とも称す）を表示する状態とを切り替える。
この表示切替ボタン４９には、薬品表示部４８に内部薬品が表示されている状態では「管理棚外を表示」（図１１参照）と表示され、外部薬品が表示されている状態では「管理棚内を表示」（図１３参照）と表示されている。そして、ボタンが押下され、薬品表示部４８の表示が切り替わると、ボタンに表示された文言もまた切り替わる構成となっている。
【０１２９】
文字入力部５０は、薬品を特定するキーワードとして使用する文字列等を入力するための部分である。この文字入力部５０に文字列等を入力すると、薬品名が入力された文字列等から始まる薬品だけが薬品表示部４８に表示される。
つまり、この文字入力部５０は、上記した簡単入力画面（図９参照）の文字入力部４５と同じく、リストに表示する表示対象を絞り込むためのキーワードを入力するための部分となっている。したがって、図１３で示されるように、文字入力部５０に「ア」という文字を入力した場合、薬品名の最初の文字が「ア」となる薬品のみ表示される。
なお、この文字入力部５０おいても、上記した文字入力部４５と同様に、１文字入力する毎に表示内容を変更する構成となっている。
【０１３０】
つまり、この散薬カセット選択画面では、内部薬品と外部薬品のいずれかを選択し、選択された群に属する薬品のみをリスト表示する。そして、文字入力部５０に文字列等が入力された場合には、選択された群に属する薬品であり、且つ、名称が入力された文字列等から始まる薬品のみをリスト表示する。
そして、１又は複数の薬品がリスト表示された状態において、使用者がいずれかの薬品が表示された領域を押下すると、押下された領域に表示されていた薬品を収容している自動式薬品容器４が選択され、選択された自動式薬品容器４が分包動作で使用されることとなる。
［カセット欠如報知動作］
【０１３１】
カセット選択動作において、容器保管部２３が保持している自動式薬品容器４が選択されると、容器保管部２３に現在保持されている自動式薬品容器４を確認する保持容器確認動作（詳しくは後述する）が実施される。そして、保持容器確認動作で取得した情報に基づいて、カセット選択動作で選択した自動式薬品容器４が容器保管部２３に現在保持されているか否かを判別する保持判別動作を実施する。この判別の結果、カセット選択動作で選択された自動式薬品容器４が容器保管部２３に保持されていなかった場合には、カセット欠如報知動作が実施される。
つまり、カセット欠如報知動作は、選択された自動式薬品容器４が容器保管部２３に現在保持されていないことを条件として実施される動作である。
【０１３２】
なお、以下の説明において、これから実施する第１分包動作で使用予定の自動式薬品容器４であり、容器保管部２３に現在保持されていない自動式薬品容器４を単に「欠カセット」とも称す。
【０１３３】
カセット欠如報知動作は、欠カセット通知画面（図１４参照）を操作表示部３に表示させ、上記した保持判別動作で存在が確認された欠カセット毎に管理番号と、収容される薬品の薬品名をリスト表示する動作となっている。
【０１３４】
ところで、複数の散薬を使用する分包動作を実施する場合、複数の欠カセットの存在が確認される可能性がある。例えば、第１分包動作において３種類の散薬を混合した後に分包しようとするとき、３つの薬品をそれぞれ収容する自動式薬品容器４がいずれも容器保管部２３に保持されていない場合、３つの欠カセットが確認されることとなる。
【０１３５】
そこで、本実施形態では、存在する全ての欠カセットを一画面にリスト表示させ、複数の欠カセットが確認された場合であっても、一目で確認可能な構成としている。
【０１３６】
この欠如カセット通知画面（図１４参照）には、充填窓開放ボタン５８、充填ボタン５９、回収ボタン６０のそれぞれが表示されている。
【０１３７】
充填窓開放ボタン５８は、扉部１６を開くためのボタンであり、押下することで扉部１６が開放された状態となる。
【０１３８】
充填ボタン５９は、後述する充填動作で使用されるボタンであり、容器仮置部１８に載置した自動式薬品容器４を容器保管部２３に保持させるためのボタンである。
【０１３９】
本実施形態の散薬分包装置１の散薬分包装置１では、リスト表示された欠カセットを選択し、充填窓開放ボタン５８、充填ボタン５９を適宜操作することで、欠カセットとなっている自動式薬品容器４を補填することが可能となっている。
すなわち、欠カセットに収容されるべき薬品を充填した自動式薬品容器４を別途用意し、この自動式薬品容器４を容器保管部２３に保持させる充填動作を実施することにより、これから実施する分包動作において欠カセットが存在しない状態にすることができる。
まず、自動式薬品容器４を容器保管部２３に保持させる充填動作につき、以下で具体的に説明する。
［充填動作］
【０１４０】
散薬分包装置１では、容器保管部２３に多数の自動式薬品容器４が保持されており、その各々に薬品が収容されている。本実施形態の散薬分包装置１は、新たな自動式薬品容器４を容器保管部２３に保持させる充填動作が実施可能となっている。
【０１４１】
この動作に先立って、自動式薬品容器４に対して薬品を充填しておく。この薬品を充填する作業は、薬剤師の手作業によって行われる。さらに、薬品の充填に伴って、自動式薬品容器４のＲＦＩＤタグに充填した薬品に関する情報を記憶させておく。すなわち、薬品名、充填日、充填量等の情報を記憶させておく。
【０１４２】
そして、操作表示部３を適宜操作して扉部１６を開放した状態とする。このとき、扉部１６の開放に伴って、安全装置が作動し、容器移動装置２８が一時的に動作しない状態となる。
【０１４３】
そして、新たに容器保管部２３に保持させる自動式薬品容器４を容器仮置部１８に載置する。この作業は、使用者の手作業により実施される。自動式薬品容器４が容器仮置部１８に載置された状態で、操作表示部３を表示させた状態で充填ボタン５９を押下することにより、扉部１６が閉じた状態となり、充填動作が開始される。
【０１４４】
まず、容器仮置部１８の情報読取手段により、自動式薬品容器４のＲＦＩＤタグに記憶された情報を読み取る情報読取動作と、容器仮置部１８の重量測定手段により自動式薬品容器４の重量を測定する重量測定動作が実施される。
情報読取動作では、新たに自動式薬品容器４に充填された薬品の種類が取得されることとなる。そして、この結果に基づいて、新たに充填された薬品の種類が、使用者が選択した欠カセット（自動式薬品容器４）に充填されるべき薬品であるか否かを照合する照合動作を実施する。つまり、新たに充填された薬品の種類が正しいものであるか否かを判別する動作を実施する。
なお、判別動作の結果、充填されるべき薬品の種類が誤っていた場合、操作表示部３でのメッセージ表示といったその旨を知らせる報知動作を実施し、充填動作を停止する。
【０１４５】
さらに、散薬分包装置１は、重量測定動作で測定した値に基づいて自動式薬品容器４に対する薬品の充填量を算出する充填量算出動作を実施する。なお、この算出結果は、データ記憶部に記憶され、必要に応じて自動式薬品容器４のＲＦＩＤタグにも記憶させる。
すなわち、散薬分包装置１は、重量測定動作で測定した自動式薬品容器４の重量を記憶させる情報書込動作を実施し、必要な場合は、必要充填量算出動作で算出した薬品の充填量をＲＦＩＤタグに記憶させる情報書込動作を実施する。
【０１４６】
扉部１６が閉じた状態となることで、上記した安全装置による容器移動装置２８への動作規制が解除され、容器移動装置２８が可動可能な状態となる。そして、充填量算出動作と、重量測定動作が終了したことを条件として、アーム部３０が容器仮置部１８に近接し、自動式薬品容器４を保持した状態となる。
【０１４７】
そして、アーム部３０は、自動式薬品容器４を容器保管部２３の近傍まで移動させた後、自動式薬品容器４をドラム部材２５に対して押し入れ、自動式薬品容器４とドラム部材２５を係合させた状態とする。その状態において、アーム部３０の先端に取り付けた磁石の磁力を消去させ、アーム部３０を自動式薬品容器４から離間させた状態とする。
このとき、新たに保持させた自動式薬品容器４のドラム部材２５に対する取付位置、すなわち、保持された状態における自動式薬品容器４の位置情報を取得し、データ記憶部に記憶する。
【０１４８】
本実施形態では、このような充填動作を繰り返し実施することにより、ドラム部材２５に自動式薬品容器４を保持させていくことが可能となっている。
【０１４９】
なお、本実施形態では、自動式薬品容器４を保持させる際、自動式薬品容器４が正しく取り付けられているか否かを判別する容器姿勢判別動作を実施する（詳しくは後述する）。
【０１５０】
続いて、このような充填動作を上記した欠如カセット通知画面（図１４参照）から実施する場合について説明する。
リスト表示された管理番号、薬品名の中からいずれかが表示されている部分を押下し、補填する欠カセットを選択する。
そして、充填窓開放ボタン５８を押下して扉部１６が開放された状態とし、自動式薬品容器４を容器仮置部１８に載置する。このとき、自動式薬品容器４には、選択した欠カセットに収容されるべき薬品を予め充填しておく。自動式薬品容器４が容器仮置部１８に載置された状態で、充填ボタン５９を押下することにより扉部１６が閉じられ、上記した充填動作が開始される。このことにより、これから実施する分包動作で使用する散薬が充填された自動式薬品容器４が、容器保管部２３に保持された状態となる。すなわち、欠如カセット通知画面が表示されていた欠カセットが補填され、これから実施する分包動作において欠カセットが存在しない状態となる。
［第１分包動作］
【０１５１】
第１分包動作では、上記したカセット選択動作で分包動作に使用する自動式薬品容器４が選択され、選択された自動式薬品容器４が容器保管部２３に保持されていることが確認されると、容器保管部２３から選択された自動式薬品容器４を取り出すカセット取出動作が実施される。
【０１５２】
すなわち、散薬分包装置１は、ドラム部材２５を回転させ、取り出し対象となる自動式薬品容器４と容器移動装置２８を近接させる。そして、容器移動装置２８の一部であるアーム部３０に自動式薬品容器４を保持させる。換言すると、アーム部３０の先端側に設けられた磁石によって、自動式薬品容器４に一体に取り付けられた鉄板を吸着させる。
そして、アーム部３０が容器保管部２３から自動式薬品容器４を取り出し、自動式薬品容器４を容器保持台３６まで移動させ、自動式薬品容器４を容器保持台３６に載置する。
【０１５３】
本実施形態では、容器保持台３６の近傍に情報読取手段が設けられており、容器保持台３６に載置させた自動式薬品容器４のＲＦＩＤタグから記憶されている情報を読み取る情報読取動作が可能となっている。
この情報読取動作により、自動式薬品容器４に収容されている薬品（散薬）の種類が確認される。すなわち、使用する薬品が収容された自動式薬品容器４が正しく選択され、運搬されたかを確認する確認動作が実施される。
【０１５４】
確認動作の結果、使用する薬品が収容された自動式薬品容器４が容器保持台３６に載置されていることが確認されると、容器保持台３６の振動台部が振動動作を開始し、自動式薬品容器４が振動し、自動式薬品容器４に収容された散薬がゆっくりと分配皿３５に落下する。すなわち、自動式薬品容器４の内部から分配皿３５に散薬が供給（排出）されていく。
【０１５５】
より詳細に説明すると、自動式薬品容器４が容器保持台３６に載置されたとき、自動式薬品容器４は、振動台部の容器保持手段によって強固に取り付けられた状態となっている。すなわち、自動式薬品容器４と容器保持台３６とが広範囲に亘って密着しており、容器保持手段の磁石で自動式薬品容器４の鉄板を吸着することから、自動式薬品容器４が強固に取り付けられた状態となる。
そのため、振動台部が振動すると、自動式薬品容器４もまた同一周波数で振動する。この結果、自動式薬品容器４の内部に収容された散薬が排出口に向かってゆっくりと移動し、排出口から外部に排出される。
【０１５６】
また、自動式薬品容器４から分配皿３５への散薬の供給動作（排出動作）に伴って、分配皿３５を回転させるフィーダ回転動作を実施する。
【０１５７】
ここで、振動台部による振動動作の開始前及び実施中には、容器保持台３６の重量測定手段が検知した値に基づいて、載置された自動式薬品容器４の重量を測定する重量測定動作が実施されている。
すなわち、自動式薬品容器４から分配皿３５に散薬が供給（排出）されている間、自動式薬品容器４の重量が常時検知されており、散薬の供給量（排出量であり、分配皿３５の上に落下した量）が所定量となったことを条件として、振動台部の振動動作を停止させる構成となっている。
なお、振動動作の開始前に取得した自動式薬品容器４の重量は原重量として記憶され、振動動作の実施中に取得される現在の重量は現重量として記憶される構成となっている。
【０１５８】
そして、振動動作の実施している間、自動式薬品容器４の重量を常時検知することにより、散薬が滞りなく分配皿３５に供給されているか否かを確認する。言い換えると、自動式薬品容器４の排出口で散薬が詰まったりすることなく、正しく供給されているか否かが確認される。
すなわち、本実施形態の散薬分包装置１は、振動動作の実施中に自動式薬品容器４の現重量を取得し続け、取得した現重量を開始前に取得した原重量と比較することで、散薬の供給量（原重量から現重量を減算した値）を常時算出し続けている。
そして、散薬の供給量が規定量となったことを条件として振動動作を停止している。言い換えると、自動式薬品容器４の現重量が振動動作の開始前に取得した原重量に対して規定量だけ少なくなったことを条件として、振動動作を停止している。
【０１５９】
ここで、特に限定されるものではないが、この振動動作は、開始してから所定時間経過した後に振幅を小さくし、且つ、振動周波数を下げた状態で実施することが望ましい。すなわち、停止前の所定期間は、直前の動作よりも振幅を小さくし、且つ、振動周波数を下げた低出力振動動作を実施することが望ましい。
一例として、散薬の供給量が規定量（最終的に供給する量）より所定量（例えば、数グラム程度）だけ少ない値となったことを条件として、低出力振動動作を実施してもよい。すなわち、最後に供給する規定量の数パーセント程度の量（数グラム）を低出力振動動作によって供給してもよい。
【０１６０】
なお、複数の散薬を混合した後に分包する場合は、自動式薬品容器４を容器保持台３６に載置させる動作を繰り返し、複数の自動式薬品容器４をそれぞれ別の容器保持台３６に載置させる。そして、それぞれの容器保持台３６で振動動作を実施することにより、分配皿３５に複数種類の散薬が供給されることとなる。
この場合、フィーダ回転動作に伴って複数種類の散薬が混合されることとなる。
【０１６１】
そして、分配皿３５に規定量の散薬が供給され、振動動作が停止されると、アーム部３０によって自動式薬品容器４が容器保管部２３に戻される。このとき、分配皿３５に薬品の供給が完了した際の自動式薬品容器４の重量を容器保持台３６の重量測定手段で測定し、測定した重量をＲＦＩＤに記憶させる情報書込動作が実施され、その後、自動式薬品容器４が容器保管部２３に戻される。
すなわち、アーム部３０が自動式薬品容器４を容器保持台３６から容器保管部２３に移動させる。
【０１６２】
その一方、分配皿３５では、振動動作が停止した後、分配皿３５の回転を停止する。そして、分配皿３５に供給された散薬を一服用分ずつ薬品導入口３９に投入する薬品分割動作を実施する。
薬品分割動作では、掻出装置３７の先端側部分を降下させ、分配皿３５に近接させた状態とする。そして、分配皿３５を分割数に応じた角度だけ回転させ、一服用分の散薬を掻出装置３７の先端側部分の周辺によせた状態とする。この状態で、掻出装置３７を動作させ、掻出装置３７の周辺によせられた散薬をすくい上げ、薬品導入口３９に投入する。
このような動作を繰り返すことにより、分配皿３５に供給された薬品を一服用分ずつ薬品導入口３９に投入する薬品分割動作が実施される。
【０１６３】
薬品導入口３９に投入された一服用分の薬品は、薬品包装領域１４に至り、薬品包装装置に供給される。そして、薬品包装装置で一服用分ずつ包装されていく。
この一連の動作が終了し、分配皿３５に供給された薬品が全て薬品包装装置に供給され、包装が完了することで、第１分包動作が完了する。
【０１６４】
上記した第１分包動作では、自動式薬品容器４を容器保管部２３に戻す動作を実施する際、容器仮置部１８を経由させた後、容器保管部２３に戻している。そして、容器仮置部１８では、自動式薬品容器４の重量を再計量する再計量動作を実施している。
【０１６５】
すなわち、自動式薬品容器４を容器保持台３６から容器保管部２３に戻す際、まず自動式薬品容器４を容器保持台３６から容器仮置部１８に移動させている。そして、容器仮置部１８の重量測定手段により自動式薬品容器４の重量を測定している。
ここで、本実施形態では、上記したように、分配皿３５に薬品の供給が完了した際の自動式薬品容器４の重量を容器保持台３６の重量測定手段で測定している。すなわち、容器保持台３６で重量を測定し、さらに容器仮置部１８でも重量を測定する二重測定動作を実施している。
【０１６６】
そして、ＲＦＩＤタグから記憶されている情報を読み取る情報読取動作を実施し、容器保持台３６で測定した薬品の供給が完了した際の自動式薬品容器４の重量と、容器仮置部１８で測定した重量を比較し、合致するか否かを判別する。すなわち、容器保持台３６の重量測定手段が正しく機能しているか否かの確認動作を実施する。
ここで、本明細書中の「合致した」とは、完全に一致した場合に限るものではなく、微細な測定誤差を許容して合致したとみなしてもよい。
【０１６７】
なお、上記した工程で算出された散薬の供給量が正しいか否かを確認する確認動作を実施してもよい。すなわち、薬品の供給を開始する前の自動式薬品容器４の重量（上記した原重量）と、容器仮置部１８で検知した自動式薬品容器４の重量を比較し、散薬の供給量（原重量から容器仮置部１８で検知した重量を減算した値）を算出してもよい。そして、この散薬の供給量と、上記した工程で算出された散薬の供給量（原重量から現重量を減算した値）を比較し、合致するか否かを判別してもよい。
【０１６８】
そして、これらの確認動作の結果、散薬の供給量や容器保持台３６の重量測定値が正常であれば、自動式薬品容器４を容器保管部２３に移動させ、第１分包動作を正常に終了する。
対して、散薬の供給量や容器保持台３６の重量測定値が正常でない場合、操作表示部３にメッセージを表示する等の報知動作を実施し、使用者にその旨を報知する。
［第２分包動作］
【０１６９】
第２分包動作は、容器保管部２３に保持された自動式薬品容器４でなく、外部の管理棚に保管されている自動式薬品容器４から分配皿３５に薬品を供給するという点で、第１分包動作と異なっている。上記した第１分包動作と同じ動作については、詳細な説明を省略する。
【０１７０】
上記したカセット選択動作において、外部の管理棚に保管されている自動式薬品容器４を選択し、さらに使用者が操作表示部３で所定の操作を実施すると、第２分包動作が開始される。
この動作では、まず、扉部１６が開放された状態となる。
【０１７１】
この状態において、手作業で外部の管理棚から取り出した自動式薬品容器４を容器仮置部１８に載置し、操作表示部３で所定の操作を実施する。このことにより、自動式薬品容器４の容器仮置部１８への載置が確認される。このとき、自動式薬品容器４のＲＦＩＤタグに記憶された情報を読み取る情報読取動作が実施され、使用者が選択した自動式薬品容器４が容器仮置部１８に正しく載置されているか否かを確認する確認動作が実施される。すなわち、選択された自動式薬品容器４に収納される薬品の種類と、容器仮置部１８に載置された自動式薬品容器４に収納される薬品の種類とが合致するか否かが判別される。
また、容器仮置部１８に載置された自動式薬品容器４の重量を測定する重量測定動作が実施され、測定された重量をＲＦＩＤタグに記憶させる情報書込動作を実施される。
【０１７２】
そして、扉部１６が閉じた状態となり、アーム部３０が自動式薬品容器４を容器仮置部１８から容器保持台３６まで移動させ、自動式薬品容器４が容器保持台３６に載置された状態となる。
【０１７３】
この状態から、上記した第１分包動作と同様に、分配皿３５に薬品を供給し、一服用分ずつ薬品包装装置に供給していく。また、薬品包装装置では、供給された散薬を一服用分ずつ包装していく。このことにより、分配皿３５に供給された薬品が所定数に分包される。
そして、分配皿３５への薬品の供給動作が終了すると、アーム部３０によって自動式薬品容器４を容器仮置部１８に戻す動作を実施し、扉部１６が開いて、第２分包動作が完了する。
［第３分包動作］
【０１７４】
第３分包動作では、操作表示部３に「手撒きカセットを置いてください」というメッセージが表示された状態で、所定の操作を実施し、正面ドア３４を上昇させた状態とする。すなわち、筐体１０において、薬品分割領域１３の前方が開放された状態とする。
なお、第１分包動作が実施されている場合や、第２分包動作が実施されている場合等、容器移動装置２８が動作している場合には、正面ドア３４を上昇できない旨を報知する報知動作を実施する。この報知動作は、具体的には、警報を鳴らす動作である。この報知動作が実施された場合は、第３分包動作を中止する。
【０１７５】
正面ドア３４が上昇すると、作業者が予め薬品を充填した手動式薬品容器５を手動で容器保持台３６に設置する。このとき、手動式薬品容器５のＲＦＩＤタグに記憶された情報を読み取る情報読取動作が実施され、使用する手動式薬品容器５が容器保持台３６に正しく載置されているか否かを確認する確認動作が実施される。
この確認動作において、手動式薬品容器５が容器保持台３６に正しく載置されていることが確認されると、操作表示部３でのメッセージ表示が終了する。この状態で、所定の操作を実施し、正面ドア３４を下降させ、正面ドア３４を閉めた状態とする。
そして、手動式薬品容器５から分配皿３５に薬品を供給され、一服用分ずつ薬品包装装置に供給していく。
【０１７６】
なお、分包動作が完了すると、操作表示部３に「手撒きカセットを取ってください」というメッセージが表示された状態となる。この状態で、所定の操作を実施し、再び正面ドア３４を上昇させた状態とする。使用者は、手動式薬品容器５を取り出した後、操作表示部３で所定の操作を実施することにより、正面ドア３４を下降させ、正面ドア３４を閉めた状態とする。
【０１７７】
ここで、第３分包動作では、上記した第１分包動作とは異なり、薬品の供給量を測定する動作を実施せず、手動式薬品容器５に収容された薬品を全て分配皿３５に供給する。すなわち、手動式薬品容器５には、規定量（最終的に供給する量）だけ薬品を充填しておく必要がある。
【０１７８】
上記した各分包動作では、１つ分配皿３５を使用した分包動作の他、２つの分配皿３５を使用した分包動作を実施可能となっている。すなわち、必要に応じて１つの分配皿３５を使用した分包動作と、複数の分配皿３５を使用した分包動作を切替え可能となっている。
【０１７９】
具体的には、各分包動作において、所定数以上の薬品を混合して分包する場合、２つの分配皿３５を使用した分包動作を実施する。なお、ここでいう「所定数以上」とは、１つの分配皿３５に近接配置される容器保持台３６の数（本実施形態では３つ）以上である。
この動作では、仕切板装置４１を突出状態から収納状態に移行する。すなわち、薬品導入口３９の近傍に立板部が位置しない状態とする。そして、それぞれの分配皿３５に散薬を落下させ、それぞれの分配皿３５において上記と同様の薬品分割動作を実施する。
【０１８０】
ところで、筐体１０の内部に設けられた容器保持台３６の数（本実施形態では６つ）以上の所定数以上の薬品を混合して分包する必要が生じる場合がある。このような場合に実施される動作につき、以下で詳細に説明する。
使用する自動式薬品容器４が全て容器保持台３６に載置されている場合、容器移動装置２８によって自動式薬品容器４を交換する自動交換動作を必要に応じて実施する。
対して、使用する自動式薬品容器４が外部の管理棚に保管されている場合、使用する自動式薬品容器４を手動で用意するように促す勧告動作を実施する。
これに加えて、１以上の薬品を手動式薬品容器５から分配皿３５に排出するように設定する手撒き設定動作が実施可能となっている。
［自動交換動作］
【０１８１】
自動交換動作では、所定の自動式薬品容器４から分配皿３５への散薬の供給動作を実施した後、アーム部３０がこの自動式薬品容器４を容器保持台３６から容器保管部２３に移動させる。これに続いて、アーム部３０が新たな自動式薬品容器４を容器保管部２３から容器保持台３６へと移動させ、新たな自動式薬品容器４から分配皿３５に散薬を供給する。この動作を所定数繰り返すことにより、必要な全ての散薬を分配皿３５に供給する。
［勧告動作］
【０１８２】
勧告動作では、操作表示部３に所定の自動式薬品容器４を用意するように促すメッセージを表示させる。そして、分配皿３５への散薬の供給動作が終了した自動式薬品容器４を容器保管部２３（又は容器仮置部１８）に移動させ、扉部１６を開放した状態へと移行させる。そして、上記した第２分包動作と同様に、手作業で外部の管理棚から取り出した自動式薬品容器４を容器仮置部１８に載置する。なお、自動式薬品容器４を容器仮置部１８に移動させた場合は、自動式薬品容器４を取り出した後、新たな自動式薬品容器４を容器仮置部１８に載置する。
このとき、上記した第２分包動作と同様に、情報読取動作、重量測定動作、情報書込動作が適宜実施され、アーム部３０が自動式薬品容器４を容器仮置部１８から容器保持台３６まで移動させる。この動作を所定数繰り返すことにより、必要な全ての散薬を分配皿３５に供給する。
［手撒き設定動作］
【０１８３】
所定数（本実施形態では６つ）以上の薬品を混合して分包する分包動作を実施する場合、予め手動式薬品容器５から分配皿３５に排出する薬品を選択する選択操作を実施可能となっている。すなわち、操作表示部３に表示された複数の薬品から所定の薬品を選択し、手動式薬品容器５から分配皿３５に排出する薬品を選択する。
例えば、７種の薬品を混合して分包する場合、５つの薬品を自動式薬品容器４から分配皿３５に排出させ、残り２薬品を手動式薬品容器５から分配皿３５に排出させるように選択するという動作が実施可能となっている。この場合、全ての容器保持台３６のうち、１つを手動式薬品容器５を載置する容器保持台３６として使用し、他の全ての容器保持台３６を自動式薬品容器４を載置する容器保持台３６として使用するといった分包動作が実施可能となっている。なお、容器保持台３６への自動式薬品容器４、手動式薬品容器５の載置動作、容器保持台３６からの自動式薬品容器４、手動式薬品容器５の取り外し動作は、上記した分包動作と同様の手順で実施される。
【０１８４】
本実施形態の散薬分包装置１では、上記した各分包動作の実施中に分包進捗画面（図１５参照）を表示させ、分配皿３５に薬品を供給する際の進捗状況を表示する進捗表示動作が可能となっている。
また、上記した各分包動作の実施中には、分配皿３５の周辺の様子を確認するためのモニタリング動作を実施可能となっている。
この進捗表示動作、モニタリング動作につき、以下で詳細に説明する。
［進捗表示動作］
【０１８５】
進捗表示動作は、上記したように、操作表示部３に分包進捗画面（図１５参照）を表示した状態で実施される動作となっている。
【０１８６】
分包進捗画面は、図１５で示されるように、分配皿３５に供給する各薬品をリスト表示する供給薬品表示領域６５が設けられている。この供給薬品表示領域６５では、２つの分配皿３５のうち、一方の分配皿３５に供給する薬品がリスト表示された状態と、他方の分配皿３５に供給する薬品がリスト表示された状態とを切替え可能となっている。
【０１８７】
また、供給薬品表示領域６５には、薬品毎に薬品名、分包形態、服用の時期及び回数、供給進捗率、供給中であることを示す報知記号７７ａ又は供給完了を示す報知記号７７ｂを表示している。
なお、図１６でも示されるように、供給進捗率はグラフ（図中の符号６６）で表示されている。このグラフの全長（図中の符号６６ａ）が全供給量（最終的に供給する量）を示しており、色の異なる部分（図中の符号６６ｂ）がすでに分配皿３５供給された量（現供給量）を示している。すなわち、供給進捗率は、現供給量の最終供給量に対する割合となっている。
【０１８８】
ところで、分包進捗画面には、図１５で示されるように、カセット残量ボタン６８が設けられている。このカセット残量ボタン６８は、押下することで秤量予約通知画面（図２３参照、詳しくは後述する）が表示されるボタンとなっている。
【０１８９】
なお、本実施形態の散薬分包装置１では、未実施の分包動作で使用予定の薬品のうち、将来不足することが予測される薬品が存在する場合、このカセット残量ボタン６８を周囲よりも目立たせる強調表示動作（第１報知動作）を実施する。
より具体的には、上記した処方入力画面（図８参照）で処方に関する情報を入力後に「発行」ボタンを押下したとき、入力した処方で提供される薬品のうちで薬品容器に収容されている薬品の残量が入力した処方に対応する分包動作での使用量を下回る場合に、強調表示動作を実施する。
なお、この強調表示動作とは、カセット残量ボタン６８の色を所定時間毎に変更する点滅動作と、縁部分に周囲とは異なる色の枠を表示させる枠表示動作をそれぞれ実施する動作となっている。
付言すると、散薬調剤業務支援システム１６１（詳しくは後述する）を構築した場合には、制御装置１６０から散薬分包装置１に処方データを送信する際に、必要に応じて使用者に将来的な薬品の不足を報知する報知動作を実施する。すなわち、処方データを送信する際、１度に送信される処方データに含まれる処方のうちで１以上の処方につき、当該処方で提供される薬品のうちで薬品容器に収容されている薬品の残量がこの処方に対応する分包動作での使用量を下回る場合に、報知動作を実施する。この報知動作は、散薬分包装置１、制御装置１６０、外部ＰＣ１６２の１以上の機器で実施してもよい。
【０１９０】
ここで、将来不足することが予測される薬品が存在する場合に実施する報知動作は、上記した強調表示動作に限るものではない。例えば、操作表示部３や各種機器が備えるディスプレイに将来薬品が不足する旨を報知するメッセージや、薬品の充填を促すメッセージを表示させたり、将来的な薬品の不足を音声で報知するエラーアナウンス動作を実施したりしてもよい。つまり、操作表示部３や各種機器が備えるスピーカー装置等の音声発生装置に音声を発生させる動作によって、将来不足する薬品（現在充填することが好ましい薬品）を使用者に報知してもよい。
すなわち、本実施形態の散薬分包装置１では、将来充填が必要となる薬品を報知することで使用者に薬品の充填を促し、将来発生し得る薬品の不足を予め防止することが可能となっている。
［モニタリング動作］
【０１９１】
本実施形態の散薬分包装置１は、上記した各分包動作の実施中に速度制御画面（図１７）を表示することにより、薬品が供給される分配皿３５の周辺を表示するモニタリング動作を実施することができる。詳細には、分配皿３５に隣接配置された容器保持台３６に載置された薬品容器の薬品排出部の周辺を表示するモニタリング動作を実施可能となっている。
そして、速度制御画面では、必要に応じて分配皿３５への薬品（散薬）の排出速度（単位時間当たりの排出量）を変更する速度調整動作を実施可能となっている。
このことにより、使用者は、分包動作が正常に行われているか否かを確認することが可能であり、分配皿３５への薬品の排出速度を好ましい速度に調整しつつ分包動作を実施可能となっている。
なお、モニタリング動作では、分配皿３５に隣接配置された複数の容器保持台３６に薬品容器が載置されている場合、全ての薬品容器の薬品排出部及びその周辺を表示可能となっている。
【０１９２】
操作表示部３において、「リアルタイム動画」ボタン（図示せず）が押下されると、速度制御画面（図１７）が表示された状態となる。そして、この速度制御画面には、動作表示部８０と、速度操作部８１（操作用画像）と、分包停止ボタン８２と、ＡＦボタン８３を表示する分包管理用領域８５が設けられている。
【０１９３】
分包管理用領域８５のうち、左右方向の片側端部側では、上方から順に第１動作表示部８０ａ、第１速度操作部８１ａが表示され、第１速度操作部８１ａの下方に第１分包停止ボタン８２ａと第１ＡＦボタン８３ａが並列した状態で表示されている。
なお、第１速度操作部８１ａは、一方の分配皿３５に隣接する全ての容器保持台３６（本実施形態では３つ）の振動の大きさ（以下、振動レベルとも称す）を増減させるための部分である（振動レベルの変更動作については、後述する）。
【０１９４】
そして、左右方向の他方端部側では、上方から順に第２動作表示部８０ｂ、第２速度操作部８１ｂが表示され、第２速度操作部８１ｂの下方に第２分包停止ボタン８２ｂと第２ＡＦボタン８３ｂが並列した状態で表示されている。
なお、第２速度操作部８１ｂは、もう一方の分配皿３５に隣接する全ての容器保持台３６（本実施形態では３つ）の振動の大きさ（以下、振動レベルとも称す）を増減させるための部分である（振動レベルの変更動作については、後述する）。
【０１９５】
つまり、第１動作表示部８０ａと第２動作表示部８０ｂが左右方向で並列しており、その下方で、第１速度操作部８１ａと第２速度操作部８１ｂが左右方向で並列している。ここで、第１速度操作部８１ａが対応付けられている一方の分配皿３５と、第２速度操作部８１ｂが対応付けられている他方の分配皿３５もまた左右方向で並列している。
そして、第１速度操作部８１ａと第２速度操作部８１ｂの並び順は、対応する２つの分配皿３５の並び順と対応している。つまり、一方の分配皿３５が左方に位置し、他方の分配皿３５が右方に位置している場合、一方の分配皿３５に対応する第１速度操作部８１ａが操作表示部３の左方に表示され、他方の分配皿３５に対応する第２速度操作部８１ｂが操作表示部３の右方に表示されている。
【０１９６】
そして、分包管理用領域８５の下端近傍であり、且つ、左右方向における片側端部近傍では、第１分包停止ボタン８２ａと第１ＡＦボタン８３ａが並列している。そして、分包管理用領域８５の下端近傍であり、且つ、左右方向における他方端部近傍では、第２分包停止ボタン８２ｂと第２ＡＦボタン８３ｂが並列している。言い換えると、正面視で略四角形状となる分包管理用領域８５の角部分のうち、一方の下側角部分の近傍に第１分包停止ボタン８２ａと第１ＡＦボタン８３ａが位置しており、他方の下側角部分の近傍に第２分包停止ボタン８２ｂと第２ＡＦボタン８３ｂが位置している。
【０１９７】
ここで、左右方向の片側端部側に表示される各部は、２つの分配皿３５のうちの一方に対応し、左右方向の他方端部側に表示される各部は、２つの分配皿３５のうちの他方に対応している。つまり、片側端部側に表示される各部は、一方の分配皿３５で実施される分包動作を確認、制御するための部分となっており、他方側端部に表示される各部は、他方の分配皿３５で実施される分包動作を確認、制御するための部分となっている。
ところで、片側端部側に表示される各部と、他方側端部に表示される各部は、対象となる分配皿３５が異なるものの、いずれも分包動作を確認、制御するための部分であり、同様の動作が可能となっている。そこで、以下では、片側端部側に表示される各部についてのみ説明し、他方端部側に表示される各部については、重複する説明を省略する。
【０１９８】
第１動作表示部８０ａは、一方の分配皿３５に隣接する容器保持台３６の上の薬品容器の排出口及びその周囲を撮影するカメラ部材４０で撮像した動画（観察画像）を表示するための部分である。すなわち、第１動作表示部８０ａに表示される動画を確認することで、薬品容器の排出口及びその周囲が現在どういった状況であるのかを確認することができる。
【０１９９】
第１速度操作部８１ａは、操作表示部３の画面上に表示される部分であり、円環状の操作ボタン部８８と、操作ボタン部８８の内側に位置する速度表示部８９によって構成されている。
そして、この操作ボタン部８８が表示されている部分で、指等を接触させたまま動かすことにより、容器保持台３６の振動の大きさを上昇又は下降可能となっている。そして、容器保持台３６の振動の大きさを変更することにより、薬品容器から分配皿３５に散薬を排出するときの排出速度を変更できる。
【０２００】
すなわち、容器保持台３６の振動の振幅を小さくし、且つ、振動周波数を下げた状態とする動作と、容器保持台３６の振動の振幅を大きくし、且つ、振動周波数を上げた状態とする動作とが実施可能となっている。そして、これらを適宜実施することにより、振動パターンを段階的に変更可能となっている。
そして、容器保持台３６の振動パターンが変化することで、容器保持台３６から薬品容器に伝わる振動が増減し、容器保持台３６に載置された薬品容器の振動もまた増減する。そして、薬品容器の振動が変化することで、薬品容器から分配皿３５に排出される排出速度が変化する。
【０２０１】
薬品容器の振動が大きくなることで、薬品容器から分配皿３５に排出される排出速度が速くなる。言い換えると、単位時間当たりの排出量が多くなる。対して、薬品容器の振動が小さくなることで、薬品容器から分配皿３５に排出される排出速度が遅くなる。単位時間当たりの排出量が少なくなる。
本実施形態では、容器保持台３６の振動パターンを段階的に増減させることで、薬品容器から分配皿３５に排出される排出速度を段階的に増減させることができる。
【０２０２】
具体的に説明すると、排出速度を変更する際には、図１８で示されるように、操作ボタン部８８が表示されている部分を指等で触れ、この部分に指等が触れた状態を維持しつつ、指等を弧を描くように移動させる。すなわち、操作ボタン部８８が表示されている部分をなぞるように、指等を時計回り（又は反時計回り）に動かしていく。
【０２０３】
本実施形態では、操作ボタン部８８の周方向の長さをＬとしたとき、指等を１／４Ｌだけ時計回りに移動させる毎に排出速度が１段階速くなり、１／４Ｌだけ反時計回りに移動させる毎に排出速度が１段階遅くなる構造となっている。
このことから、例えば、指等が最初に触れた部分から操作ボタン部８８に沿って時計回りに１周すると、排出速度が４段階速くなる。対して、操作ボタン部８８に沿って反時計回りに１周すると、排出速度が４段階遅くなる。すなわち、本実施形態では、排出速度が操作に応じて段階的に変化する構造となっている。
【０２０４】
このように、指等を接触させたまま円弧を描くようにさせ、排出速度を変化させる構造によると、速度変更操作を実施する際、使用者にあたかもダイヤル操作のような操作感を与えることが可能となる。このことにより、速度変更操作を行う際の操作性の向上を図ることができる。
また、本実施形態の散薬分包装置１は、各分包動作が扉部１６と正面ドア３４が閉じ、密閉された空間内（筐体１０の内部）で実施される。そのため、従来の薬品分包装置のように、薬品が供給される部分を直接目視しながらダイヤル操作を実施するといった操作が困難である。そこで、本発明では、容器保持台３６に載置された薬品容器の薬品排出部の周辺を操作表示部３に表示させつつ、操作ボタン部８８を操作して、散薬の排出速度を変更可能な構成としている。このことにより、散薬の排出される状況を明瞭に視認可能となり、安全性が高い。また、使用者に従来と同様の操作感を与えることにより、使用者が違和感なく操作できる。
【０２０５】
本実施形態の散薬分包装置１では、指等を画面に接触させたまま移動方向を異なる方向とするだけで、速度の変更が可能となる。そのため、第１動作表示部８０ａからから長く目を離さなくても、容易に速度の変更が可能となっている。
また、本実施形態の散薬分包装置１では、指等の移動速度を速めることで短時間での複数段階の速度変更が可能であり、反対に移動速度を遅くすることで緩やかな速度変更が可能となっている。かかる構成によると、速度の微調整をやり易いので好ましい。
つまり、本実施形態の散薬分包装置１では、あたかもダイヤルをつまんだまま第１動作表示部８０ａを確認しつつ、適宜ダイヤルを回して速度を変更しているような快適な操作感を与えることが可能となっている。
【０２０６】
速度表示部８９は、現在の排出速度を表示するための部分であり、速度の段階（振動レベルの段階）を示す数字（図１９では「４」）が表示されている。
すなわち、使用者は、第１動作表示部８０ａを監視し続ける一方で、現在の速度を正確に把握したい場合もある。そこで、速度表示部８９を設けることにより、現在の正確な排出速度を確認可能となっている。
【０２０７】
本実施形態の散薬分包装置１では、排出速度が変化したとき、速度に応じて操作ボタン部８８の色を変更する構成となっている。また、所定時間（例えば数秒間）だけ速度報知部９１（速度表示用画像）を表示する構成となっている（図１９参照）。
速度報知部９１は、第１速度操作部８１ａの上方（１２時の方向）に一時的に表示される部分であり、上側の略円形状の部分と下側の略逆三角形状の部分とを組み合わせたような形状となっている。この速度報知部９１の内側には、速度を示す数字（図１９では「４」）が表示されている。
【０２０８】
この速度報知部９１は、排出速度が変化したことを条件として一時的に表示される部分である。例えば、速度が「３」から「４」に変更されたときや、「５」から「４」に変更されたとき、変更後の速度である「４」が表示されることとなる。
このように速度報知部９１を表示させることにより、現在の速度を確実に確認することができる。
【０２０９】
具体的に説明すると、図２０で示されるように、第１速度操作部８１ａの上側近傍に指等が触れている場合、手等が速度表示部８９と重なった状態となり、速度表示部８９に表示されている速度が見え難くなる。そして、この状態では、速度表示部８９をちらりと見ただけでは速度の確認が難しくなる。
そこで、本実施形態では、手等が重ならない位置に速度報知部９１を表示させることにより、確実に現在の速度を視認することが可能となっている。
【０２１０】
なお、この速度報知部９１もまた、操作ボタン部８８と同じく、速度に応じて色が変更される構成となっている。本実施形態では、各速度に対応する操作ボタン部８８の色と、それぞれ同速度に対応する速度報知部９１とが同色となっている。つまり、速度報知部９１は、操作ボタン部８８と同じ色で表示されることとなる。
【０２１１】
加えて、本実施形態の速度制御画面では、分包管理用領域８５の略全域に亘って第１動作表示部８０ａ（又は第２動作表示部８０ｂ）を表示させる全画面表示操作が実行可能となっている。
【０２１２】
全画面表示操作が実行されると、図２１で示されるように、分包管理用領域８５の上側部分に第１動作表示部８０ａが表示され、下端近傍に帯状部分９３が表示された状態となる。
上側部分の下端近傍であり、且つ、左右方向における片側端部近傍となる部分には、第１速度操作部８１ａが表示されている。すなわち、第１動作表示部８０ａの一部と第１速度操作部８１ａが重なった状態で表示されている。
また、帯状部分９３には、左右方向における片側端部近傍に、分包停止ボタン８２と、ＡＦボタン８３とが並列した状態となっている。
【０２１３】
分包停止ボタン８２は、分包動作を停止させるためのボタンであり、押下されることで分包動作が停止されることとなる。
【０２１４】
ＡＦボタン８３は、手動で排出速度の変更が可能な状態を終了し、自動で排出速度の変更を実施するためのボタンである。すなわち、排出速度の変更が可能な状態で押下することにより、自動で排出速度が設定される状態へと移行する。
［印字動作］
【０２１５】
本実施形態の散薬分包装置１では、紙媒体又は分包袋の印刷媒体に対して所定の情報を印字し、出力する印字動作が実行可能となっている。
【０２１６】
印字動作は、「充填記録」、「充填リスト」、「手撒き指示書」、「欠品リスト」、「削除・回収リスト」、「調剤記録」から選択される各種書類のいずれかを出力する動作が可能となっている。詳細には、「調剤記録」のみが紙媒体と分包袋の双方に出力可能となっており、他の書類は紙媒体にのみ出力可能となっている。
【０２１７】
「充填記録」は、充填動作の実施結果に関する情報が主として表示される書類となっている。
「充填リスト」は、自動式薬品容器４に現在充填されている薬品のリストに関する情報が主として表示される書類となっている。
「手撒き指示書」は、これから実施する分包動作の実施内容に関する情報が主として表示される書類となっている。より詳細には、これから実施される手動式薬品容器５を用いた分包動作において、手動式薬品容器５に収容される薬品名や、この分包動作の内容等の情報が表示される種類である。
「削除・回収リスト」は、使用者が削除・回収した薬品名、削除回収した日時等の履歴に関する情報が主として表示される書類となっている。
「調剤記録」は、実施後の分包動作に関する情報が主として表示される書類となっている。
【０２１８】
ここで、初期状態（出荷時の状態）では、それぞれの書類を出力する場合、書類毎に予め規定された項目を出力する設定となっている。
そして、本実施形態の散薬分包装置１では、レイアウト設定画面（図２２参照）を表示させ、各書類で印刷する項目を変更可能となっている。
【０２１９】
レイアウト設定画面には、図２２で示されるように、各種レイアウトに関する情報を表示するレイアウト情報表示領域９８と、印字可能な項目をリスト表示する項目表示領域９９と、出力結果を表示するプレビュー領域１００とを備えている。
【０２２０】
レイアウト情報表示領域９８では、登録された各種レイアウトのいずれか１つを選択し、選択したレイアウトの管理番号と名称を表示可能となっている。
【０２２１】
項目表示領域９９は、印字可能な項目をリスト表示するための部分である。ここで、レイアウト情報表示領域９８において、いずれかのレイアウトが選択されている場合には、選択されたレイアウトで印字する項目がリスト表示された状態となる。
【０２２２】
ここで、レイアウト設定画面では、選択されたレイアウトで印字する項目を追加・削除することが可能となっている。すなわち、項目表示領域９９に表示する項目の追加、削除を実施し、リスト表示された項目の中から印字する項目を選択することで、選択されたレイアウトで出力する項目が変更される。
【０２２３】
プレビュー領域１００は、これから実施する印字動作で出力される内容を表示するための部分である。より詳細には、レイアウト情報表示領域９８で選択されたレイアウトにおいて、項目表示領域９９で選択されている項目を印字した場合の内容を表示する部分となっている。
このように、実際に印字動作を実施する前に内容を確認可能な構成とすると、設定ミスによる出力のやり直しを防止することができる。
【０２２４】
ところで、本実施形態の印字動作では、上記したように、「調剤記録」を出力可能となっている。
この「調剤記録」を出力する際には、分包動作において理論的に必要とされる薬品の量（薬品関連値）の「理論値」と、実際に分包された薬品の量である「実測値」と、「実測値」に基づいて計算される「計算値」と、分包動作が正常に終了したか否かを示す「秤量結果」と、「秤量フィーダ」等の項目を表示可能となっている。
【０２２５】
「理論値」を表示する際には、分包動作１回あたりに必要とされる薬品の全量、包装された薬品の一日あたりの使用量、包装された薬品の一回あたりの使用量といった具合に、異なる基準に基づく薬品の量から、いずれか１つ又は選択される複数の量の理論値を表示可能となっている。
【０２２６】
例えば、「分包動作１回あたりに必要とされる薬品の全量」の理論値と、「分包動作で分包される薬品の一日あたりの使用量」の理論値を同時に表示可能となっている。
すなわち、理論値を表示する場合には、１つの基準に基づく理論値を表示するだけでなく、異なる基準に基づく理論値をそれぞれ表示してもよい。
【０２２７】
この場合、いずれかに基づいて他を算出する構成であってもよい。例えば、「分包動作１回あたりに必要とされる薬品の全量」の理論値から「分包動作で分包される薬品の一日あたりの使用量」の理論値を算出し、表示してもよい。
【０２２８】
「実測値」を表示する際にもまた、分包動作１回あたりに必要とされる薬品の全量、分包される薬品の一日あたりの使用量、分包される薬品の一回あたりの使用量等といった具合に、異なる基準に基づく薬品の量から、いずれか１つ又は選択される複数の量の実測値を表示可能となっている。
これらはいずれも、容器仮置部１８や容器保持台３６の重量測定手段により、分包動作の実施中に測定された値となっている。すなわち、分包動作の実施中に状況応答で取得した値となっている。
【０２２９】
この実測値を表示する場合もまた、１つの基準に基づく実測値を表示するだけでなく、異なる基準に基づく実測値をそれぞれ表示してもよい。
【０２３０】
このように、本実施形態の散薬分包装置１では、分包動作の実施時に目標とされる「理論値」と、実際に実施した分包動作で測定される「実測値」とを併記した書類を出力可能となっている。このため、使用者は「理論値」と「実測値」を簡単に比較可能であり、分包誤差の発生の有無や、分包誤差の正確な値を把握できる。
【０２３１】
以上のように、本実施形態の散薬分包装置１は、紙媒体に対して各種情報を出力可能となっている。つまり、図４４で示されるような紙媒体を出力可能となっている。
詳細に説明すると、図４４で示される紙媒体には、その上側部分に、分包動作の開始時刻と、「分包動作１回あたりに必要とされる薬品の全量」の理論値と、「分包される薬品の一日あたりの使用量」の理論値を出力している。さらに、その下方側には、分包動作で混合した各種薬品毎に、薬品名、薬品の量の実測値、薬品の量の理論値、「秤量フィーダ」のＩＤを出力している。なお、「秤量フィーダ」のＩＤとは、分包動作時に薬品を収容した薬品容器が載置された容器保持台３６を特定する情報を示すものであり、文字や数字を組み合わせて形成される識別記号となっている。加えて、さらに下方側には、分包動作の終了時刻と、総包数（薬品を一包分ずつ包装した際の包装数の合計値）を出力している。
［予約管理動作］
【０２３２】
本実施形態の散薬分包装置１では、将来実行される分包動作が実行待ち状態となっている場合、操作表示部３に秤量予約通知画面（図２３参照）を表示し、実行待ち状態の分包動作で使用予定の薬品をリスト表示することが可能となっている。
このとき、実行待ち状態の分包動作で必要な各薬品の量を算出し、その薬品の在庫量と比較する在庫比較動作を実施する。そして、在庫比較動作の結果、将来薬品が不足することが予測される場合には、その旨を使用者に通知する報知動作を実施する。
【０２３３】
なお、「実行待ち状態」とは、分包動作を実行するように操作したにも関わらず、現在他の分包動作を実行している等の理由により、即座に分包動作を実行できない状態である。この場合、対象となる分包動作は、将来実施されることが予約され、分包動作を実施可能な状況となるまで実行を待機した状態となる。そして、分包動作が実施可能な状況となり、実施されると、実行待ち状態が解消される。
【０２３４】
また、実行待ち状態の分包動作が複数ある場合は、所定の順序に従ってそれぞれの分包動作が順に実行されていくこととなる。つまり、実行待ち状態が順に解消されていくこととなる。
【０２３５】
秤量予約通知画面には、図２３で示されるように、患者情報表示領域１０５と、薬品表示領域１０６が設けられている。
【０２３６】
患者情報表示領域１０５は、現在実行待ち状態の分包動作において１回以上使用される薬品のうち、１以上の薬品が処方された患者を表示対象としている。そして、表示対象となる患者毎に、患者名、患者ＩＤ，包数等の患者に関する情報が表示されることとなる。
なお、「包数」とは、将来実施する分包動作で１服用分ずつ１以上の薬品を１袋に封入するとき、何袋がその患者を対象としたものとなるかを示す情報である。
【０２３７】
例を挙げて詳細に説明すると、仮に実行待ち状態の分包動作が３つ存在しており、１つ目の分包動作で分包される薬品が「湯山壱郎」さんと、「湯山弐郎」さんに処方され、２つ目の分包動作で分包される薬品が「湯山弐郎」さんと、「湯山参郎」さんに処方され、３つ目の分包動作で分包される薬品が「湯山四郎」さんに処方されていたとする。この場合、患者情報表示領域１０５では、「湯山壱郎」、「湯山弐郎」、「湯山参郎」、「湯山四郎」が並列して表示されることとなる。
【０２３８】
薬品表示領域１０６では、現在実行待ち状態である全ての分包動作において、１回以上使用する薬品がリスト表示されることとなる。そして、薬品毎に、薬品名、予約量、在庫量が表示され、必要に応じて不足量が表示される。
【０２３９】
「予約量」とは、対象となる薬品の将来的な必要量であり、現在実行待ち状態である各分包動作での使用量の積算値となっている。つまり、現在実行待ち状態である各分包動作における使用予定量の合計値である。
【０２４０】
「在庫量」とは、容器保管部２３に保持された自動式薬品容器４、又は、管理棚に収納された自動式薬品容器４に現在収容されている対象となる薬品の量である。
【０２４１】
この予約量と在庫量は、文字及び数字の他、グラフでも表示している。そして、図２４で示されるように、全長（図中の符号１０８）が最大量を示しており、色の異なる部分（図中の符号１０９）が現在の量を示している。なお、予約量の最大量は、在庫量の最大量と同一であり、対象となる薬品を収容している自動式薬品容器４の最大収容量（収容可能な量）となっている。
【０２４２】
なお、対象となる薬品が２つの自動式薬品容器４に収容されている場合は、在庫量が２つの自動式薬品容器４の現在の収容量の合計値であり、在庫量の最大量が２つの自動式薬品容器４の最大収容量の合計値となる。
また、本実施形態の散薬分包装置１では、上記した分包動作において、使用する薬品が２つの自動式薬品容器４に収容されている場合、収容された薬品の残量が少ない方から使用する構成となっている。すなわち、情報読取動作によって２つの自動式薬品容器４のそれぞれに収容された薬品の量を取得し、これらの量を比較する残量比較動作を実施可能となっている。そして、この動作によって残量の少ない自動式薬品容器４を特定し、特定した自動式薬品容器４から分包動作に使用する選別使用動作を実施可能となっている。
【０２４３】
ここで、本実施形態の散薬分包装置１では、予約量と在庫量を比較する比較演算（比較動作）を実施し、予約量が在庫量を上回った場合には、不足量を算出する不足量算出動作を実施する。そして、算出した不足量を表示させ、枠体を点滅表示させる不足報知動作（報知動作）を実施する。
【０２４４】
なお、この枠体は、薬品表示領域１０６のうち、それぞれの薬品を個別に表示する領域の縁部分に表示されるものであり、所定の間隔（例えば２秒）で表示と非表示を繰り返す点滅表示で表示されるものとなっている。
【０２４５】
また、この不足報知動作が実施されている状態で、不足量を表示した薬品を表示している領域を使用者が触れることにより、その薬品を充填する充填動作を実施するための画面を表示させることが可能となっている。
【０２４６】
なお、この充填動作は、上記した充填動作と同様の手順で実施される。簡単に説明すると、使用者が所定の操作を実施することで、不足した薬品を収容するための自動式薬品容器４が、容器移動装置２８により扉部１６まで搬送され、扉部１６が開いた状態となる。
そして、使用者が自動式薬品容器４を取り出し、この自動式薬品容器４に不足量又はそれ以上の薬品を手動で充填する。同時に、外部の機器により、薬品の充填量を自動式薬品容器４のＲＦＩＤに記憶させる動作を実施しておく。
さらに、扉部１６の容器仮置部１８に薬品を充填した自動式薬品容器４を載置し、所定の操作（例えば、完了ボタンを押下する）を実施する。
【０２４７】
このとき、容器仮置部１８では、自動式薬品容器４の重量を再度測定する充填検証動作を実施している。この動作の結果、自動式薬品容器４に正しい量（不足量以上）の薬品が充填されていると判別された場合、自動式薬品容器４を容器保管部２３又は容器保持台３６に移動させる動作を実施する。なお、容器保持台３６に移動させる場合とは、次に実施される分包動作が、薬品を充填した自動式薬品容器４を使用した分包動作である場合である。
対して、充填検証動作の結果、未だ自動式薬品容器４に収容された薬品が不足した状態である場合には、自動式薬品容器４を再度取り出して薬品を充填する旨を促す報知動作（例えば、操作表示部３にメッセージを表示する）を実施する。または、外部の管理棚に保管されている自動式薬品容器４、又は、手動式薬品容器５を使用した分包動作への切り替えを選択させる画面を表示させる。
［分包検証動作］
【０２４８】
本実施形態の散薬分包装置１では、過去に実施した分包動作が正しく実施されたか否かを検証するための分包検証動作を実施可能となっている。
この分包検証動作では、予め処方履歴一覧画面（図２５参照）を表示させ、いずれかの処方を選択し、選択された処方に関する分包動作を対象として分包検証動作を実施する。
【０２４９】
処方履歴一覧画面は、図２５で示されるように、検証する分包動作の処方を特定するための条件入力領域１１５と、処方をリスト表示するための処方表示領域１１６とを備えている。
【０２５０】
条件入力領域１１５では、処方の特定条件となる患者名、開始日、終了日、開始時刻、終了時刻といった項目の入力が可能となっている。
このとき、患者名の入力では、患者一覧呼出ボタン１１７を押下後に表示されるリスト（図示しない）から所定の患者を選択する、又は、使用者が直接文字を入力していくことが可能となっている。そして、開始日及び終了日の入力は、入力欄を選択することで表示されるカレンダー画面（図示しない）から日時を指定して入力することが可能となっている。
【０２５１】
そして、条件入力領域１１５で条件を入力した後、表示ボタン１１８が押下することにより、処方表示領域１１６に入力した条件を満たす処方のリストが表示されることとなる。
すなわち、患者名が入力された場合には、この患者名に適合する患者を対象とした処方がリスト表示の対象となる。また、開始日及び終了日が入力された場合は、処方された日付が入力された期間内に含まれる処方がリスト表示の対象となり、開始時刻及び終了時刻が入力された場合には、処方された時刻が入力された期間内に含まれる処方がリスト表示の対象となる。なお、これらの中から複数の条件が入力された場合には、複数の条件を全て満たすものが表示の対象となる。
【０２５２】
対して、条件入力領域１１５で何も条件が入力されない状態で、表示ボタン１１８が押下されると、記録されている全ての処方が処方表示領域１１６にリスト表示された状態となる。
なお、表示ボタン１１８は、条件入力領域１１５でいずれかの項目が入力された状態では「表示」と表記され、何も入力されていない状態（図２５の状態）では「全表示」と表記される構成となっている。
【０２５３】
そして、処方表示領域１１６に処方がリスト表示された状態（図２６参照）では、各行にそれぞれ別の処方が対応している。そして、各行のうちのいずれかが表示されている部分を指等で触れることにより、触れた部分に表示されていた行に対応する処方を未選択状態から選択状態に移行することが可能となっている。
なお、処方が選択された状態で削除ボタン１１９を押下すると、リストから選択された処方を削除する処理が実施される。さらに、処方が選択された状態で所定の操作を実施すると、選択された処方に関する具体的な内容を表示する秤量履歴画面（図２７参照）が表示される。
【０２５４】
秤量履歴画面は、図２７で示されるように、日付表示部１２５と、患者名表示部１２６と、説明表示部１２７と、エラー表示部１２８と、薬品情報表示部１２９と、推移表示部１３０と、配分動画ボタン１３１、流速ボタン１３２、秤量値ボタン１３３が設けられている。
【０２５５】
日付表示部１２５は、分包された薬品の服用日及び調剤日を表示するための部分である。
【０２５６】
患者名表示部１２６は、分包された薬品を処方された患者名に関する情報を表示するための部分である。
【０２５７】
説明表示部１２７は、服用時期、用法、処方量といった分包された薬品の服用に関する情報を表示するための部分である。
【０２５８】
エラー表示部１２８は、表示している処方に関する分包動作において、実施時に発生した不具合に関する情報（以下、エラー情報とも称す）を表示するための部分である。なお、複数の不具合が発生していた場合には、複数のエラー情報がリスト表示された状態となる。
【０２５９】
そして、エラー情報のいずれかが表示されている部分を指等で触れることにより、触れた部分に表示されていたエラー情報を未選択状態から選択状態に移行することが可能となっている。ここで、複数のエラー情報が表示されている場合、いずれか一つのエラー情報を選択状態することができる。言い換えると、選択状態となったエラー情報を除いた他のエラー情報は、全て未選択状態となる。
【０２６０】
薬品情報表示部１２９は、分包動作に使用された各薬品に関する情報を表示するための部分であり、薬品名、配分量、分包動作で使用した分配皿３５を示す情報、分包動作の形態に関する情報等が表示される部分となっている。
【０２６１】
推移表示部１３０は、薬品の流速又は秤量値の推移を示す情報が表示される部分であり、具体的には、横軸を時刻とし、縦軸を流速又は秤量値としたグラフ（図２７では流速）が表示される部分となっている。
ここで、「流速」とは、連続する時刻間に分配皿３５に供給された薬品の量の絶対値であり、「秤量値」とは、所定の時刻までに分配皿３５に供給された薬品の量の積算値となっている。つまり、推移表示部１３０は、表示対象となる分包動作での分配皿３５への薬品の供給量の推移を表示するための部分であるといえる。
なお、薬品情報表示部１２９に薬品が表示されている場合には、表示された薬品を選択することにより、グラフ中の選択された薬品に対応する折れ線が強調表示される。すなわち、折れ線が太線で表示される、折れ線の色が変わる、折れ線が点滅するといった動作が実施される。
【０２６２】
本実施形態の散薬分包装置１は、流速又は秤量値の経時変化を示すグラフを表示可能となっており、実施した分包動作が流速又は秤量値の変化が通常のものか否か、また、通常のものでない場合、違いがどの程度あるのかを即座に把握することができる。
ここで、分配皿３５や容器保持台３６等、散薬分包装置１の各部が経年使用等により劣化していくと、流速又は秤量値が通常の変化とはわずかに異なる変化をする場合がある。すなわち、問題となる程度ではないが、通常とはやや異なる変化をする場合がある。本実施形態の散薬分包装置１では、使用者がこのような変化を即座に把握できるので、将来的に起こり得る経年劣化に関する問題の発生を予測することができる。
【０２６３】
さらに、エラー表示部１２８に不具合に関する情報が表示されている場合には、エラー表示部１２８で選択状態となっているエラー情報の発生時刻を示す表示記号１３５が表示された状態となる（エラー時刻表示動作）。つまり、過去に実施した分包動作で発生した不具合を選択可能となっており、不具合が選択されたことを条件して、選択された不具合の発生時刻をグラフで視覚的に報知する報知動作を実施可能となっている。
【０２６４】
配分動画ボタン１３１は、後述する過去動画表示画面（図２８等参照）を表示するためのボタンである。
【０２６５】
流速ボタン１３２、秤量値ボタン１３３は、推移表示部１３０で表示されるグラフの項目を切り替えるためのボタンである。すなわち、流速ボタン１３２が押下されると、グラフの縦軸で示される値が「流速」となり、秤量値ボタン１３３が押下されると、グラフの縦軸で示される値が「秤量値」となる。
【０２６６】
本実施形態の散薬分包装置１では、過去動画表示画面（図２８等参照）を表示することで、不具合の発生時刻に至るまでの時間、及びエラー発生時刻に分配皿３５の周辺でどのような動作が実施されたかを検証できる。また、時間の経過に伴う流速又は秤量値の推移を、実際に分配皿３５の周辺で行われた動作と見比べつつ確認することができる。
【０２６７】
過去動画表示画面には、上方から順に、過去に撮影された動画を表示するための過去動作表示領域１３８と、シークバー表示領域１３９（時間表示部）と、グラフ表示領域１４０が設けられている。
【０２６８】
過去動作表示領域１３８では、第１過去動作表示部１４５と第２過去動作表示部１４６が左右方向に並列した状態となっている。
【０２６９】
第１過去動作表示部１４５は、一方の分配皿３５に隣接する容器保持台３６の上の薬品容器の薬品排出部及びその周囲を撮影するカメラ部材４０で撮像され、記録された動画を表示するための部分である。言い換えると、過去に実施された分包動作のうち、一方の分配皿３５で実施された分包動作において、分包動作中の一方の分配皿３５の周辺部分の様子を示す動画（過去分包画像）を表示する部分となっている。
【０２７０】
第２過去動作表示部１４６は、他方の分配皿３５に隣接する容器保持台３６の上の薬品容器の薬品排出部及びその周囲を撮影するカメラ部材４０で撮像され、記録された動画を表示するための部分である。言い換えると、過去に実施された分包動作のうち、他方の分配皿３５で実施された分包動作において、分包動作中の他方の分配皿３５の周辺部分の様子を示す動画を表示する部分となっている。
【０２７１】
シークバー表示領域１３９では、再生ボタン１４８、停止ボタン１４９、シークバー１５０が表示された状態となっている。
【０２７２】
再生ボタン１４８は、第１過去動作表示部１４５及び／又は第２過去動作表示部１４６で動画を再生するためのボタンであり、押下することで動画の再生が開始されるボタンとなっている。
【０２７３】
停止ボタン１４９は、第１過去動作表示部１４５及び／又は第２過去動作表示部１４６で再生されている動画を停止するためのボタンであり、押下することで動画の再生が停止されるボタンとなっている。
【０２７４】
シークバー１５０は、過去動作表示領域１３８に表示された動画の現在の再生位置を示すものであり、開始部分から終了部分までの間のいずれの部分を表示しているのかを視覚的に示すためのものである。また、このシークバー１５０を操作することにより、動画の再生位置を変更することが可能となっている。
【０２７５】
グラフ表示領域１４０は、上記した推移表示部１３０で表示したグラフと同様のグラフを表示するための部分である。
【０２７６】
過去動画表示画面では、過去に実施した分包動作中における分配皿３５の周辺部分の様子を示す動画と、この分包動作での分配皿３５への薬品の供給量の推移を示すグラフを一画面で表示している。そして、表示されたグラフでは、分包動作で発生した不具合の発生時間を強調表示している。
このため、使用者が不具合の発生時刻及びその前後の時間に分配皿３５の近傍で何が起こったのかを確認するとき、これらを見比べるだけで、容易に状況の把握が可能となっている。このため使用者の確認動作を簡易化できる。
［メンテナンス動作］
【０２７７】
本実施形態の散薬分包装置１では、必要に応じて分配皿３５を清掃する清掃動作を実施可能となっている。このことにより、分包動作により分配皿３５の上に薬品が僅かに残留してしまっても、残留した薬品を完全に除去することができる。すなわち、その後実施する分包動作で分配皿３５に薬品を供給したとき、供給した薬品と残留してしまった薬品が混ざってしまうことがない（所謂コンタミネーションが発生することがない）。
【０２７８】
清掃動作では、清掃装置３８の先端側部分を降下させ、分配皿３５に近接した状態とする。そして、分配皿３５を所定の速度で回転させる動作を実施する。
ここで、清掃装置３８には、残薬を吸引する吸引装置が設けられている。そして、先端側部分に回転可能なブラシ状の部分と、吸引装置の吸入口が形成されている。
つまり、清掃動作は、分配皿３５に接触したブラシ状の部分が残薬を掻きだし、上方に舞い上がった残薬を吸引装置で吸引する動作となっている。
［再分包動作］
【０２７９】
本実施形態の散薬分包装置１は、実施された各分包動作毎に実行条件を履歴情報として記憶する履歴記憶動作を実施する構成となっている。
なお、実行条件とは、分包動作で使用した各薬品の薬品名、各薬品の総使用量、一服用分当りの量、服用時期、服用回数等の情報である。
【０２８０】
この履歴記憶動作では、実施された分包動作の履歴情報である実施履歴情報の他、正常に終了した分包動作のみの履歴情報である完了履歴情報をそれぞれ記憶する構成となっている。すなわち、実施履歴情報を記憶する動作（第１履歴記憶動作）と、完了履歴情報を記憶する動作（第２履歴記憶動作）を実行可能となっている。
【０２８１】
そして、実施された分包動作の履歴情報（実施履歴情報）に基づいて再度分包動作を実施する第１再分包動作と、正常に終了した分包動作の履歴情報（完了履歴情報）に基づいて再度分包動作を実施する第２再分包動作をそれぞれ実行可能となっている。
【０２８２】
より詳細に説明すると、本実施形態の散薬分包装置１では、操作表示部３を操作することにより、分包履歴表示画面（図２９参照）を表示可能となっている。
【０２８３】
分包履歴表示画面には、過去に分包動作を実施した薬品をリスト表示する履歴表示領域１５５が設けられている。そして、所定の操作を実施することにより、過去に実施されたことのある分包動作の履歴を動作毎にリスト表示した状態と、過去に正常に終了した分包動作の履歴を動作毎にリスト表示した状態とを切替えることが可能となっている。
【０２８４】
そして、リスト表示された各動作のいずれか一つを選択し、「再発行」ボタンを押下することで、過去に実行した分包動作を再度実行する。
【０２８５】
つまり、本実施形態では、実施履歴情報に基づいて再度分包動作を実施可能となっており、何らかの理由で実施中に中断された分包動作を再度実行する際、詳細な設定動作をすることなく実行可能である。すなわち、再実行時に煩雑な操作を必要としないという利点がある。
例えば、分包動作が途中まで実行されていた場合、分包袋を開封して薬品容器（自動式薬品容器４、手動式薬品容器５）に再度薬品を導入し、再度実施するといった動作も容易に実施可能となっている。
［その他の動作］
【０２８６】
さらに、本実施形態の散薬分包装置１は、保持容器確認動作、容器姿勢判別動作、保持位置変更動作、移動距離短縮動作、振動パターン変更動作、測定手段調整動作等の各種動作を適宜実施可能となっている。それぞれの動作につき、詳細に説明する。
［保持容器確認動作］
【０２８７】
保持容器確認動作は、容器保管部２３に保持されている自動式薬品容器４の位置、それぞれの自動式薬品容器４に収容した薬品の種類及び薬品容器の重量に関する情報を取得する動作である。
この保持容器確認動作では、ドラム部材２５を回転させ、ドラム部材２５の各段に対応する位置に設けられている情報読取装置（図示しない）で、各段に取り付けられた自動式薬品容器４のＲＦＩＤタグから情報を読み取る情報読取動作を実施する。
【０２８８】
ここで、情報読取装置の数は、上記したドラム部材２５の容器設置部の数よりも少なくなっている。すなわち、本実施形態では、ドラム部材２５を回転させて情報を読み取る構成とすることにより、情報読取装置の取付数を少なくすることが可能となっている。
【０２８９】
なお、この保持容器確認動作を実施した後、容器保管部２３で保持する全ての自動式薬品容器４にそれぞれ収容した薬品の薬品名、収容した薬品の重量、保持位置等を紙等の媒体に印字して出力してもよい。特に限定されるものではないが、この印字動作は、散薬分包装置１の起動時（電源投入直後）に実施されることが望ましい。
［容器姿勢判別動作］
【０２９０】
容器姿勢判別動作は、容器保管部２３に自動式薬品容器４が正しく保持されているか否かを判別する動作である。
すなわち、上記した容器設置部の突出部材が没入しているか否かを、上記したドラム部材２５に内蔵された光センサーで検知する。加えて、ドラム部材２５を回転させる動作を実施し、上記したドラム部材２５の外側に設けられた光センサーにより、自動式薬品容器４が規定の位置から飛び出していないかどうかを検知する。これら２つの光センサーによる検知結果に基づいて、自動式薬品容器４が正規の姿勢で取り付けられたか否かを判別する。
【０２９１】
このように、本実施形態の散薬分包装置１は、ドラム部材２５を回転させ、保持容器確認動作、容器姿勢判別動作が実施可能な構成となっている。そして、このドラム部材２５の回転動作は、散薬分包装置１の起動時（電源投入直後）に自動で実施される構成となっている。なお、起動時や上記した分包動作の実施中の他、一日の始業前、各分包動作の実施前、一定時間おき、扉部１６が閉じられた直後等、所定の時期に実施してもよい。
［保持位置変更動作］
【０２９２】
本実施形態の散薬分包装置１は、特有の動作として、容器保管部２３での自動式薬品容器４の装着位置を変更する保持位置変更動作を実施可能となっている。
この保持位置変更動作は、容器保管部２３が保持しているそれぞれの自動式薬品容器４の使用頻度に基づいて、自動式薬品容器４の容器保管部２３での保持位置を自動的に変更する動作である。
【０２９３】
例えば、インフルエンザが流行した場合や、花粉が飛散する時期では、特有の薬品の使用量が突出して多くなる。すなわち、実施される分包動作において、特有の薬品を収容する自動式薬品容器４が他の自動式薬品容器４よりも頻繁に使用される状況となる。
【０２９４】
そこで、本実施形態の散薬分包装置１は、このような状況で保持位置変更動作を実施し、使用頻度の高い自動式薬品容器４を分配皿３５の近くに配置する。
【０２９５】
具体的に説明すると、容器保管部２３において自動式薬品容器４を保持しているドラム部材２５は、分配皿３５の上方に位置している。このため、ドラム部材２５の下方側は、上方側よりも分配皿３５に近い位置となる。
【０２９６】
このことから、アーム部３０が容器保管部２３から自動式薬品容器４を取り出し、自動式薬品容器４を容器保持台３６まで移動させるとき、ドラム部材２５の下方から自動式薬品容器４を取り出して移動させると、上方から自動式薬品容器４を取り出して移動させる場合に比べて、移動距離を短くすることができる。
【０２９７】
つまり、保持位置変更動作を実施し、使用頻度の高い自動式薬品容器４の保持位置をドラム部材２５の上方から下方へ移動することにより、分包動作を実施する際の自動式薬品容器４の移動距離を短くすることが可能となり、効率のよい分包動作を実施可能となる。
【０２９８】
すなわち、本実施形態の散薬分包装置１では、分包動作での自動式薬品容器４の使用回数を記憶しておく。そして、所定の自動式薬品容器４の使用回数が所定数以上となったこと、又は、他の自動式薬品容器４の使用回数を所定数だけ上回ったことを条件として、ドラム部材２５の上段側に保持されていた所定の自動式薬品容器４を下段側に移動させる。
【０２９９】
このとき、下段側に空き領域があり、自動式薬品容器４を保持可能である場合には、所定の自動式薬品容器４をそのまま下段側に移動させる。
対して、下段側に自動式薬品容器４を保持させるための空き領域が無い場合には、下段側に現在保持されている自動式薬品容器４を容器仮置部１８といった退避場所に一時的に設置し、所定の自動式薬品容器４を上段側から下段側へ移動させた後、退避場所の自動式薬品容器４を上段側へ移動させる。
［移動距離短縮動作］
【０３００】
上記した各分包動作を連続して実施する場合において、先行して実施する分包動作で使用する自動式薬品容器４が、続けて実施する分包動作で使用される場合、必要に応じて移動距離短縮動作を実施してもよい。
この移動距離短縮動作では、先行する分包動作で自動式薬品容器４から分配皿３５に散薬（薬品）を排出した後、容器保持台３６から容器保管部２３に自動式薬品容器４を移動させる動作に替わって、自動式薬品容器４を容器仮置部１８に移動させる。そして、続けて実施する分包動作において、容器仮置部１８から容器保持台３６へ自動式薬品容器４を移動させる。このことにより、自動式薬品容器４の移動距離を短縮することができる。
【０３０１】
なお、先行して実施する分包動作で使用しない容器保持台３６が存在する場合には、容器保持台３６から容器保管部２３に自動式薬品容器４を移動させる動作に替わって、自動式薬品容器４を使用しない容器保持台３６に移動させてもよい。この場合には、続けて実施する分包動作において、先行する分包動作で使用しない容器保持台３６から、所定の容器保持台３６へと自動式薬品容器４を移動させる。このことでも、自動式薬品容器４の移動距離を短縮できる。
［振動パターン変更動作］
【０３０２】
本実施形態の散薬分包装置１は、振動台部を振動させる際、振幅を増減させる振動パターン変更動作が実施可能となっている。
【０３０３】
詳細に説明すると、本実施形態の散薬分包装置１では、上記したように、各分包動作を実施するとき、容器保持台３６の振動台部を振動させ、容器保持台３６に保持された薬品容器の内部から分配皿３５に薬品を供給している。
【０３０４】
ここで、振動台部を振動させ続けているにも関わらず、薬品容器から薬品が供給されなくなってしまう場合や、単位時間当たりの供給量が極端に少なくなってしまう場合が考えられる。この場合、原因としては、自動式薬品容器４の内部で粉末状の薬品が固着して塊になってしまうことや、自動式薬品容器４の内部に薬品が無いことが考えられる。
【０３０５】
なお、自動式薬品容器４の内部に薬品が無いという状況は、上記した予約管理動作が何らかの理由で正常に実施されず、不足量が表示されずに分包動作が開始されてしまい、且つ、容器保持台３６の重量測定手段でも自動式薬品容器４の内部に薬品が収容されていないことが検知できなかった場合に生じる可能性がある。
【０３０６】
本実施形態では、振動台部を振動させ続けているにも関わらず、単位時間当たりの供給量が一定未満となったとき、まず、振動の振幅を大きくする振動パターン変更動作を実施し、薬品の塊を砕く動作を実施する。すなわち、まず、薬品の塊が形成されている場合を想定し、原因の解消を図る。このとき、想定の通りに薬品が塊になったことが原因であれば、振幅を大きくし、自動式薬品容器４を大きく振動した状態とすることで、塊が砕け、原因が解消する可能性がある。
【０３０７】
振幅を大きくする振動パターン変更動作を実施したにも関わらず、単位時間当たりの供給量が一定未満である場合には、振動台部の振動を停止し、使用者に対して分配皿３５に単位時間あたりに所定量の薬品が供給されない旨を報知する報知動作が実施される。
この報知動作は、操作表示部３に所定のメッセージを表示する動作や、音声、警報音等の音を発する動作、あるいは、別途設けた非常灯を点灯するといった光を発する動作等により実施される。
【０３０８】
さらに、本実施形態の散薬分包装置１では、この報知動作が実施された後、欠品処理を適宜実施する。
すなわち、アーム部３０の使用又は手動により、薬品が排出できなかった自動式薬品容器４を本体装置２から取り出し、この自動式薬品容器４を使用者が点検する。
【０３０９】
このとき、自動式薬品容器４の内部で粉末状の薬品が固着して塊になっている場合、使用者が塊を砕く。また、自動式薬品容器４の内部に薬品が無いことが確認された場合には、薬品を充填する。
【０３１０】
その後、アーム部３０の使用又は手動により、点検の終わった自動式薬品容器４を容器保持台３６に載置し、分配皿３５への薬品の供給動作を再開する。すなわち、振動台部の振動を再開し、分配皿３５を再度回転させる。
ここで、前記したように、本実施形態の散薬分包装置１では、自動式薬品容器４から分配皿３５に薬品が供給されている間、自動式薬品容器４の重量が常時検知される構成となっている。すなわち、中断前までに分配皿３５に供給した薬品の重量が記憶された状態となっている。
このことから、分配皿３５への薬品の供給動作を再開されると、中断前までに分配皿３５に供給した薬品の重量に基づいて、残りの供給量を算出し、算出した供給量だけ薬品を分配皿３５に供給する。
【０３１１】
本実施形態では、振幅を大きくする振動パターン変更動作を実施したにも関わらず、単位時間当たりの供給量が一定未満である場合には、振動台部の振動を停止し、アーム部３０によって自動式薬品容器４を容器仮置部１８まで移動させる動作を自動的に実施する。そして、使用者が扉部１６を開いて自動式薬品容器４を取り出す構成となっている。
【０３１２】
上記した実施形態では、第３分包動作の実施時に手動式薬品容器５を使用する例を示したが、これに限らず、自動式薬品容器４を使用して第３分包動作を実施してもよい。すなわち、手動式薬品容器５に替わって自動式薬品容器４を使用してもよい。
【０３１３】
上記したデータ記憶部は、本体装置２に内蔵されるＨＤＤに限るものでなく、本体装置２にケーブル等を介して接続された外付けＨＤＤ等を採用してもよい。また、本体装置２に内蔵されたＨＤＤと、外付けＨＤＤを併用する構成であってもかまわない。
【０３１４】
上記した実施形態では、操作ボタン部８８を操作し、分配皿３５への散薬の排出速度を変更する例を示した。しかしながら、本発明はこれに限るものではない。
例えば、図３０で示されるように、速度上昇ボタンと速度下降ボタンを設け、それぞれを押下することで速度が増減するという構造としてもよい。また、この速度上昇ボタン、速度下降ボタンの近傍に棒状のメモリ等の速度の段階を視覚的に表示するメモリ部を設けてもよい。
【０３１５】
上記した各動作に加え、薬品容器の内部から分配皿３５に散薬（薬品）を供給する際に、外部から振動や衝撃が加わること等により、排出速度が急激に変化したことが検知された場合、その旨を報知する報知動作（例えば、操作表示部３に警告メッセージを表示させる、警報音を発する等）を実施し、緊急停止するか否かを選択させるメッセージを操作表示部３に表示させてもよい。
ここで、緊急停止されなかった場合には、そのまま分包動作を継続させ、排出速度が急激に変化した旨（異常の発生）を履歴情報に記憶する動作を実施する構成としてもよい。
【０３１６】
上記した各動作に加え、各分包動作によって形成される１又は複数回分に区画された分包袋と、それに内蔵される散薬の総重量を算出し、分包袋に直接又は紙等の媒体に算出した結果を印字する構成としてもよい。
【０３１７】
例えば、分包袋の原料であり、芯管にロール状に巻きつけた状態で筐体１０の内部に収容する長尺状シートに対し、芯管部分にＲＦＩＤを取り付けた構成とする。そして、このＲＦＩＤに書き込まれた情報を読み取ることにより、長尺状シートの重量を取得する重量取得動作を実施可能とする。
ここで、各分包動作の前後で重量取得動作をそれぞれ実施し、取得した重量を比較する動作を実施することで、対象となる分包動作で作成した分包袋の重量を算出する。そして、算出した分包袋の重量と、分包動作で使用した薬品の総使用量（総排出量）から、分包袋とそれに内蔵される散薬の総重量を算出する。
【０３１８】
また、別の例として、芯管部分に取り付けたＲＦＩＤの情報を読み取り、出力した長尺状シートの長さを取得すると共に、この長さと、未使用状態の長尺状シートの総重量から、作成した分包袋の重量を算出してもよい。そして、このように算出した分包袋の重量と、分包動作で使用した薬品の総使用量（総排出量）から、分包袋とそれに内蔵される散薬の総重量を算出してもよい。
【０３１９】
そして、分包袋を形成する際、分包袋と内蔵される散薬の総重量を直接印字すると、形成した分包袋を天秤に乗せるだけで、使用者が印字された内容を見つつ監査を行うことが可能となるので、業務の利便性の向上を図ることができる。
なお、分包袋と内蔵される散薬の総重量を印字するとき、他の情報と共に印字してもよい。この他の情報としては、秤量開始時間、引換券番号、年齢、体重、薬品名、１日量（理論値及び／又は実測値）、総量（理論値及び／又は実測値）、薬包込総重量（理論値及び／又は実測値）、分数、日数等の情報がある。
【０３２０】
上記した各分包動作のうち、自動式薬品容器４を使用した分包動作を実施する場合、分配皿３５への散薬の排出動作が開始される前に、使用する薬品容器を自動式薬品容器４から手動式薬品容器５に切り替える容器切替動作を実施してもよい。
すなわち、操作表示部３にこれから実施する分包動作（又は現在実施中の分包動作）で使用する薬品のリストから所定の薬品を選択し、所定の操作を実施することで、手動式薬品容器５から分配皿３５に薬品を排出するように設定する。そして、分包動作の実施前（又は実施中に）一時的に正面ドア３４を上昇させ、容器保持台３６に予め薬品を充填した手動式薬品容器５を載置する。
【０３２１】
上記した例では、分包動作に関する動画像を表示する例を示したが、動画像に限らず静止画像を表示してもよい。例えば、分包動作の実施中において、数秒ごとに撮影動作を実施する。その一方、分包動作で形成される分包袋に処方（分包動作）を特定するためのバーコードを印字する。そして、所定の読取装置によりバーコード情報を読み取る動作を実施し、対応する静止画像を操作表示部３に表示する。このことにより、分配皿３５に薬品が正常に排出されたか否かを確認する。
なお、読取装置は、本体装置２と一体に設けてもよく、別途設けて通信ネットワークで接続された状態してもよい。
【０３２２】
上記した例では、所定数（本実施形態では６つ）以上の薬品を混合して分包する分包動作を実施する場合において、自動式薬品容器４と手動式薬品容器５の双方を使用して分包動作を実施した。この分包動作では、手動式薬品容器５を使用して分配皿３５に排出する薬品を指定可能とし、所定の薬品を選択することを促す動作を実施してもよい。
【０３２３】
具体的に説明すると、データベース編集動作において、「薬品マスタ」に薬品を登録する際、「手撒きカセット優先順位」の項目（優先順位を指定する項目）を入力可能とする。この項目は、例えば、高、中、低から選択して入力可能とする。
そして、所定数（本実施形態では６つ）以上の薬品を混合する分包動作を実施するとき、優先順位の高いものから順に手撒き推奨薬品として表示する（又は優先順位の違いが明確となるようにリスト表示する）。
【０３２４】
なお、手動式薬品容器５を使用する薬品の数（以下、設定数とも称す）が予め設定されている場合（又は使用者によって指定された場合）に、設定数以上に優先順位が同じ薬品が存在するときには、登録順に設定数だけ提示してもよい。
【０３２５】
また、上記した優先順位の設定は適宜実施可能であるが、麻薬、毒薬、向精神薬、劇薬等のハイリスク薬品、顆粒薬、色つき薬、要冷所保管薬等を考慮して設定することが好ましい。
例えば、ハイリスク薬品を「低」とし、クロスコンタミネーションの発生可能性を低下させてもよい。また、飛散しやすい薬品を「低」とし、手動式薬品容器５に薬品を充填する手間を低減してもよい。逆に顆粒薬のような手動式薬品容器５に充填し易い薬品を「高」としてもよい。また、色つき薬を「低」とし、手動式薬品容器５への着色を防止してもよい。
【０３２６】
上記したように、本実施形態の薬品容器には、情報記録部材（ＲＦＩＤのチップ）が取り付けられており、情報読取動作と、情報書込動作を適宜実施可能となっている。このことにより、以下の動作が可能となっている。なお、一部重複する説明があるが、全て上述に記載の構成及び動作に準拠するものとする。
【０３２７】
ＲＦＩＤには、薬品の名称等の他、薬品容器内の薬品の残量が記録される。
本実施形態の散薬分包装置１を起動したとき、ドラム部材２５に搭載された全ての薬品容器に収容された薬品の種類と残量がＲＦＩＤから読み出され、制御部に記録される。すなわち、ドラム部材２５を回転し、情報読書装置（一体又は別体として設けられた情報読取装置と情報書込装置）でＲＦＩＤの情報が読み取られる。またドラム部材２５のどの位置にどの薬品容器が収容されているかが確認され、記録される。
【０３２８】
また、本実施形態では、容器保持台３６の近傍に情報読書装置が設けられている。そして薬品を分包するために容器保管部２３から薬品容器を取り出し、薬品容器を容器保持台３６に置いた時に対象薬品か否かが確認される。
【０３２９】
また、分配作業が終了した際、分配作業が終了した際、容器保持台３６の近傍に情報読書装置によって、ＲＦＩＤに記録された薬品容器内の薬品の残量が書き換えられる。
【０３３０】
また、分包が終了して容器保管部２３に薬品容器を戻す前に、薬品容器が容器仮置部１８に設置され、薬品容器の重量が再度測定される。この様に本実施形態の散薬分包装置１では薬品の重量が二重に確認される。
【０３３１】
容器仮置部１８から容器保管部２３に薬品容器を戻した後、ドラム部材２５を回転させて戻された薬品容器を情報読書装置に近づけ、容器保管部２３に戻された薬品容器が元の薬品容器であることが確認される。
【０３３２】
また、外部から散薬分包装置１に薬品容器を収容する際には、操作表示部３で薬品容器に収容された薬品の情報を入力する。そして容器仮置部１８に薬品容器を設置し、所定の操作をすることにより、薬品容器の重量が測定され、その重量がＲＦＩＤに書き込まれる。またＲＦＩＤから薬品の情報が読み出され、使用者が入力した薬品であることが確認される。
【０３３３】
薬品容器内の薬品が不足し、薬品容器に薬品を補充して散薬分包装置１に薬品容器を収容場合も同じである。
なお、薬品容器内の薬品が不足している場合は、容器保持台３６又は容器保管部２３から薬品容器が扉部１６の容器仮置部１８に移動させられる。そして扉部１６が自動的に開き、使用者が薬品容器を取り出せる状態となる。
【０３３４】
通常時に容器保管部２３に収容していない薬品（以下、非常備薬品とも称す）を分包する際には、当該薬品を収容した薬品容器を上記した手順で散薬分包装置１に入れるが、この場合についてもＲＦＩＤから薬品（非常備薬品）の情報が読み出され、使用者が入力した薬品であることが確認される。
また、非常備薬品を使用する場合については、薬品容器は、直接容器保持台３６に運ばれて分配が開始される。
非常備薬品が充填された薬品容器は、分配が終了すると直ちに容器仮置部１８に移動させる。そして扉部１６が自動的に開き、使用者が薬品容器を取り出せる状態となる。
【０３３５】
スライド式の正面ドア３４は、通常作業においては開く必要は無いが、何らかのトラブル発生時に正面ドア３４を開けた時には、容器保管部２３の薬品容器は自由に抜き差しできる環境となる。そのため、薬品容器が入れ替わっていないことと、再度薬品容器の位置を念のため確認することを目的として、正面ドア３４が閉じられた時には、散薬分包装置１を起動した際と同様にドラム部材２５に搭載された全ての薬品容器に収容された薬品の種類と残量が、ＲＦＩＤから読み出され、制御部に記録される。すなわち、ドラム部材２５を回転し、情報読書装置でＲＦＩＤの情報が読み取られる。またドラム部材２５のどの位置にどの薬品容器が収容されているかが確認され、記録される。
【０３３６】
上記した散薬分包装置１は、図３１で示されるように、制御装置１６０と構内通信網（ＬＡＮ）等の通信網を介して互いにデータ（信号）を送受信可能な状態とすることで、散薬調剤業務支援システム１６１を構築することが可能となっている。この散薬調剤業務支援システム１６１について詳細に説明する。
【０３３７】
この散薬調剤業務支援システム１６１は、図３１で示されるように、制御装置１６０と、薬品秤量装置６と、散薬分包装置１とを備えており、制御装置１６０と他の調剤機器（薬品秤量装置６と、散薬分包装置１）とが構内通信網（ＬＡＮ）等の通信網を介して互いにデータ（信号）を送受信可能な状態に接続されている。
また、制御装置１６０は、医師が使用する外部ＰＣ１６２とも互いにデータを送受信可能な状態で接続されている。そして、医師が外部ＰＣ１６２に処方に関する情報を入力することで、散薬調剤業務支援システム１６１を構成する各機器で使用される処方データが作成されることとなる。
【０３３８】
すなわち、医師が外部ＰＣ１６２で処方に関するデータを入力すると、外部ＰＣ１６２から制御装置１６０に信号が送信され、制御装置１６０で散薬分包装置１に送信するための処方に関するデータ（以下、単に処方データとも称する）が作成される。そして、この処方データに含まれる処方が散薬分包装置１だけで自動的に処理できる処方であるか否かを判別する判別動作が実施される。なお、この判別動作は、制御装置１６０で実施してもよく、制御装置１６０から散薬分包装置１へ処方データを送信した後、散薬分包装置１で実施してもよい。
【０３３９】
この判別動作は、処方データに含まれる処方が、上記した第１分包動作又は第２分包動作によって分包可能か否かを判別する動作である。
この判別動作の結果、処方データに含まれる処方が散薬分包装置１だけで自動的に処理できる処方であり、さらに第１分包動作で対応可能である場合には、第１分包動作で第１分包動作が実施される。また、処方データに含まれる処方が散薬分包装置１だけで自動的に処理できる処方であるが、第１分包動作が実施できない場合には、第２分包動作を実施する。
【０３４０】
このような構成とすることで、第１分包動作又は第２分包動作によって分包可能な処方については、外部ＰＣ１６２で入力操作を実施するだけで、自動で処理されることとなる。このことにより、散薬分包装置１で入力を実施することなく、散薬の分包が可能となる。
【０３４１】
ここで、散薬調剤業務支援システム１６１において実施可能な自動式薬品容器４への散薬（薬剤）の充填動作について説明する。
散薬調剤業務支援システム１６１でも、上記した充填動作と同様に、散薬分包装置１に自動式薬品容器４をドラム部材２５に保持させる動作が可能となっている。これに加えて、散薬調剤業務支援システム１６１では、外部の管理棚に保管する自動式薬品容器４に対して散薬を充填する場合に、自動式薬品容器４への散薬の充填を制御装置１６０に登録する動作が可能となっている。この登録動作について詳細に説明する。
【０３４２】
まず、動作に先立って、自動式薬品容器４に散薬を充填しておく。この充填作業は、薬剤師の手作業によって行われる。さらに、薬剤の充填に伴って、自動式薬品容器４のＲＦＩＤタグに各種情報を記憶させておく。より詳細には、充填作業を実施した者を示す充填者名（又は、充填者ＩＤ）、充填日、充填量、充填した薬品名といった情報を記憶させておく。
【０３４３】
そして、操作表示部３を操作して扉部１６を開放し、散薬を充填した自動式薬品容器４を容器仮置部１８に載置する。このとき、制御装置１６０を操作することで、制御装置１６０から散薬分包装置１へと信号が送信されることとなる。散薬分包装置１が信号を受信すると、容器仮置部１８の重量測定手段により、自動式薬品容器４の重量を測定する重量測定動作が実施される。加えて、測定した重量を自動式薬品容器４のＲＦＩＤタグに記憶させる情報書込動作が実施される。
【０３４４】
重量測定動作、情報書込動作が完了すると、散薬分包装置１から制御装置１６０に対して動作完了を示す信号が送信される。そして、操作表示部３に自動式薬品容器４を扉部１６から取り出すことを促すメッセージが表示される。この状態で、使用者が自動式薬品容器４を取り出すことにより、一連の登録動作が完了する。
【０３４５】
なお、上記した例では、制御装置１６０から送信された信号を散薬分包装置１が受信することで、重量測定動作、情報書込動作が実施される例について説明したが、これに替わって、操作表示部３を操作することで重量測定動作、情報書込動作が実施される構成としてもよい。
さらにまた、散薬調剤業務支援システム１６１において、自動式薬品容器４をドラム部材２５に保持させる充填動作を実施する際、制御装置１６０を操作し、散薬分包装置１が制御装置１６０から送信された信号を受信することで、重量測定動作、情報書込動作、自動式薬品容器４を移動させる同等の各種動作を実施してもよい。すなわち、操作表示部３を操作することで各種動作を実施してもよく、制御装置１６０から信号を受信することで各種動作を実施してもよい。
【０３４６】
ところで、散薬分包装置１では、上記したように、薬品容器（自動式薬品容器４又は手動式薬品容器５）を容器保持台３６の上に載置し、容器保持台３６の振動台部に振動動作を実施させている。そして、振動動作の開始前に取得した薬品容器の重量（原重量）と、振動動作中に取得し続ける薬品容器の現在の重量（現重量）とを比較し、原重量から現重量を差し引いた値である散薬の供給量が規定量となったことを条件として、振動動作を停止している。
【０３４７】
ここで、振動動作を停止させるとき、振動動作の停止後に慣性によって薬品容器から散薬が排出されてしまうことが考えられる。すなわち、振動動作の停止後にわずかな散薬が分配皿３５に供給されてしまうことが考えられる。この場合、実際に供給した散薬の供給量が供給予定量となってから振動動作を停止したのでは、分配皿３５に供給予定量よりも多くの散薬を供給してしまうおそれがある。つまり、散薬の供給量が規定量となったことを条件として振動動作を停止する場合、この規定量を供給予定量と同量としてしまうと、供給予定量よりも多くの散薬を分配皿３５に供給してしまう可能性がある。
【０３４８】
そこで、本実施形態の散薬分包装置１では、振動動作の停止後に排出が予測される散薬の量を想定し、規定量を設定している。すなわち、供給予定量よりも少量となる規定量を設定し、散薬の供給量が規定量となったことを条件として振動動作を停止している。
【０３４９】
より具体的には、散薬分包装置１は、供給予定量とすでに供給した散薬の量から残りの供給量を算出すると共に、実行中の振動動作における所定時間あたりの供給量を算出することが可能となっている。さらに、振動動作の停止後に慣性によって薬品容器から流れ出る散薬の量が予め実験等によって導出されており、データ記憶部に記憶されている。このことから、振動動作の停止後に供給されることが予測される散薬の量を取得可能となっている。
そして、分配皿３５に散薬を供給し続けた後、残りの供給量が振動動作の停止後に薬品容器から供給される散薬の量と同量となったとき、振動動作を停止している。つまり、上記した条件となる「規定量」とは、供給予定量から振動動作の停止後に供給される散薬の量を差し引いた値となっている。
【０３５０】
ここで、散薬分包装置１に人がぶつかってしまう等の理由により、散薬分包装置１が瞬間的に揺らされた場合について考える。この場合、薬品容器や容器保持台３６等に揺れが伝わることで、散薬分包装置１が算出する時間当たりの散薬の供給量の値が一時的に増加してしまうおそれがある。すなわち、散薬分包装置１が算出する散薬の供給量が、実際に供給した散薬の供給量を上回ってしまうおそれがある。すると、散薬分包装置１は、実際には十分な量が供給されていないにもかかわらず、十分な量を供給したものと判断し、振動動作を停止しまうことになる。すなわち、実際に分包する散薬の量が予定していた量よりも少なくなってしまうという不具合が発生してしまう可能性がある。
【０３５１】
そこで、本実施形態の散薬分包装置１では、少量排出時において通常時とは異なる振動動作を実施可能となっている。この動作につき、以下で詳細に説明する。
【０３５２】
本実施形態の散薬分包装置１は、薬品容器（自動式薬品容器４又は手動式薬品容器５）を容器保持台３６の上に載置し、容器保持台３６の振動台部を振動させる際、供給予定量、所定量の散薬をすでに供給した際の残りの供給量、所定時間あたりの供給量に基づいて、振幅及び振動周波数を変更して振動動作を実施可能となっている。
例えば、供給予定量が少量である場合や、残りの供給量が少量となった場合に、振幅を小さくし、振動周波数を下げることで、所定時間あたりの供給量を低下させた状態で供給することが可能となっている。なお、特に限定されるものではないが、本実施形態では、残りの供給量が少量となった場合とは、残りの供給量が４ｇ以下となった場合としている。すなわち、予め設定した基準値を下回った場合に、少量になったものと判別している。
【０３５３】
そして、振幅を小さくし、振動周波数を下げた振動動作（以下、低出力振動動作とも称す）を実行している際には、散薬の時間当りの供給量の値が急激に増加しても振動動作を停止しない動作を実行している。つまり、通常時では、時間当りの供給量の値が急激に増加した際には振動動作を異常停止させるのに対し、残りの供給量が少量である時には、散薬の時間当りの供給量の値が急激に増加しても振動動作を停止しない動作を実行している。
【０３５４】
さらに具体的には、低出力振動動作の実行時において、取得した時間当りの供給量が、その直前に取得した時間当たりの供給量よりも基準値（本実施形態では０．３ｇ）以上増加したとき、所定時間（本実施形態では３００ｍｓ）だけ待機動作を実施している。この待機動作とは、散薬を供給する際に実施する時間当たりの供給量を取得する動作と、それに基づいて振動動作を停止させるか否かの判別を実施する動作とを一時的に実施しない動作である。このことにより、散薬分包装置１が外力によって揺さぶられ、算出する時間当たりの散薬の供給量の値に瞬間的な増加があっても、振動動作が誤停止してしまうことがない。
なお、この少量排出時に実施する振動動作は、それぞれの容器保持台３６で個別に実施可能となっている。
【０３５５】
付言すると、低出力振動動作を実施している際には、散薬が少しずつ供給されるため、通常は時間当りの供給量が急激に増加することはない。すなわち、低出力振動動作の実施時において、時間当りの散薬の供給量が急激に増加したことが検知された場合、それが誤検知である可能性が極めて高い。そこで、低出力振動動作の実施中に時間当りの散薬の供給量が急激に増加したことが検知された場合、極めて短時間の待機動作を実施し、一時的に振動動作を停止させるか否かの判別を実施しない構成としている。このことにより、人がぶつかる等の理由により散薬分包装置１が一瞬だけ揺さぶられたとしても、その影響を排除することが可能となり、誤動作を防止できる。そして、地震等によって散薬分包装置１に長時間振動が加わった場合等においては、通常通り緊急停止を実施することができる。
【０３５６】
これに加え、本実施形態の散薬分包装置１は、薬品容器（自動式薬品容器４又は手動式薬品容器５）を容器保持台３６の上に載置した後、容器保持台３６が安定した状態となっているのか否かを判別する安定性判別動作を実施可能となっている。
【０３５７】
より詳細に説明すると、容器保持台３６は、例えば薬品容器が載置された直後のように、重量測定手段によって計測する値が安定しない状態となる場合がある。すなわち、薬品容器から載置した際の振動が伝わったりしている場合、同じ対象物を検知しているにも関わらず、測定時刻によって測定される値が異なるという現象が生じてしまう。すなわち、容器保持台３６は、状況によって精度の高い測定が可能な安定状態である場合と、精度の高い測定が不可能な不安定状態である場合とがある。
【０３５８】
そこで本実施形態では、容器保持台３６が安定状態であるか否かを判別する安定性判別動作を実施している。
具体的には、所定時間（例えば１秒）に亘って容器保持台３６の重量測定手段によって薬品容器の重量を検知し、その間に検知した値が大きく変化しない場合（変化量が所定量以下であり、誤差の範囲内である場合）、容器保持台３６が安定状態であると判別している。
【０３５９】
そして、容器保持台３６が安定状態であることが確認されると、上記したように薬品容器の原重量及び現重量を取得し、振動動作を開始している。
【０３６０】
ところで、このような安定性判別動作では、容器保持台３６が何らかの理由で一時的に安定することに起因する誤検知の発生が考えられる。すなわち、実際は容器保持台３６が安定状態ではないのにもかかわらず、安定性判別動作を実施した所定時間（例えば１秒）の間だけ、偶然に重量の変化量が少なくなってしまうことで、容器保持台３６が安定状態であると誤った判断してしまう可能性がある。言い換えると、この安定性判別動作を単に実施したのみでは、安定状態がそのまま継続するのか否かが判別不能であるため、重量を高精度で取得するという観点から改良の余地がある。
【０３６１】
そこで、本実施形態の散薬分包装置１では、このような誤検知を防止すべく、以下で説明する一連の動作を実施している。
まず第１の動作として、薬品容器が容器保持台３６の上に載置されたとき、すぐに安定性判別動作を実施せず、所定時間待機する動作を実施する。すなわち、薬品容器が載置された直後は不安定状態である可能性が高いため、所定時間待機する動作を実施する。
そして、その後に安定性判別動作を実施し、容器保持台３６が安定状態であると判別された場合（少なくとも一時的に安定状態であると判別された場合）、第２の動作を実施する。
【０３６２】
第２の動作では、所定時間（本実施形態では２．５ｍｓ）毎に、容器保持台３６の重量測定手段によって薬品容器の重量を検知する。また、このとき検知した重量と直前に取得した重量と比較し、重量が大きく変化していないか否かの判別（安定状態が継続しているか否かの判別）を実施する。そして、一定の期間（本実施形態では１秒）に亘って継続して安定状態である（不安定状態でない）ことが確認されたことを条件として、容器保持台３６が継続して安定状態であると判別する。容器保持台３６が継続して安定状態であると判別されると、第３の動作を実施する。
【０３６３】
第３の動作では、所定時間（本実施形態では２．５ｍｓ）毎に検知した薬品容器の重量の平均値を薬品容器の原重量として取得し、振動動作を開始する。この第１の動作から第３の動作までの一連の動作を実施することで、薬品容器の原重量を高い精度で算出することが可能となる。
【０３６４】
なお、分配皿３５に散薬の供給を開始する前だけでなく、分配皿３５に散薬の供給が終了した後の薬品容器の重量を取得する際、この一連の動作を実施してもよい。すなわち、第１の動作から第３の動作までの一連の動作を実施し、所定時間毎に検知した薬品容器の重量の平均値を薬品容器の供給終了時の重量として取得してもよい。
【０３６５】
ここで、上記した掻出装置３７（図４等参照）についてより詳細に説明する。
掻出装置３７は、具体的には、図３２で示されるように、円盤状のターンテーブル１７０の上面にアーム部材１７１が固定されており、アーム部材１７１がターンテーブル１７０の外側に向かって突出している。このことから、ターンテーブル１７０を回動させることで掻出装置３７の略全体を旋回させることが可能となっている。
また、アーム部材１７１の先端側には、掻寄板１７２と、仕切板１７３と、掻出板１７４とが取り付けられている。
【０３６６】
掻寄板１７２は、薄板で作られた小型円盤状の部材であり、その厚さ方向がアーム部材１７１の突出方向と垂直となるように取付けられている。言い換えると、掻寄板１７２は、アーム部材１７１の側面のうち突出方向と垂直となる面に固定され、直立した姿勢をとっている。
また、掻寄板１７２の周縁部分には、分配皿３５の上面と密着するようにゴム又は樹脂の円周部シール材１７５が設けられている。
【０３６７】
仕切板１７３は、掻寄板１７２と平行になるように配された薄板状の部材であり、扇型に近い形状をしている。すなわち、仕切板１７３は、中心角が３０度程度の円弧と、直線の２辺によって形付けられた略三角形の板となっている。
【０３６８】
掻出板１７４は、掻寄板１７２と、仕切板１７３の中心角を成す直線状の一辺とに接触しており、これらの双方と直交するように配された板状の部材となっている。言い換えると、掻寄板１７２の円形面から外側に突出するように形成されている。
この掻出板１７４の端辺にもまた、分配皿３５の上面と密着するようにゴム又は樹脂の掻出用シール材１７６が設けられている。
【０３６９】
次に、上記した分包動作時の掻出装置３７の具体的な動作について説明する。
【０３７０】
本実施形態の掻出装置３７は、分配皿３５と連動することで、分配皿３５の上に広がった散薬の一部を掻寄板１７２の周辺に寄せ集める掻寄動作と、寄せ集めた散薬を薬品導入口３９に投入する掻出動作を実施可能となっている。掻寄動作と掻出動作からなる一連の動作について説明する。
【０３７１】
まず、上記したように、薬品容器から分配皿３５に散薬が排出され、分配皿３５が回転することで、分配皿３５の上面全体に散薬が満遍なく広がった状態となる。そして、薬品容器から分配皿３５への排出が停止した後、分配皿３５の回転が停止する。
この状態で、図３３（ａ）で示されるように、アーム部材１７１が下方側へ回動し、掻寄板１７２の周縁部分が分配皿３５の上面と接触した状態となる（図３３（ｂ）参照）。言い換えると、掻寄板１７２の下方側の部分が分配皿３５の窪んだ部分に入り込んだ状態となる。
【０３７２】
この状態で、分配皿３５を散薬の分割数に応じた角度だけ回転させ、分配皿３５の上に広がった散薬の一部を掻寄板１７２の周辺に寄せ集めた状態とする（図３３（ｃ）参照）。そして、掻寄板１７２を回転させることにより、寄せ集めた散薬を薬品導入口３９に投入する。
【０３７３】
具体的には、図３４で示されるように、掻寄板１７２を正面からみたときに時計回りとなる方向に回転させる。すると、掻寄板１７２の回転に伴って掻出板１７４もまた移動することとなる。そして、掻出板１７４が寄せ集められた散薬と接触した状態となる（図３４（ｂ）参照）。このとき、掻出板１７４は、分配皿３５の溝部分における断面の円弧半径に沿う方向であり、且つ、内側から外側に向かう方向（図３４における右側から左側に向かう方向）に移動する。このため、掻出板１７４は、分配皿３５の径方向内側から寄せ集められた散薬に接触することとなる。
【０３７４】
この状態で、そのまま掻寄板１７２を回転させていくことにより、散薬が分配皿３５の径方向における外側端部まで押されていく（図３４（ｃ）参照）。そして、分配皿３５から外側に押し出された散薬は、分配皿３５の外側に隣接する薬品導入口３９に落とし込まれることとなる。
【０３７５】
ところで、上記したように、掻出板１７４には、分配皿３５の上面と密着するようにゴム又は樹脂の掻出用シール材１７６（図３２等参照）が設けられている。このことにより、掻出板１７４が分配皿３５と接触するとき、掻出板１７４と分配皿３５の上面の間に隙間が形成されることがない。すなわち、寄せ集めた散薬を外側へと押し出していくとき、掻出板１７４と分配皿３５の間から散薬が漏れ出てしまうことがない。このため、散薬を薬品導入口３９に投入する際に、散薬の分配皿３５の上への残留を防止できる。
【０３７６】
しかしながら、静電気が発生する等の理由により、この掻出用シール材１７６に微量の散薬が付着してしまうことが考えられる。この場合、掻出用シール材１７６が付着した散薬を薬品導入口３９へと落とし込むことができず、一包あたりの散薬の量が予定より少なくなるといった不具合の発生が考えられる。
【０３７７】
そこで、本実施形態では、掻出動作を実施する際に、掻出用シール材１７６に付着した散薬を掻出用シール材１７６から除去し、除去した散薬を薬品導入口３９に落とし込むための払い落とし動作を実施している。
【０３７８】
この払い落とし動作は、上記した通常の掻出動作に続いて実施する。
まず、上記したように、掻出板１７４を薬品導入口３９の近傍となる所定位置まで移動させ（図３４（ｄ）参照）、寄せ集められた散薬の略全てを薬品導入口３９に落とし込む。そして、この状態から、掻寄板１７２を通常とは逆方向に回転させる。すなわち、掻寄板１７２を正面からみたときに反時計回りとなる方向に回転させる。
【０３７９】
このことにより、掻出板１７４の掻出用シール材１７６が分配皿３５の上面に密着した状態で、分配皿３５の上面に沿って移動する。すなわち、掻出板１７４は、分配皿３５の溝部分における断面の円弧半径に沿う方向であり、且つ、外側から内側に向かう方向（図３４における左側から右側に向かう方向）に移動する。
【０３８０】
このように、掻出用シール材１７６を分配皿３５に擦り付けつつ移動させることにより、掻出用シール材１７６に付着していた散薬が分配皿３５の上に落下する。そして、掻出板１７４を一定距離に亘って移動させると、掻寄板１７２の回転を停止し、掻寄板１７２を直前の回転方向とは逆方向に回転させる。すなわち、掻寄板１７２の回転を停止し、その後に、通常と同じく、正面からみたときに時計回りとなる方向に回転させる。
このことにより、掻寄板１７２の逆回転によって分配皿３５の上に落下させた散薬を、分配皿３５の径方向における外側端部まで押していき、分配皿３５の外側に隣接する薬品導入口３９に投入させることが可能となる。
なお、掻寄板１７２を逆方向に回転させる回転動作と、これに続いて行う通常と同じ方向に回転させる回転動作、すなわち、払い落とし動作での回転動作の速度は、通常の回転動作と同等以上の速度とすることが好ましい。このようにすることで、より効果的に掻寄板１７２付着した散薬を落下させることができ、更に本来の払い出し操作に付加する不要な動作の時間を最低限に抑えることができる。
【０３８１】
また、上記した払い落とし動作は、薬品毎に実施するか否かを適宜選択可能となっている。
詳細に説明すると、上記した薬品マスタ画面（図６参照）や、処方入力画面（図８参照）等の適宜な画面を表示させた状態で、使用者が所定の操作を実施することにより、画面で表示された薬品を分包動作後に払い落とし動作が必要な薬品とするか否かを選択可能となっている。そして、払い落とし動作が必要な薬品として予め設定された薬品が、分包動作の対象として選択された場合、通常の掻出動作に続いて払い落とし動作を自動で実施する。つまり、分包動作の対象となる薬品に１以上の払い落とし動作が必要な薬品が含まれる場合に払い落とし動作が自動で実施され、分包動作の対象となる薬品が全て払い落とし動作が必要な薬品でない場合は、払い落とし動作を実施しないようにしている。
【０３８２】
上記した払い落とし動作では、掻寄板１７２を逆回転させることで掻寄板１７２に付着した散薬を分配皿３５の上に落下させる動作について説明した。しかしながら、散薬分包装置１で実施する払い落とし動作はこれに限るものではない。
例えば、アーム部材１７１を振動させて掻寄板１７２に付着した散薬を分配皿３５の上に落下させ、その後に掻寄板１７２を通常と同じ方向に回転させる回転動作を実施し、分配皿３５の上に落下させた散薬を分配皿３５の径方向における外側端部まで押していく動作を実施してもよい。
【０３８３】
ここで、上記したように、分包動作を実施するとき、分配皿３５を散薬の分割数に応じた角度だけ回転させている（図３３（ｂ）等参照）。例えば、分配皿３５の上に供給した散薬を３０包に分割するのであれば、１周３６０度を３０に分割した１２度だけ回転させている。
【０３８４】
ところで、分割する数が少ない場合は、割数に応じた角度もまた大きくなる。例えば、２包に分割する場合には、図３５（ａ）で示されるように、分配皿３５が１８０度回転することとなる。このとき、割数に応じた角度が大きくなるにつれ、分配皿３５の上面のうちで一包分の散薬を寄せ集める範囲が広くなっていく。例えば、分配皿３５が９０度回転する場合であれば、分配皿３５の全周の４分の１を占める範囲に広がった散薬が集められるが、上記したように、分配皿３５が１８０度回転する場合であれば、分配皿３５の半周を占める範囲に広がった散薬が集められる。
【０３８５】
しかしながら、このように一度の動作で広範囲に広がった散薬を集めると、図３５（ｂ）で示されるように、掻寄板１７２の周辺に集められた散薬の山が分配皿３５の周方向に延びた状態となるという問題がある。
このような場合、掻寄板１７２を回転させ、掻出板１７４によって散薬を薬品導入口３９まで押し出そうとするとき（図３４等参照）、集められた散薬の掻寄板１７２に近い部分（図３５（ｂ）のαで示される部分）は、薬品導入口３９へ投入することが可能であるが、掻寄板１７２から遠い部分（図３５（ｂ）のβで示される部分）は薬品導入口３９へ投入することができなくなる。
【０３８６】
そこで、本実施形態の散薬分包装置１では、分包動作において分配皿３５を回転させる際、割数に応じた角度が一定の角度以上となる場合、一包分を複数回に分割して薬品導入口３９に投入する投入動作（複数掻出動作）が実施可能となっている。この動作につき、図３６を参照しつつ以下で詳細に説明する。
【０３８７】
まず、散薬分包装置１は、分配皿３５を一包分で回転させる角度が所定角度より大きいか否かを判別する。ここで、分配皿３５を分割数に応じた角度だけ回転させる際、分配皿３５を回転させるモータのパルス量を可変させることで、回転させる角度を可変させている。すなわち、分配皿３５が回転する角度とその際のモータのパルス量は相関関係にあり、分配皿３５が回転する角度は、モータのパルス量から算出可能となっている。
このことから、本実施形態では、分配皿３５を一包分で回転させるために必要なパルス量Ｚが規定量Ｘより多いか否かを判別する判別動作を実施することにより（ＳＴＥＰ１）、分配皿３５を一包分で回転させる角度が所定角度より大きいか否かを判別している。
【０３８８】
なお、本実施形態では、分配皿３５を１周回転させるために必要なモータのパルス量が５００００パルスとなっている。また、規定量Ｘは２２００パルスとしており、１周回転させるために必要なモータのパルス量の４．４パーセントとなっている。言い換えると１周回転させるために必要なモータのパルス量の数パーセント程度（１〜９パーセント程度）となっている。
また、本実施形態では、分配皿３５を分割数に応じた角度だけ回転させる際に、一度に規定量Ｘ以上のパルス量が必要な回転を実施しない構成としている。つまり、規定量Ｘは、分配皿３５を分割数に応じた角度だけ回転させるとき、一回の回転を対象とするパルス量の最大値となっている。
【０３８９】
判別動作の結果、一包分で回転させる角度が所定角度以下である場合（ＳＴＥＰ１でＮｏであり、パルス量Ｚが規定量Ｘ以下である場合）には、通常通り、割数に応じた角度だけ分配皿３５を移動させた後、掻出装置３７によって散薬を薬品導入口３９へ投入する（単数掻出動作、ＳＴＥＰ９）。
【０３９０】
これに対して、一包分で回転させる角度が所定角度より大きい場合には（ＳＴＥＰ１でＹｅｓであり、パルス量Ｚが規定量Ｘより大きい場合）、一包分の散薬を複数回に分けて薬品導入口３９へ投入する。この場合、一包分の散薬を薬品導入口３９へ投入する投入動作の実施回数と、それぞれの投入動作での分配皿３５を回転させる角度（分配皿３５の移動に必要なパルス量）をそれぞれ算出し、複数回の投入動作を実施する。
【０３９１】
より具体的に説明すると、この場合、分配皿３５を規定量Ｘで回転させる投入動作（以下、最大量掻出動作とも称す）と、分配皿３５を規定量Ｘより小さいパルス量で回転させる投入動作（以下、残余掻出動作とも称す）を適宜実施して、散薬を薬品導入口３９へ投入する。
すなわち、一包分で回転させる角度が所定角度より大きい場合には（ＳＴＥＰ１でＹｅｓ）、まず、最大量掻出動作の実施回数ｎと、残余掻出動作の実施回数ｎ２、そして残余掻出動作で分配皿３５を回転させる角度（分配皿３５の移動に必要なパルス量）をそれぞれ算出する。
【０３９２】
まず下記式（１）の演算を実施して演算結果Ｓを算出し、演算結果Ｓの整数部分を算出することで、最大量掻出動作の実施回数ｎを取得する（ＳＴＥＰ２）。このとき、演算結果Ｓの整数部分がそのまま最大量掻出動作の実施回数ｎとなる。
Ｓ＝Ｚ／Ｘ・・・（１）
【０３９３】
続いて、残余掻出動作の実施回数ｎ２と、それぞれの残余掻出動作で分配皿３５を回転させる角度（分配皿３５の移動に必要なパルス量）を算出する。
具体的には、１回又は複数回実施する残余掻出動作で分配皿３５の移動に必要な総パルス量Ｐを算出し、その算出した総パルス量Ｐに基づいて、残余掻出動作の実施回数ｎ２と、それぞれの残余掻出動作での分配皿３５の回転角度を算出する。
【０３９４】
より詳細には、まず下記式（２）の演算を実施し、残余掻出動作で必要な総パルス量Ｐを算出する（ＳＴＥＰ３）。
Ｐ＝Ｚ−ｎＸ・・・（２）
【０３９５】
総パルス量Ｐが算出されると、この総パルス量Ｐが規定量Ｘ２の２倍以上であるか否かの判別を実施する（ＳＴＥＰ４）。なお、規定量Ｘ２とは、掻寄板１７２（図３２等参照）の幅と同じだけ分配皿３５を移動させるために必要なパルス量であり、本実施形態では６００パルスとなっている。
【０３９６】
この判別動作の結果、総パルス量Ｐが規定量Ｘ２の２倍以上である場合（ＳＴＥＰ４でＹｅｓ）、２回の残余掻出動作を実施する。すなわち、２回の残余掻出動作のそれぞれで分配皿３５を回転させるために必要なパルス量を算出し（ＳＴＥＰ５）、ｎ回の最大量掻出動作と、２回の残余掻出動作を実施する（ＳＴＥＰ６）。
なお、残余掻出動作のそれぞれで分配皿３５を回転させるために必要なパルス量は、総パルス量Ｐから規定量Ｘ２を引いたパルス量を１回目の残余掻出動作で分配皿３５を回転させるためのパルス量とし、規定量Ｘ２を２回目の残余掻出動作で分配皿３５を回転させるためのパルス量とする。すなわち、判別動作の結果、総パルス量Ｐが規定量Ｘ２の２倍以上である場合には、残余掻出動作を２回実施し（ｎ２＝２）、最後に実施する残余掻出動作では分配皿３５を回転させるためのパルス量が規定量Ｘ２となる（最小量掻出動作）。
【０３９７】
対して、総パルス量Ｐが規定量Ｘ２の２倍より小さい場合（ＳＴＥＰ４でＮｏ）、１回の残余掻出動作を実施する。すなわち、１回の残余掻出動作のそれぞれで分配皿３５を回転させるために必要なパルス量を算出し（ＳＴＥＰ７）、ｎ回の最大量掻出動作と、１回の残余掻出動作を実施する（ＳＴＥＰ８）。
この場合は、総パルス量Ｐがそのまま残余掻出動作で分配皿３５を回転させるためのパルス量となる。すなわち、判別動作の結果、総パルス量Ｐが規定量Ｘ２の２倍より小さい場合には、総パルス量Ｐと同じパルス量で分配皿３５を回転させる残余掻出動作を１回実施する（ｎ２＝１）。
【０３９８】
上記した動作につき、１包分の回転を実施するために必要なモータのパルス量Ｚが４１６７パルスである場合と、１包分の回転を実施するために必要なモータのパルス量Ｚが５５５６パルスである場合につき、具体的な例を挙げて詳細に説明する。
【０３９９】
まず、１包分の回転を実施するために必要なモータのパルス量Ｚが４１６７パルスである場合について説明する。この場合、上記式（１）での演算結果Ｓは、４１６７パルス／２２００パルスとなり、１．８９・・・となる。このことから、整数部分は１であるので、最大量掻出動作の実施回数ｎは１回である（ＳＴＥＰ２）。
続いて、上記式（２）で算出する総パルス量Ｐは、１９６７パルス（４１６７−１×２２００）となる（ＳＴＥＰ３）。この総パルス量Ｐは、Ｘ２の２倍である１２００パルス以上であるので（ＳＴＥＰ４でＹｅｓ）、１回目の残余掻出動作で分配皿３５を回転させるためのパルス量が１３６７パルス（１９６７−６００）となり、２回目の残余掻出動作で分配皿３５を回転させるためのパルス量が６００パルスとなる（ＳＴＥＰ５）。すなわち、この場合は１包分を３回に分けて薬品導入口３９へ投入するものであり、１回の最大量掻出動作と、２回の残余掻出動作を実施する（ＳＴＥＰ６）。つまり、分配皿３５を２２００パルスで回転させた後に掻出装置３７によって散薬を掻き出し（１回目）、続いて、分配皿３５を１３６７パルスで回転させた後に掻出装置３７によって散薬を掻き出し（２回目）、最後に分配皿３５を６００パルスで回転させた後に掻出装置３７によって散薬を掻き出すこととなる（３回目）。
【０４００】
さらに、１包分の回転を実施するために必要なモータのパルス量Ｚが５５５５．５５パルスである場合について説明する。この場合、パルス量Ｚは小数点以下を四捨五入し、５５５６とする。そして、上記式（１）での演算結果Ｓは、５５５６パルス／２２００パルスとなり、２．５２・・・となる。このことから、整数部分は２であるので、最大量掻出動作の実施回数ｎは２回である（ＳＴＥＰ２）。
続いて、上記式（２）で算出する総パルス量Ｐは、１１５６パルス（５５５６−２×２２００）となる（ＳＴＥＰ３）。この総パルス量Ｐは、Ｘ２の２倍である１２００パルスより小さいので（ＳＴＥＰ４でＮｏ）、１回目の残余掻出動作で分配皿３５を回転させるためのパルス量がそのまま１１５６パルスとなり（ＳＴＥＰ７）、２回目の残余掻出動作は実施しない。すなわち、この場合は１包分を３回に分けて薬品導入口３９へ投入するものであり、２回の最大量掻出動作と、１回の残余掻出動作を実施する（ＳＴＥＰ８）。つまり、分配皿３５を２２００パルスで回転させた後に掻出装置３７によって散薬を掻き出し（１回目）、続いて、分配皿３５を２２００パルスで回転させた後に掻出装置３７によって散薬を掻き出し（２回目）、最後に分配皿３５を１１５６パルスで回転させた後に掻出装置３７によって散薬を掻き出すこととなる（３回目）。
【０４０１】
上記したように、本実施形態の散薬分包装置１は、手動式薬品容器５を使用した第３分包動作が実施可能となっている。また、第１分包動作や第２分包動作のような自動式薬品容器４を使用した分包動作を実施する場合、分配皿３５への散薬の排出動作が開始される前に、使用する薬品容器を自動式薬品容器４から手動式薬品容器５に切り替える容器切替動作が実施可能となっている。このような分包動作では、複数の散薬を分配皿３５に排出して分包動作を実施する場合、２個以上の手動式薬品容器５を使用して分包動作を実施する場合がある。例えば、１つの分配皿３５に対応する３つの容器保持台３６のうち（図４等参照）、１つに自動式薬品容器４を設置して散薬を排出し、他の２つに手動式薬品容器５を設置して散薬を排出するような場合である。
【０４０２】
ここで、本実施形態の散薬分包装置１では、２個以上の手動式薬品容器５を使用する場合、一度に２個以上の手動式薬品容器５を容器保持台３６に載置してそれぞれの手動式薬品容器５から散薬を排出させる動作と、１つの容器保持台３６に２個以上の手動式薬品容器５を順次載置して散薬を排出させる動作とが実行可能となっている。後者の動作は、具体的には、先行して設置した手動式薬品容器５から散薬を排出した後、散薬の排出が完了した手動式薬品容器５を新たな手動式薬品容器５と交換し、新たな手動式薬品容器５から散薬を排出させる動作である。
これらの動作につき、以下で詳細に説明する。
【０４０３】
２個以上の手動式薬品容器５を使用する分包動作が実施される場合、使用者に所定数の手動式薬品容器５を容器保持台３６に設置するように促すメッセージと、薬品容器から分配皿３５に散薬の排出を開始させる開始ボタンと、正面ドア３４（図１等参照）を昇降させる開閉ボタンとが操作表示部３に表示される。
【０４０４】
使用する手動式薬品容器５を容器保持台３６の上に一度に載置する場合、開閉ボタンに触れて正面ドア３４を上昇させ、使用者が所定数の手動式薬品容器５を全て容器保持台３６に設置し、再び開閉ボタンに触れて正面ドア３４を下降させる。そして、開始ボタンを押下することで、容器保持台３６に設置した薬品容器から分配皿３５に散薬が排出される。
【０４０５】
対して、使用する手動式薬品容器５を容器保持台３６の上に一度に載置せず、順次載置して散薬の排出を行う場合、開閉ボタンに触れて正面ドア３４を上昇させ、使用者が所定数より少ない数の手動式薬品容器５を容器保持台３６に設置し、再び開閉ボタンに触れて正面ドア３４を下降させた状態とする。そして、開始ボタンを押下することで、容器保持台３６に設置した薬品容器から分配皿３５に散薬が排出される。
この場合、散薬の排出が完了すると、残りの手動式薬品容器５を容器保持台３６に設置するように促すメッセージが操作表示部３に表示される。この状態で、開閉ボタンに触れて正面ドア３４を上昇させ、使用者が残りの手動式薬品容器５を容器保持台３６に設置し、再び開閉ボタンに触れて正面ドア３４を下降させた状態とする。そして、開始ボタンを押下することで、容器保持台３６に設置した薬品容器から分配皿３５に散薬が排出される。
【０４０６】
すなわち、本実施形態の散薬分包装置１では、２個以上の手動式薬品容器５を使用する分包動作を実施する場合、使用する手動式薬品容器５の数よりも少ない数の手動式薬品容器５だけを容器保持台３６に設置した状態で、分配皿３５への散薬の排出を実施可能となっている。このことにより、一度に２個以上の手動式薬品容器５を容器保持台３６に載置してそれぞれの手動式薬品容器５から同時に散薬を排出させる動作と、１つの容器保持台３６に２個以上の手動式薬品容器５を順次載置して散薬を順次排出させる動作の双方を実行することができる。
【０４０７】
上記したように、本実施形態の散薬分包装置１は、容器保管部２３に保持された２以上の自動式薬品容器４に同種の散薬を導入した状態で運用することが可能となっている。
ここで、第１分包動作において自動式薬品容器４から分配皿３５に散薬を排出させるとき、自動式薬品容器４に内蔵された散薬が分配皿３５への供給予定量より少ない場合には、分配皿３５に散薬を排出する動作の実施中に内蔵された散薬が無くなってしまうことが考えられる。
【０４０８】
そこで、本実施形態の散薬分包装置１は、分配皿３５に排出する散薬が２以上の自動式薬品容器４に内蔵されており、そのうち１つの自動式薬品容器４の散薬の内蔵量が分配皿３５への供給予定量より少ない場合には、以下で説明する補充用カセット準備動作を実施可能となっている。
【０４０９】
まず、通常の分包動作と同様に、供給予定量よりも少量の散薬が内蔵された第１の自動式薬品容器４を容器保持台３６に設置した状態で、分配皿３５への散薬の排出を開始する。
そして、第１の自動式薬品容器４から分配皿３５に散薬を排出しているとき、アーム部３０により、第１の自動式薬品容器４と同種の散薬が内蔵された第２の自動式薬品容器４を未使用の容器保持台３６に載置する（仮置きする）。なお、第２の自動式薬品容器４を載置する容器保持台３６は、薬品容器が載置されていなければどの容器保持台３６に載置してもよいが、第１の自動式薬品容器４が載置された容器保持台３６と近い位置にある容器保持台３６に載置することが望ましい。
【０４１０】
そして、第１の自動式薬品容器４に内蔵された散薬が無くなると、アーム部３０が第１の自動式薬品容器４を容器保管部２３へと移動させ、第１の自動式薬品容器４が載置されていた容器保持台３６に第２の自動式薬品容器４を載置する。そして、残りの散薬を第２の自動式薬品容器４から分配皿３５に排出する。
すなわち、散薬の不足が予測される第１の自動式薬品容器４の近くに、予め同種の散薬を内蔵した第２の自動式薬品容器４を配置しておくことにより、第１の自動式薬品容器４に替わって第２の自動式薬品容器４を設置する作業を迅速に実施することが可能となる。
【０４１１】
ここで、本実施形態の自動式薬品容器４と、容器移動装置２８のアーム部３０についてその具体的な構造を説明する。
自動式薬品容器４は、図３７で示されるように、容器本体１８０と、蓋部材１８１と、下面側鉄板部材１８２と、上面側鉄板部材１８３を備えた構造となっている。より詳細には、容器本体１８０の短手方向（図３７の高さ方向）で対向する２面の一方に、２つの上面側鉄板部材１８３が一体に固定されており、他方に下面側鉄板部材１８２が一体に固定されている。なお、以下の説明において、自動式薬品容器４の上下方向を説明する際には、図３７の姿勢を基準として説明する。
【０４１２】
容器本体１８０は、直方体状の容器であり、その内部は、図３８で示されるように、大別して散薬を収納するための散薬収納部１８５と、乾燥剤収納部１８６に区画されている。また、容器本体１８０の長手方向の片側端部には薬品排出部１８７が設けられている。この薬品排出部１８７は周辺の部材を取り外すことでより大きく開口し、容器本体１８０の内部に薬品を導入するための薬品投入部として機能する。この薬品排出部１８７には、下端近傍となる位置に、容器本体１８０の内外を連通する薬品排出口１８８（排出口）が設けられている。
【０４１３】
蓋部材１８１は、立板状の可動蓋部１９０と、共に可動蓋部１９０の内側面から内側に突出する係合片部１９１とパッド部１９２を備えた構造となっている。なお、係合片部１９１は、可動蓋部１９０の内側面うちで高さ方向の中心よりやや上側から内側に突出しており、パッド部１９２は、下端付近から内側に突出している。
この蓋部材１８１は、可動蓋部１９０が容器本体１８０の薬品排出口１８８が位置する端部を覆うように、容器本体１８０に一体に取り付けられている。そして、容器本体１８０に取り付けられた状態で、係合片部１９１の一部を中心に揺動可能な状態となっている。
【０４１４】
つまり、図３８（ａ）で示されるように、可動蓋部１９０の上側を容器本体１８０の長手方向外側に向かって押圧することにより、可動蓋部１９０の下端側が容器本体１８０に近接する。そして、可動蓋部１９０の下端側に位置するパッド部１９２が薬品排出口１８８を閉塞することで、蓋が閉じた状態となる（図３８（ｂ）参照）。
反対に、この蓋が閉じた状態から、可動蓋部１９０の上側を容器本体１８０の長手方向内側に向かって押圧することにより、可動蓋部１９０の下端側が容器本体１８０の長手方向における外側に移動する。そして、可動蓋部１９０の下端側に位置するパッド部１９２が薬品排出口１８８から離れることで、薬品排出口１８８が開放され、蓋が開いた状態となる（図３８（ａ）参照）。
【０４１５】
アーム部３０は、図３９で示されるように、昇降機構３１の昇降台２００に取り付けられた基幹アーム部材２０１と、基幹アーム部材２０１の先端側に取り付けられた中間アーム部材２０２と、中間アーム部材２０２の先端側に取り付けられたハンド部２０３を備えた構造となっている。
【０４１６】
基幹アーム部材２０１は、図示しない垂直軸を介して昇降台２００に取り付けられており、昇降台２００を中心として水平方向に回動可能となっている。
中間アーム部材２０２もまた、図示しない垂直軸を介して基幹アーム部材２０１の先端に取り付けられており、基幹アーム部材２０１の先端を中心として水平方向に回動可能となっている。
【０４１７】
ハンド部２０３は、大別して基幹部２０４と容器保持部２０５から構成されており、これらが取付金具２０６を介して一体に取り付けられている。
基幹部２０４は、図示しない垂直軸を介して中間アーム部材２０２の先端に取り付けられており、中間アーム部材２０２の先端を中心として水平方向に回動可能となっている。
【０４１８】
容器保持部２０５は、図４０で示されるように、水平方向に寝かした姿勢の取付金具２０６に対し、水平軸を介して回動自在に取り付けられている。そのため、容器保持部２０５は、平行姿勢（図４０（ａ）参照）をとることも垂直姿勢（図４０（ｂ）参照）をとることも可能となっている。
【０４１９】
この容器保持部２０５は、薬品容器を吸着するための電磁石（図示しない）と、開閉部材２０７（蓋係合部、図４１参照）を備えた構成となっている。
具体的には、容器保持部２０５のうち、薬品容器の吸着時に薬品容器に押し当てられる面（図４１の下面）に開口２０８が設けられており、この開口２０８の奥側に開閉部材２０７が設けられている。開閉部材２０７は、側面視した形状が略「Ｌ」字状となるように連続する２つの当接板によって構成された、略「Ｌ」字板状の部材である。この開閉部材２０７は、２つの当接板の付け根部分を中心として揺動自在に取り付けられている。
なお、この開閉部材２０７は、図示しないソレノイドやモータ等の動力によって揺動させることが可能となっている。
【０４２０】
以上のことから、図４１で示されるように、容器保持部２０５で自動式薬品容器４を吸着するとき、蓋部材１８１の外側に突出している部分を開口２０８に挿入させ、この外側に突出している部分を開閉部材２０７の２つの当接板の間に位置させることができる。そして、この状態で開閉部材２０７を揺動させることにより、蓋部材１８１を開閉することが可能となる。
【０４２１】
続いて、分包動作において、自動式薬品容器４から分配皿３５に散薬を排出した後に、容器保持台３６に載置された自動式薬品容器４をアーム部３０によって移動させる際の動作について詳細に説明する。
【０４２２】
まず、図４１で示されるように、アーム部３０の容器保持部２０５を自動式薬品容器４に近接させ、容器保持部２０５の吸着面（図４１における下面）と自動式薬品容器４の上面側鉄板部材１８３が取り付けられた面（図４１における上面）とを離間対向させる。言い換えると、容器保持部２０５の吸着面を自動式薬品容器４の上面と所定距離Ｌ（１ｍｍ乃至３ｍｍであり本実施形態では１．５ｍｍ）だけ離れた位置に配置する。
そして、この状態で開閉部材２０７を揺動させることにより、蓋部材１８１を閉じた状態とする（仮閉塞動作）。この時、容器保持部２０５の電磁石を無励磁状態として吸着力を無くすことで、１ｍｍまで近づけてもカセットが自然と吸着されたり、吸着しようとする力で揺れ動いたりすることも無い。
【０４２３】
続いて、図４２（ａ）で示されるように、容器保持部２０５を上昇させ、自動式薬品容器４から離間させた状態とする。このことにより、開閉部材２０７の２つの当接板の間に位置していた蓋部材１８１の上端部分が、開閉部材２０７の下方側に位置した状態となる。言い換えると、開閉部材２０７と蓋部材１８１の係合が解除され、開閉部材２０７を揺動させても蓋部材１８１と接触しない状態となる。
【０４２４】
この状態から、再び容器保持部２０５を自動式薬品容器４に近接させ、容器保持部２０５の吸着面（図４２における下面）と自動式薬品容器４の上面側鉄板部材１８３が取り付けられた面（図４２における上面）とを密着させた状態とする。そして、容器保持部２０５の電磁石（図示しない）に磁力を発現させ、容器保持部２０５に自動式薬品容器４を吸着させる。そして、開閉部材２０７を再度揺動させ、蓋部材１８１を閉塞させる動作を実施する（本閉塞動作）。この蓋部材１８１を閉塞させる動作により、蓋部材１８１がしっかりとしまった状態となる。そして、この状態でアーム部３０を動作させ、容器保持部２０５と共に自動式薬品容器４を移動させる。
【０４２５】
このように、本実施形態では、容器保持部２０５に自動式薬品容器４を吸着させる前に、容器保持部２０５と自動式薬品容器４を離間させた状態で、自動式薬品容器４の蓋部材１８１を閉塞する動作を実施し、蓋部材１８１を仮閉めした状態とする。このことにより、容器保持部２０５を自動式薬品容器４に吸着させる際の衝撃で、自動式薬品容器４から散薬がこぼれ落ちてしまうことを防止することが可能となっている。
【０４２６】
本実施形態の散薬分包装置１は、上記したように、容器移動装置２８によって自動式薬品容器４を交換することで、筐体１０の内部に設けられた容器保持台３６の数（本実施形態では６つ）以上の所定数以上の薬品を混合して分包することが可能となっている。
この動作につき、以下で詳細に説明する。
【０４２７】
図４３（ａ）で示されるように、まず、全ての容器保持台３６にそれぞれ異なる自動式薬品容器４（自動式薬品容器４ａ〜４ｆ）を載置させ、それぞれの自動式薬品容器４から散薬を排出させる。
【０４２８】
そして、内蔵された散薬の排出が完了した自動式薬品容器４ａをアーム部３０によって移動させ（図４３（ｂ）参照）、自動式薬品容器４ａが載置されていた容器保持台３６に薬品容器が載置されていない状態とする。そして、この容器保持台３６に新たな自動式薬品容器４ｇを載置する（図４３（ｃ）参照）。すなわち、アーム部３０によって新たな自動式薬品容器４ｇを移動させ、容器保持台３６に新たな自動式薬品容器４ｇを載置する。
【０４２９】
こうして、内蔵された散薬の排出が完了した自動式薬品容器４を順次新たな自動式薬品容器４に交換していくことで、容器保持台３６の数（本実施形態では６つ）以上の薬品を混合して分包することが可能となる。例えば、上記したように、全ての容器保持台３６に自動式薬品容器４を載置して散薬を排出した後、１つの自動式薬品容器４を交換することにより、７種類の薬品の混合が可能となる。また、全ての容器保持台３６にそれぞれ載置された自動式薬品容器４を一度ずつ交換することにより１２種類の薬品の混合が可能となり、２度ずつ交換することにより１８種類の薬品の混合が可能となるといった具合である。
【０４３０】
付言すると、本実施形態の散薬分包装置１は、上記した蓋部材１８１を仮閉めする動作を実施することにより、自動式薬品容器４の吸着時における散薬の意図しない排出を防止可能となっている。言い換えると、自動式薬品容器４を移動させる際に、散薬をこぼすことなく移動させることが可能となっている。そのため、他の自動式薬品容器４から分配皿３５へ散薬を供給している途中で、所定の自動式薬品容器４を交換したとしても、移動させる自動式薬品容器４から散薬がこぼれ落ちることがない。つまり、自動式薬品容器４の移動に起因して分配皿３５に散薬を過剰に排出してしまうことがなく、容器保持台３６の数（本実施形態では６つ）以上の薬品を混合する場合においても、精度の高い分包動作が実施可能となっている。すなわち、従来の散薬分包装置では、同一処方の薬剤払い出し動作中において、前記こぼれ落ちによる分包誤差の発生を懸念して薬品容器の交換を原則的に行わないこととしていた。それに対し、本実施形態の散薬分包装置１では、そのような懸念が無くなったため、多数の薬種を混合することが安全に実現できることとなった。
【０４３１】
本実施形態の散薬分包装置１では、上記した図２７で示される秤量履歴画面（以下、第１秤量履歴画面とも称す）に代わって、図４５で示されるような秤量履歴画面（以下、第２秤量履歴画面とも称す）を表示してもよい。
第２秤量履歴画面は、上記した第１秤量履歴画面と同様に、日付表示部１２５と、患者名表示部１２６と、説明表示部１２７と、エラー表示部１２８と、薬品情報表示部２２９と、推移表示部１３０と、配分動画ボタン１３１、流速ボタン１３２、秤量値ボタン１３３が設けられているが、各部、各ボタンの配置位置がそれぞれ異なっている。
【０４３２】
そして、第２秤量履歴画面の薬品情報表示部２２９は、上記した第１秤量履歴画面の薬品情報表示部１２９とは異なり、画面の左右方向における片側端部近傍から他方側端部近傍に亘って表示されている。このことから、「薬品名」、「目標量」、「配分量」、「配分時間」、「配分開始時の残量」、「配分開始時間」といった重要な項目を一画面に表示させることが可能となる。すなわち、薬品情報表示部２２９で表示内容をスクロールさせる動作を実施することなく、重要な項目を一目で確認可能となっている。
【０４３３】
本実施形態の散薬分包装置１では、上記した手動式薬品容器５に代わって、図４６で示されるような薬剤投入口開放型の手動式薬品容器３００を使用可能となっている。
【０４３４】
手動式薬品容器３００は、図４６で示されるように、貯留空間形成部材３０１と底部形成部材３０２によって構成されている。
【０４３５】
貯留空間形成部材３０１は、図４７で示されるように、四方の側面が側面壁３０４によって完全に覆われ、上下の面が開口する本体部３０３を有している。すなわち、本体部３０３は、平面視が長方形であって、上部に開口３０５を有し、この開口３０５から薬剤を投入することが可能となっている。
【０４３６】
また、本体部３０３の底部分にも、図４８で示されるように、開口３０６が設けられている。この下部側の開口３０６は、上部側の開口３０５よりも開口面積が小さくなっている。これら２つの開口３０５,３０６は離間対向しており、それぞれ側面壁３０４で囲まれた空間と外部を連通する開口となっている。
【０４３７】
本体部３０３の側面には、ＲＦＩＤタグが設けられており、投入する薬品に関する情報や、手動式薬品容器３００のＩＤ（複数の薬品容器から特定の薬品容器を特定するための識別子）を記憶可能となっている。すなわち、このＲＦＩＤタグが容器側情報記憶手段として機能する。
【０４３８】
図４７で示されるように、本体部３０３の一対の側面には、ガイド片３０９が設けられている。ガイド片３０９は、本体部３０３の長辺側の側面壁３０４と一体に形成されており、側面壁３０４から水平（容器保持台３６に載置された姿勢を基準とする）に突出している。またガイド片３０９は、側面壁３０４の長辺に沿って延びている。そして一方の端部にストッパ３０７が形成されている。ストッパ３０７は、ガイド片３０９の末端部分にあって、断面積が大きく作られた部位である。
【０４３９】
また、貯留空間形成部材３０１は、本体部３０３の上部に装着可能な蓋部３０８を有しており、蓋部３０８を装着することで上側に位置する開口３０５を閉塞可能な構造としている。
【０４４０】
底部形成部材３０２は、フェライト等の磁性体成分を含む鋼板を加工して形成される部材であり、図４８、図４９で示されるように、底部３１０を中心としてその両側が上方に折り曲げられ、傾斜壁３１１が形成されている。
【０４４１】
ここで、図４９で示されるように、底部形成部材３０２の長手方向における一端側には、縦壁状の部分が形成されておらず、側方が開放された状態となっている。そして、この側方が開放された部分が薬剤排出部３１５を構成している。対して、底部形成部材３０２の長手方向における他端側には、縦壁３１６が設けられており、側方が閉塞された状態となっている。
【０４４２】
また、底部形成部材３０２の底部３１０であって薬剤排出部３１５の近傍には、突起３２５が複数設けられている。
【０４４３】
そして、底部形成部材３０２の全長は、図４６等で示されるように、貯留空間形成部材３０１の全長よりも長くなっている。
【０４４４】
底部形成部材３０２の傾斜壁３１１の外周部には、ガイド受け部材３１３が設けられている。
【０４４５】
ガイド受け部材３１３は、図４９で示されるように、受け部形成部材３１７と、弾性部材３２０によって構成されている。
【０４４６】
ガイド受け部材３１３は、略直方体の箱型形状となっている。ガイド受け部材３１３の天面部分には、覆い部３１８があり、箱型部分の天面と覆い部３１８との間に、上記したガイド片３０９が係合するスリット部３１９が形成されている。なお、スリット部３１９は、薬剤排出部３１５側が開放され、縦壁３１６側は閉塞された状態となっている。
【０４４７】
ガイド受け部材３１３の内部には、天井部から垂下するピン３２４が２本設けられている。
【０４４８】
弾性部材３２０は、底部形成部材３０２の傾斜壁３１１に設けられ、外側に棚状に張り出した支持台３２１に取り付けられている。すなわち、傾斜壁３１１の外周部に支持台３２が設けられ、この支持台に２つの弾性部材３２０が立設された状態となっている。
弾性部材３２０は具体的にはバネである。弾性部材３２０の上部には受け部材３２２が設けられており、この受け部材３２２には凹部３２３が形成されている。
【０４４９】
受け部形成部材３１７は、弾性部材３２０を覆うように取付けられる部材であり、内部のピン３２４が弾性部材３２０の凹部３２３と係合可能となっている。
【０４５０】
そして、貯留空間形成部材３０１は、ガイド受け部材３１３を介して底部形成部材３０２に一体に取り付け可能となっている。すなわち、図５０で示されるように、ガイド受け部材３１３のスリット部３１９に、貯留空間形成部材３０１のガイド片３０９を係合させ、両者を一体化することで、手動式薬品容器３００が形成される構造となっている。
【０４５１】
ここで、ガイド受け部材３１３は、上記したように弾性部材３２０を有しているので、貯留空間形成部材３０１と底部形成部材３０２は、間に弾性部材３２０が介在された状態で一体化されることとなる。
また、上記したように、スリット部３１９の薬剤排出部３１５側が開放され、縦壁３１６側は閉塞されているから、貯留空間形成部材３０１を底部形成部材３０２の長手方向に沿って薬剤排出部３１５側に移動させることにより、貯留空間形成部材３０１を底部形成部材３０２から取り外すことができる。
【０４５２】
ところで、図４８で示されるように、貯留空間形成部材３０１の下部側の開口３０６は、底部形成部材３０２の底部３１０とは接しておらず、両者の間には隙間がある。
【０４５３】
ここで、この手動式薬品容器３００は、上記した手動式薬品容器５と同様に使用することができる。
すなわち、貯留空間形成部材３０１内に薬剤を投入し、手動で手動式薬品容器３００を筐体１０の内部に搬入し、所望の容器保持台３６に設置する。そして、容器保持台３６の振動台部を振動させて、薬品を薬剤排出部３１５から排出する。
【０４５４】
このとき、手動式薬品容器３００は、貯留空間形成部材３０１と底部形成部材３０２が弾性部材３２０を介して一体化しているので、底部形成部材３０２は振動して薬剤を移動させるが、貯留空間形成部材３０１の振動量は底部形成部材３０２に比べて小さくなる。このように、貯留空間形成部材３０１と底部形成部材３０２の振動量を異なるものとすることで、貯留空間形成部材３０１に投入した薬剤（薬品）を開口３０６から底部形成部材３０２に円滑に移動させることが可能となり、薬剤の排出を円滑に実施可能となる。
【０４５５】
ここで、この手動式薬品容器３００を使用する際、薬品秤量装置６で薬品を秤量し、秤量した薬品を手動式薬品容器３００に充填し、手動式薬品容器３００を筐体１０の内部に搬入する場合がある。このような場合、手動式薬品容器３００を机上に置き、貯留空間形成部材３０１に計量した薬剤を投入することとなる。
しかしながら、この手動式薬品容器３００は、底側部分が底部形成部材３０２によって形成されているが、底部形成部材３０２の断面形状は「コ」の字状であって、机上表面と接する部分の面積は小さい。このことから、手動式薬品容器３００を机上に直接置いた際に姿勢が安定せず、手動式薬品容器３００がひっくり返ってしまう懸念がある。
【０４５６】
そこで、手動式薬品容器３００を実際に使用する際には、図５１で示されるように、仮置台３４０（仮置台装置）と共に使用することが好ましい。
【０４５７】
仮置台３４０は、手動式薬品容器３００の底部形成部材３０２の底面が合致する設置溝３４１を有する台状の部材となっている。
設置溝３４１は、一方側が開放部３４５であり、他方側には縦壁部３４２が設けられている。この設置溝３４１は、その底部分が傾斜しており、開放部３４５側が縦壁部３４２側に比べて高くなっている。この底部分の傾斜角度は、３度から１０度程度であり、本実施形態では５度となっている。
【０４５８】
また、この仮置台３４０には、ＲＦＩＤタグ等から情報を読み取る情報読取装置（情報読取手段）が設けられている。そのため、手動式薬品容器３００を仮置台３４０に載置したとき、手動式薬品容器３００のＲＦＩＤタグ等から情報を読み取る情報読取動作を実施可能となっている。
【０４５９】
このような仮置台３４０の上に手動式薬品容器３００を置くことで、手動式薬品容器３００の姿勢を安定させた状態で薬品を投入が可能となる。
より具体的に説明すると、手動式薬品容器３００の底部形成部材３０２の傾斜壁３１１を仮置台３４０の設置溝３４１の傾斜面に合致させ、底部形成部材３０２の縦壁３１６を仮置台３４０の縦壁部３４２に当接させた姿勢で手動式薬品容器３００を仮置台３４０の上に置いた状態とする。このことにより、底部形成部材３０２が傾斜姿勢となり、薬剤排出部３１５が上方向に向いた状態で手動式薬品容器３００の姿勢が安定する。このように薬剤排出部３１５を上方に位置させることで、薬剤排出部３１５からの薬品の零れ落ちを防止できる。
【０４６０】
ところで、上記したように、散薬分包装置１は制御装置１６０と構内通信網（ＬＡＮ）等の通信網を介して互いにデータ（信号）を送受信可能な状態とすることで、散薬調剤業務支援システム１６１を構築することが可能となっている（図３１参照）。
そして、この散薬調剤業務支援システム１６１において、手動式薬品容器３００及び仮置台３４０を使用可能となっている。
【０４６１】
仮置台３４０を散薬調剤業務支援システム１６１で使用する場合、仮置台３４０が薬品秤量装置６にデータ（信号）を送信可能な状態となるように、仮置台３４０と薬品秤量装置６を構内通信網（ＬＡＮ）等の通信網を介して互いにデータ（信号）を送受信可能な状態に接続する。また、上記と同様に、制御装置１６０と他の調剤機器（薬品秤量装置６及び散薬分包装置１）とが構内通信網（ＬＡＮ）等の通信網を介して互いにデータ（信号）を送受信可能な状態に接続された状態とする。そして、制御装置１６０は、医師が使用する外部ＰＣ１６２とも互いにデータを送受信可能な状態で接続された状態とする。
【０４６２】
続いて、このような散薬調剤業務支援システム１６１で実施可能な手動式薬品容器３００を使用する分包動作について詳細に説明する
【０４６３】
まず、医師が外部ＰＣ１６２で処方に関するデータを入力すると、外部ＰＣ１６２から制御装置１６０に信号が送信され、制御装置１６０で散薬分包装置１に送信するための処方に関するデータ（以下、単に処方データとも称する）が作成される。そして、この処方データに含まれる処方が散薬分包装置１だけで自動的に処理できる処方であるか否かを判別する判別動作が実施される。なお、この判別動作は、制御装置１６０で実施してもよく、制御装置１６０から散薬分包装置１へ処方データを送信した後、散薬分包装置１で実施してもよい。
【０４６４】
そして、散薬分包装置１だけで自動的に処理できる処方でないと判別された場合、すなわち、手動式薬品容器３００を使用する必要があると判別された場合、制御装置１６０は処方データに基づいて薬品秤量装置６で使用するデータを作成し、薬品秤量装置６へと送信する。
【０４６５】
続いて、仮置台３４０に手動式薬品容器３００を載置した状態とした上で、薬品秤量装置６で薬品の秤量を実施する。このとき、仮置台３４０の情報読取装置が手動式薬品容器３００のＲＦＩＤタグ等から情報を読み取る情報読取動作が実施され、仮置台３４０から薬品秤量装置６に読み取った情報に関するデータが送信される。すなわち、手動式薬品容器３００のＩＤ等の情報に関するデータが薬品秤量装置６に送信され、薬品秤量装置６に一時的（又は半永久的）に記憶された状態となる（情報記憶動作）。
【０４６６】
そして、秤量が完了すると、実施した秤量結果に関するデータと、仮置台３４０から送信されて薬品秤量装置６に一時的（又は半永久的）に記憶されたデータとが、薬品秤量装置６から制御装置１６０を介して散薬分包装置１へと送信される（情報送信動作）。
【０４６７】
散薬分包装置１が薬品秤量装置６から送信されたデータを受信すると、この受信したデータと、予め受信していた処方データとを関連付けるデータ作成動作を実施する。
このデータ作成動作は、薬品秤量装置６から送信されたデータに含まれる手動式薬品容器３００のＩＤや秤量に関する情報と、処方データに含まれる情報の共通部分などを抽出し、これらを基に薬品秤量装置６から送信された情報と処方データとを関連付けたデータ（以下、散薬関連情報とも称す）を作成する動作である。
【０４６８】
この状態で、薬品秤量装置６で秤量した薬品を手動式薬品容器３００に投入し、仮置台３４０から筐体１０の内部に移動させ、容器保持台３６に載置する。
【０４６９】
ここで、容器保持台３６の近傍に位置する情報読取手段が手動式薬品容器３００のＲＦＩＤタグ等から情報を読み取る情報読取動作が実施する。そして、この情報読取動作で読み取った情報と散薬関連情報に基づいて、手動式薬品容器３００に収容された薬品を分包する分包動作に対応する処方を特定する。
【０４７０】
そして、特定された処方が、手動式薬品容器３００に収容された薬品のみを分包する処方であれば、そのまま分包動作を開始する。
対して、手動式薬品容器３００に収容された薬品の他に、自動式薬品容器４に収容された薬品を使用する処方であれば、アーム部３０によって所望の自動式薬品容器４を容器保持台３６まで移動させた後、分包動作を開始する。
【０４７１】
さらに、散薬調剤業務支援システム１６１は、上記した散薬分包装置１に加えて、公知の薬剤分包機を備える構成であってもよい。すなわち、散薬調剤業務支援システム１６１は、制御装置１６０と、薬品秤量装置６と、散薬分包装置１と、公知の薬剤分包機を構内通信網（ＬＡＮ）等の通信網を介して互いにデータ（信号）を送受信可能な状態に接続し、且つ、仮置台３４０が薬品秤量装置６にデータ（信号）を送信可能な状態となるように形成されるシステムであってもよい。
この場合、薬品秤量装置６は、散薬分包装置１で使用する手動式薬品容器５（又は手動式薬品容器３００）に収容する薬品を秤量する秤量動作と、公知の薬剤分包機のホッパに投入するための薬品を秤量する秤量動作を実施可能な構成としてもよい。そして、秤量動作が開始されたとき、開始された秤量動作が手動式薬品容器５（又は手動式薬品容器３００）に収容する薬品を対象としているのか、公知の薬剤分包機のホッパ投入するための薬品を対象としているのかを判別する判別動作を実施してもよい。
つまり、薬品秤量装置６は、散薬分包装置１で使用する薬品の秤量と、薬剤分包機で使用する薬品の秤量のいずれを実施しているのか判別する機能を有する構成としてもよい。
【０４７２】
具体的には、薬品秤量装置６で薬品を秤量する動作を実施するとき、上記したように、薬品秤量装置６の情報読込手段、又は仮置台３４０の情報読取装置により、薬品容器のＲＦＩＤタグ等から情報を読み取る情報読取動作を実施する。そして、この情報読取動作は、薬品容器のＩＤ（複数の薬品容器から特定の薬品容器を特定するための識別子）を含む情報を読み込む動作とする。
【０４７３】
そして、この情報読取動作により、薬品容器のＩＤを含む情報が取得できた場合、薬品秤量装置６は、実施中の薬品の秤量が手動式薬品容器５（又は手動式薬品容器３００）に収容する薬品を対象としているものと判別する。
対して、情報読取動作で薬品容器のＩＤを含む情報が取得できなかった場合、薬品秤量装置６は、実施中の薬品の秤量が公知の薬剤分包機のホッパに投入するための薬品を対象としているものと判別する。
【０４７４】
つまり、散薬分包装置１で使用する薬品容器のＲＦＩＤタグ（情報記憶手段）にのみ「薬品容器のＩＤ」を記憶させ、公知の薬剤分包機で使用する薬品をのせるためのトレー等にはＲＦＩＤタグ（情報記憶手段）に「薬品容器のＩＤ」に記憶させない状態としておく。そして、薬品を秤量する動作と共に実施する情報読取動作が、そのまま秤量する薬品の使用機器を判別する判別動作を兼ねることとなる。
【０４７５】
実施中の薬品の秤量が手動式薬品容器５（又は手動式薬品容器３００）に収容する薬品を対象としている場合、上記した場合と同様に、情報送信動作、散薬関連情報を作成する動作を含む一連の動作を実行して分包動作に対応する処方を特定し、分包動作を実施する。
なお、実施中の薬品の秤量が公知の薬剤分包機のホッパに投入するための薬品を対象としている場合、薬品をのせるトレー等のＲＦＩＤタグに秤量結果を書き込む動作を実施する。そして、使用者がこのＲＦＩＤタグを公知の薬剤分包機のＲＦＩＤリーダーにかざすことで、秤量結果等の情報が公知の薬剤分包機に読み込まれた状態となり、分包動作が実施可能となる。
【０４７６】
また、散薬調剤業務支援システム１６１を構築せず、散薬分包装置１と薬品秤量装置６を使用して手動式薬品容器５（又は手動式薬品容器３００）を使用した分包動作を実施する場合には、薬品の秤量結果を手動式薬品容器５（又は手動式薬品容器３００）のＲＦＩＤタグに書き込む動作と、使用者がこのＲＦＩＤタグを散薬分包装置１のＲＦＩＤリーダーにかざして秤量結果等の情報を散薬分包装置１に読み込ませる動作も可能となっている。
【０４７７】
ところで、上記したように、各分包動作では、薬品容器（自動式薬品容器４、手動式薬品容器５、手動式薬品容器３００等）を容器保持台３６に載置し、容器保持台３６の振動台部に振動動作を実施させて薬品容器を振動させることで、薬品容器に収容された散薬を分配皿３５に供給している。そして、その後に分配皿３５の上に広がった散薬の一部を掻寄板１７２の周辺に寄せ集める掻寄動作や、寄せ集めた散薬を薬品導入口３９に投入する掻出動作を適宜実施している。
【０４７８】
ここで、薬品容器から分配皿３５に散薬を供給する場合、分配皿３５への散薬の供給予定量（最終的に供給する量）がごく少量である場合には、分配皿３５に適量の散薬を供給できない可能性がある。すなわち、通常の量の散薬を分配皿３５に供給する場合、供給時に生じてしまうごく微量の供給誤差は実質的に無視することができる。
これに対し、ごく少量の散薬を分配皿３５に供給する場合には、全体量における誤差の量の割合が大きくなってしまい、この供給誤差が無視できないものとなってしまう可能性がある。
また、掻寄動作の実施時においても同様であり、通常の量であればごく僅かな掻き残しは実質的に無視することができるが、ごく少量の散薬を掻き寄せる場合には、この掻き残し量が占める割合が大きくなってしまう。
【０４７９】
そこで、本実施形態の散薬分包装置１では、上記した各種分包動作を実施する際、分包動作の対象となる散薬（薬品）が規定の条件を満たした場合に、少量分包動作を実施することが可能となっている。この少量分包動作につき、以下で詳細に説明する。
【０４８０】
上記した各種分包動作において、分包動作で使用する散薬を指定する操作（例えば、カセット選択動作）がなされると、少量分包動作を実施するべきか否かを判別する判別動作（以下、少量判別動作とも称す）が実施される。
この少量判別動作は、分包動作で使用する散薬のそれぞれについて下記の（１）乃至（２）の基準に基づいて少量分包動作を実施するべきか否かを判別する動作であり、１以上の散薬で下記の（１）乃至（２）の基準を全て満たすとき、少量分包動作を実施するものとして判別する。
（１）対象となる分包動作において分配皿３５への供給予定量（全供給量）が規定値Ｑ１（固定値であり本実施形態では２ｇ）より少ない。
（２）かさ比重が所定値以上である。
なお、ここでいう「かさ比重」とは、紛体や粒体を構成する各粒子周辺に存在する空間の体積を含めた体積当りの質量であり、より詳細には、粒子自身の体積、粒子の閉細孔の体積、粒子表面の凹凸部の空間の体積、粒子と粒子の間隙の体積、粒子と容器（紛体や粒体を配した皿等の他の物体）の間隙の体積を含めた体積当たりの質量である。そして、この「かさ比重」は、散薬（薬品）毎に、規定の条件（温度、湿度、薬品に加わる圧力等の条件）下で予め算出し、データベース等（例えば薬品マスタ等）に記憶しておく。
【０４８１】
すなわち、分配皿３５に供給される散薬のかさの値が所定以上である場合、上記した不具合が発生せず、分配皿３５への排出動作や掻寄動作、掻出動作を通常通り正確に実施可能である可能性が高い。しかしながら、分包動作の実施中に散薬のかさの値を取得することは困難であるため、本実施形態では、重量（又は質量）と予め算出したかさ比重に基づいて少量分包動作を実施するべきか否かを判別している。
より詳細に説明すると、重量（又は質量）とかさの値には相関関係があるため、より簡便には、（１）のみの基準に基づいて少量判別動作を実施してもよい。言い換えると、重量が少ない（又は質量が小さい）場合には、かさの値が小さいことが予測されるため、（１）のみの基準に基づいて少量判別動作を実施してもよい。しかしながら、より正確性のある判別動作を実施するという観点から、上記したように、（１）乃至（２）の基準に基づいて少量判別動作を実施することが望ましい。すなわち、重量（又は質量）とかさ比重に基づいてかさの値を判別することが望ましい。
【０４８２】
上記した少量判別動作において少量分包動作を実施するものと判別された場合、処方の日数又は包数（一日又は１回あたりの服用数）の少なくともいずれかを変更して分包を実施する少量分包動作を実施する。
例えば、１包分が０．３ｇであり、一日２回１包ずつ服用する薬品（散薬）が３日分処方されていたとする。この場合、通常の分包動作では６包分（１日２包、３日分）が包装されることなる。これに対し、処方の日付を変更する少量分包動作では、「３日分」の処方を「４日」分として８包分（１日２包、４日分）を包装する。この場合、分配皿３５への供給予定量（全供給量）は、１．８ｇ（０．３ｇ×６）から２．４ｇ（０．３ｇ×８）となり、規定値Ｑ１（２．０ｇ）以上となる。
つまり、日数を変更する場合、処方された日数を増やす変更を実施することで、分配皿３５への供給予定量を規定値Ｑ１以上とする。なお、増加させる日数の設定（日数の変更操作）は、自動で算出して反映してもよく、操作表示部３に表示された所定の画面に対して手動で入力してもよい。
【０４８３】
包数（一日又は１回あたりの服用数）を変更する場合も同様に、処方された服用数を増やす変更を実施することで、分配皿３５への供給予定量を規定値Ｑ１以上とする。
例えば、１包分が０．５ｇであり、一日３回１包ずつ服用する薬品（散薬）が１日分処方されていたとする。包数を変更する少量分包動作では、これを一日４回１包ずつ服用する薬品（散薬）が１日分処方されたものとして分包動作を実施する。この場合、分配皿３５への供給予定量（全供給量）は、１．５ｇ（０．５ｇ×３×１）から２．０ｇ（０．５ｇ×４×１）となり、規定値Ｑ１（２．０ｇ）以上となる。また別の方法として、これを一日３回２包ずつ服用する薬品（散薬）が１日分処方されたものとして分包動作を実施してもよい。この場合、分配皿３５への供給予定量（全供給量）は、１．５ｇ（０．５ｇ×３×１）から３．０ｇ（０．５ｇ×３×２）となり、規定値Ｑ１（２．０ｇ）以上となる。
つまり、処方された一日又は１回あたりの服用数を増やす変更を実施することにより、分配皿３５への供給予定量を規定値Ｑ１以上とする。なお、増加させる服用数の設定（服用数の変更操作）は、自動で算出して反映してもよく、操作表示部３に表示された所定の画面に対して手動で入力してもよい。
【０４８４】
このように、いずれの場合においても通常よりも多数の包装が実施されることとなる。そして、使用者が手作業で差分を廃棄することにより、処方に基づいた本来の量の薬品が患者に提供されることとなる。例えば、本来であれば６包包装するところを少量分包動作により８包包装した場合、差分となる２包分が手作業によって廃棄され、６包分が患者に提供される。
【０４８５】
このとき、少量分包動作の実施に伴い、必要に応じて使用者に少量分包動作を実施している旨（実施した旨）を報知する少量分包報知動作を実施する。
この少量報知動作では、出力される薬品袋のうちの余剰部分やジャーナルプリンタ７から出力される紙媒体に対して廃棄を促すメッセージを印字する動作や、操作表示部３に所定のメッセージを表示する動作が実施される。また、メッセージを表示する場合、それに伴って音声や警報音といった音を発する動作が必要に応じて実施される。
なお、「薬品袋のうちの余剰部分」とは、例えば、本来であれば６包包装するところを少量分包動作により８包包装した場合、差分となる２包分に対応する部分である。
【０４８６】
このように、少量報知動作によって少量分包動作を実施している旨（実施した旨）を報知することで、廃棄すべき差分の薬品を誤って患者に提供してしまうことを防止できる。
【０４８７】
上記した少数判別動作では、基準の一つを「かさ比重が所定値以下である」としたが、本実施形態の少数判別動作はこれに限るものではない。例えば、上記（２）の基準に代わって下記（２ａ）を採用してもよい。
（２ａ）かさ（かさ比重の逆数であり、単位質量当りの体積）の値が所定値以上である。
【０４８８】
また、上記した少数判別動作では、上記の（１）乃至（２）の基準を全て満たすとき、少量分包動作を実施するものとしたが、少数判別動作はこれに限るものではない。例えば、散薬の供給予定量がその散薬のかさ比重に応じて決定される基準値より小さいか否かを判別基準としてもよい。
具体的には、予め散薬の種類毎にかさ比重（又はかさや体積）に基づいて規定値Ｑ２を算出しておき、１以上の散薬で下記の（３）の基準を満たすとき、少量分包動作を実施するものとして判別する動作であってもよい。
（３）対象となる分包動作において分配皿３５への供給予定量（全供給量）が規定値Ｑ２（散薬の種類ごとに異なる変動値）より少ない。
この場合、規定値Ｑ２はかさ比重に基づいて算出される値（かさ比重に応じて変動する値）であるので、Ａ薬品では規定値Ｑ２が２．０ｇであり、Ｂ薬品では規定値Ｑ２が３．０ｇであるといった具合に、薬品の種類ごとに異なる値となることが考えられる。また、この少数判別動作の後に実施される少量分包動作は、処方の日数又は包数（一日又は１回あたりの服用数）の少なくともいずれかを変更し、分配皿３５への供給予定量を規定値Ｑ２以上とする動作となる。
【０４８９】
つまり、本実施形態における少数判別動作とは、対象となる散薬の重量（又は質量）と嵩（又は体積）に関する値に基づいて分包動作の実施が可能か否かを判別する動作であるともいえる。
【０４９０】
なお、手動式薬品容器５（又は手動式薬品容器３００）を使用する分包動作で少量分包動作を実施する場合、手動式薬品容器５に手作業で本来より多量の散薬を導入し、手動式薬品容器５を容器保持台３６の上に載置して分配皿３５に散薬を供給することとなる。
したがって、手動式薬品容器５に導入する散薬が錠剤を粉末状にした散薬である場合もまた、使用者は本来よりも多数の錠剤を粉末状にし、手動式薬品容器５に導入することとなる。このときの供給予定量は、錠剤を粉砕した場合に薬品秤量装置６等に登録する１錠の粉砕時重量に基づいて算出してもよい。
【０４９１】
具体的に説明すると、１包分が１錠に相当する量であり、一日３回１包ずつ服用する薬品（散薬）が３日分処方されていたとする。ここで、１錠の粉砕時重量が０．２ｇとすると、本来の包数は９包であり、本来の供給予定量は１．８ｇ（０．２×９）となり、２ｇに満たない。
この場合は、包数を変更して１０包とし、１０錠の錠剤を粉砕して手動式薬品容器５（又は手動式薬品容器３００）に投入する。そして本来であれば９包包装するところを少量分包動作により１０包包装し、余剰の１包は廃棄する。
【０４９２】
上記した実施形態では、散薬分包装置１の操作表示部３に表示された所定の画面に対して手動で入力することで、日付や包数（一日又は１回あたりの服用数）を変更し、少量分包動作を実施する例を示したが、本発明はこれに限るものではない。
例えば、上記した散薬調剤業務支援システム１６１を構築した場合、散薬分包装置１の操作表示部３を操作して日付や包数を変更してもよく、制御装置１６０や薬品秤量装置といった他の機器を操作して日付や包数を変更してもよい。この場合、変更のための画面を制御装置１６０や薬品秤量装置の表示部（ディスプレイ等）に表示させてもよい。
【符号の説明】
【０４９３】
１；散薬分包装置（薬品払出装置）、３；操作表示部（表示装置，操作装置）、４；自動式薬品容器（散薬収容容器）、５，３００；手動式薬品容器（散薬収容容器）、６；薬品秤量装置、１２；薬品容器配置領域、１３；薬品分割領域、１４；薬品包装領域、２３；容器保管部（容器保管装置）、２８；容器移動装置、３５；分配皿、３７；掻出装置、３６；容器保持台（容器載置装置）、８１；速度操作部（操作用画像）、９１；速度報知部（速度表示用画像）、１３９；シークバー表示領域（時間表示部）、１６０；制御装置、１７１；アーム部材、１７２；掻寄板、１７４；掻出板、１８７；薬品排出部（排出口部）、１８８；薬品排出口（排出口）、１８１；蓋部材、２０５；容器保持部、２０７；開閉部材（蓋係合部）、３４０；仮置台（仮置台装置）
【図１】
2020078578.tif 000003
【図２】
2020078578.tif 000004
【図３】
2020078578.tif 000005
【図４】
2020078578.tif 000006
【図５】
2020078578.tif 000007
【図６】
2020078578.tif 000008
【図７】
2020078578.tif 000009
【図８】
2020078578.tif 000010
【図９】
2020078578.tif 000011
【図１０】
2020078578.tif 000012
【図１１】
2020078578.tif 000013
【図１２】
2020078578.tif 000014
【図１３】
2020078578.tif 000015
【図１４】
2020078578.tif 000016
【図１５】
2020078578.tif 000017
【図１６】
2020078578.tif 000018
【図１７】
2020078578.tif 000019
【図１８】
2020078578.tif 000020
【図１９】
2020078578.tif 000021
【図２０】
2020078578.tif 000022
【図２１】
2020078578.tif 000023
【図２２】
2020078578.tif 000024
【図２３】
2020078578.tif 000025
【図２４】
2020078578.tif 000026
【図２５】
2020078578.tif 000027
【図２６】
2020078578.tif 000028
【図２７】
2020078578.tif 000029
【図２８】
2020078578.tif 000030
【図２９】
2020078578.tif 000031
【図３０】
2020078578.tif 000032
【図３１】
2020078578.tif 000033
【図３２】
2020078578.tif 000034
【図３３】
2020078578.tif 000035
【図３４】
2020078578.tif 000036
【図３５】
2020078578.tif 000037
【図３６】
2020078578.tif 000038
【図３７】
2020078578.tif 000039
【図３８】
2020078578.tif 000040
【図３９】
2020078578.tif 000041
【図４０】
2020078578.tif 000042
【図４１】
2020078578.tif 000043
【図４２】
2020078578.tif 000044
【図４３】
2020078578.tif 000045
【図４４】
2020078578.tif 000046
【図４５】
2020078578.tif 000047
【図４６】
2020078578.tif 000048
【図４７】
2020078578.tif 000049
【図４８】
2020078578.tif 000050
【図４９】
2020078578.tif 000051
【図５０】
2020078578.tif 000052
【図５１】
2020078578.tif 000053